(57)【特許請求の範囲】
【請求項１】
ａ．成形システムを提供する工程であって、
ｉ．無線通信に従事するように構成される主コントローラと、
ｉｉ．少なくとも１つのキャリッジであって、各キャリッジが自己推進され、内側型面を有する型と、駆動機構に駆動可能に連結される駆動モータを備える推進システムと、前記推進システムに作動可能に連結されるキャリッジコントローラと、前記キャリッジコントローラに連結されるキャリッジ位置検出器と、を備え、前記キャリッジコントローラが前記主コントローラに無線で通信されるように構成される、少なくとも１つのキャリッジと、
ｉｉｉ．ポリマー導入装置と、前記ポリマー導入装置に作動可能に連結されるポリマー導入コントローラと、を備えるポリマー導入ステーションであって、前記主コントローラが前記ポリマー導入コントローラに制御可能に連結される、ポリマー導入コントローラと、
ｉｖ．成形品取り外しステーションであって、前記主コントローラが各キャリッジ、前記ポリマー導入ステーション及び前記成形品取り外しステーションに対して離れて配置されており、各キャリッジが、前記ポリマー導入ステーション及び前記成形品取り外しステーションの間で逆動可能に位置決め可能であり、前記主コントローラが各キャリッジコントローラと無線で制御可能に通信するように構成されており、前記主コントローラが各キャリッジに物理的接続を有していない、成形品取り外しステーションと、
を備える成形システムを提供する工程と、
ｂ．各キャリッジの前記キャリッジ位置検出器によって各キャリッジの位置を実質的に連続して特定する工程と、
ｃ．前記キャリッジ位置検出器から各キャリッジの前記キャリッジコントローラに各キャリッジの前記位置を実質的に連続して送信して、各キャリッジの前記キャリッジコントローラから前記主コントローラに各キャリッジの前記位置を実質的に連続して無線で通信する工程と、
ｄ．前記主コントローラから前記キャリッジコントローラにポリマー導入ステーション位置指令を無線で通信して、前記キャリッジコントローラから前記推進システムに作動ポリマー導入ステーション位置命令を提供し、対応して前記キャリッジの移動を制御し、それによって前記ポリマー導入ステーションに前記キャリッジを位置決めする工程と、
ｅ．前記主コントローラから前記ポリマー導入ステーションにポリマー導入指令を通信して、前記ポリマー導入コントローラから前記ポリマー導入装置に作動ポリマー導入命令を提供し、それによって、前記ポリマー導入装置から、前記型の前記内側型面に接触するようにポリマー合成物を導入して、それによって成形品または予備成形品を形成する工程と、
ｆ．前記主コントローラから前記キャリッジコントローラに成形品取り外しステーション位置指令を無線で通信して、前記キャリッジコントローラから前記推進システムに作動成形品取り外しステーション位置命令を提供し、対応して前記キャリッジの移動を制御し、それによって前記成形品取り外しステーションに前記キャリッジを位置決めする工程と、
ｇ．前記成形品取り外しステーションで前記キャリッジの前記型から成形品を取り外す工程と、
を備えることを特徴とする成形品を形成する方法。
【請求項２】
請求項１に記載の方法において、
ａ．前記主コントローラは、複数の制御プログラムを備える主プログラム可能コントローラであり、
ｂ．前記キャリッジコントローラは、少なくとも１つの作動プログラムを備えるキャリッジプログラム可能コントローラであり、
ｃ．前記ポリマー導入コントローラは、少なくとも１つの作動プログラムを備えるポリマー導入プログラム可能コントローラであることを特徴とする方法。
【請求項３】
請求項１に記載の方法において、前記成形システムはさらに案内経路を備えており、
ａ．前記案内経路はループ状案内経路であり、
ｂ．前記ポリマー導入ステーション及び前記成形品取り外しステーションの各々が前記案内経路に沿って別々に位置決めされ、
ｃ．各キャリッジが、前記案内経路に沿って別々に独立して移動可能であり、前記案内経路によって直接的に案内されることを特徴とする方法。
【請求項４】
請求項３に記載の方法において、前記案内経路は案内トラックであり、前記案内トラックはループ状案内トラックであり、各キャリッジの前記駆動機構は前記案内トラックと駆動可能に係合することを特徴とする方法。
【請求項５】
請求項４に記載の方法において、前記成形システムは、前記案内トラックから分離した電源コードをさらに備えており、前記電源コードは、各キャリッジに電気的に連結されており、各キャリッジに電力を供給し、及び、前記電源コードは、前記案内トラックに沿ってループを形成するループ状電源コードであることを特徴とする方法。
【請求項６】
請求項５に記載の方法において、前記電源コードは、
ａ．各キャリッジのための電源ボックスを備えており、各電源ボックスは、前記電源コードに電気的かつ移動可能に接続されており、各電源ボックスは電源ケーブルを備えており、各キャリッジ及び電源ボックスは、キャリッジ−電源ボックスの対を形成しており、各キャリッジ−電源ボックスの対のために、
ｉ．前記電源ケーブルは、前記キャリッジに電気的に接続されて、前記キャリッジに電力を供給し、
ｉｉ．前記キャリッジは、前記キャリッジから前記電源ボックスに向かって外側に延びる引っ張りロッドを備えており、前記引っ張りロッドは、前記引っ張りロッドに沿ってスライド可能かつ逆動可能に移動可能であるシリンダを備えており、前記シリンダ及び前記電源ボックスは、電力を転送しないシリンダ及び電源ボックスの間のシリンダ−電源ボックス物理的接続を有しており、
ｂ．さらに、前記キャリッジが前記案内トラックに沿って移動する際、前記引っ張りロッド、前記シリンダ及び前記シリンダ−電源ボックス物理的接続が、前記電源コードに沿って前記電源ボックスを引っ張って前記電源コードと電気的に接続し、それによって前記電源ケーブルの前記キャリッジとの電気的な接続を維持することを特徴とする方法。
【請求項７】
請求項３に記載の方法において、前記成形システムは少なくとも２つのキャリッジを備えており、前記キャリッジは、前記案内経路に沿って直列に移動可能であることを特徴とする方法。
【請求項８】
請求項７に記載の方法において、各キャリッジは前方衝突検出器を備えており、前記前方衝突検出器は前記キャリッジコントローラに連結されており、前記方法はさらに、
ａ．前記前方衝突検出器によって、前記キャリッジの前方の別々の物体との前記キャリッジの差し迫った衝突を検出する工程と、
ｂ．前記前方衝突検出器から前記キャリッジコントローラに、前記別々の物体との前記キャリッジの前記差し迫った衝突を送信する工程と、
ｃ．前記キャリッジコントローラから前記推進システムに作動緊急停止命令を提供して、それによって前記キャリッジの前進運動を停止させる工程と、を備えることを特徴とする方法。
【請求項９】
請求項８に記載の方法において、
ａ．前記キャリッジコントローラから前記主コントローラに、前記別々の物体との前記キャリッジの前記差し迫った衝突を無線で通信する工程と、
ｂ．前記主コントローラから各キャリッジのキャリッジコントローラに、キャリッジ緊急停止指令を無線で通信する工程と、
ｃ．前記キャリッジコントローラから各キャリッジの推進システムに作動緊急停止命令を提供し、それによって各キャリッジの前進運動を停止させる工程と、をさらに備えることを特徴とする方法。
【請求項１０】
請求項８に記載の方法において、前記前方衝突検出器は、物理的接触センサ、光学センサ、赤外線センサ、レーダセンサ及びその組み合わせから構成される群から選択される衝突センサを備えることを特徴とする方法。
【請求項１１】
請求項３に記載の方法において、
ａ．前記型は第１型部であり、前記ポリマー導入ステーションは、前記第１型部の前記内側型面上に前記ポリマー合成物を導入することによって予備成形品を形成するものであり、前記成形システムはさらに、前記ポリマー導入ステーション及び前記成形品取り外しステーションの間に配置される圧縮成形ステーションを備えており、
ｂ．前記圧縮成形ステーションは、プレス内に保持される第２型部と、前記プレスに作動可能に連結される圧縮型コントローラと、を備えており、
ｃ．前記主コントローラは、前記圧縮型コントローラに制御可能に連結され、前記第２型部は内側型面を有しており、前記ポリマー合成物は、前記ポリマー導入装置から前記第１型部の前記内側型面上に重力によって導入され、
ｄ．前記方法はさらに、
ｉ．前記第１型部の前記内側型面上に前記ポリマー合成物を導入した後、前記主コントローラから前記キャリッジコントローラに圧縮成形ステーション位置指令を無線で通信して、前記キャリッジコントローラから前記推進システムに作動圧縮成形ステーション位置命令を提供し、対応して前記キャリッジの移動を制御し、それによって前記圧縮成形ステーションに前記キャリッジを位置決めする工程と、
ｉｉ．前記主コントローラから前記圧縮型コントローラに圧縮成形指令を通信して、前記圧縮型コントローラから前記プレスに作動圧縮成形命令を提供し、それによって前記第２型部の前記内側面を、前記第１型部の前記内側型面上に導入される前記ポリマー合成物に押し付けて接触させ、それによって予備成形品から成形品を形成する工程と、
ｉｉｉ．前記第１圧縮型コントローラから前記プレスに作動圧縮成形命令をさらに通信して、それによって前記第２型部の前記内側面と前記成形品とを相互に分離して、前記成形品取り外しステーションに対する前記キャリッジの再位置決めを可能にする工程と、を備えることを特徴とする方法。
【請求項１２】
請求項３に記載の方法において、
ａ．前記型はシート型であり、
ｂ．前記シート型の前記内側型面は輪郭と複数の貫通孔とを有しており、
ｃ．前記ポリマー導入装置はシートダイを備えており、
ｄ．前記ポリマー合成物は、熱成形温度を有する押し出されたシートとして、前記シートダイから前記シート型の前記内側型面上に重力によって導入され、
ｅ．前記キャリッジはさらに、前記シート型と前記複数の貫通孔とに流体連通する減圧装置を備えており、前記キャリッジコントローラは前記減圧装置に作動可能に連結されており、
ｆ．前記方法はさらに、
ｉ．前記主コントローラから前記キャリッジコントローラに減圧装置制御指令を無線で通信する工程と、
ｉｉ．前記キャリッジコントローラから前記減圧装置に作動減圧装置命令を提供し、それによって前記複数の貫通孔を通じて減圧を引き、前記押し出されたシートが、前記シート型の前記内側型面と合わせ込まれて接触するように輪郭内に引き込まれ、それによって前記成形品を形成する工程と、を備えることを特徴とする方法。
【請求項１３】
請求項１２に記載の方法において、
ａ．前記押し出されたシートが前記シート型の前記内側型面上に重力によって導入される間に、前記主コントローラから前記キャリッジコントローラにキャリッジ前進速度指令を無線で通信する工程と、
ｂ．前記キャリッジコントローラから前記推進システムに作動キャリッジ前進速度命令を提供し、それによって、前記押し出されたシートが前記シート型の前記内側型面上に重力によって導入される間に、前記キャリッジの前進速度を制御して、対応して前記シート型の前記内側型面上に重力によって導入される際に前記押し出されたシートの厚さを制御する工程と、をさらに備えることを特徴とする方法。
【請求項１４】
請求項１に記載の方法において、各キャリッジはさらに、
ａ．型温度制御装置を備えており、
ｂ．各型が少なくとも１つの型温度センサを備えており、
ｃ．各型温度センサが前記キャリッジコントローラに連結されており、
ｄ．前記型温度制御装置が前記型に連結されており、
ｅ．前記キャリッジコントローラが前記型温度制御装置に作動可能に連結されており、
ｆ．前記方法はさらに、
ｇ．各型温度センサから前記キャリッジコントローラに型温度値を送信する工程と、
ｈ．前記型の前記内側型面に接触するように前記ポリマー合成物が導入された後で、かつ、前記型から前記成形品を取り外す前に、前記主コントローラから前記キャリッジコントローラに型温度低下指令を無線で通信する工程と、
ｉ．前記キャリッジコントローラから前記型温度制御装置に作動型温度低下命令を提供し、それによって前記型の温度を低下させる工程と、を備えることを特徴とする方法。
【請求項１５】
請求項１に記載の方法において、前記主コントローラと前記キャリッジコントローラとの間の無線通信は、電波を使用する無線通信、光学無線通信及びその組み合わせから構成される群から選択されることを特徴とする方法。
【請求項１６】
請求項１５に記載の方法において、前記主コントローラと前記キャリッジコントローラとの間の無線通信は、電波を使用する無線通信から選択されることを特徴とする方法。
【請求項１７】
請求項１に記載の方法において、前記成形品取り外しステーションは、
ａ．ロボット制御の成形品取り外し装置と、
ｂ．前記ロボット制御の成形品取り外し装置に作動可能に連結される成形品取り外しステーションコントローラと、を備え、前記主コントローラは前記成形品取り外しステーションコントローラに制御可能に連結されており、
ｃ．前記方法はさらに、
ｉ．前記成形品取り外しステーションに前記キャリッジを位置決めした後、前記主コントローラから前記成形品取り外しステーションに成形品取り外し指令を通信する工程と、
ｉｉ．前記成形品取り外しステーションコントローラから前記ロボット制御の成形品取り外し装置に作動成形品取り外し命令を提供して、それによって前記ロボット制御の成形品取り外し装置に前記型から前記成形品を取り外させる工程と、を備えることを特徴とする方法。
【請求項１８】
請求項３に記載の方法において、前記ポリマー導入ステーションがさらに、
ａ．ポリマー導入ステーション位置表示器を備えており、
ｂ．前記成形品取り外しステーションが、成形品取り外しステーション位置表示器をさらに備えており、
ｃ．前記成形システムが、少なくとも１つのさらなる位置表示器であって、各さらなる位置表示器が各キャリッジ、前記ポリマー導入ステーション、前記成形品取り外しステーション、及び、各他のさらなる位置表示器、と分離しており、
ｄ．さらに、各キャリッジの前記位置を連続的に特定する工程が、前記ポリマー導入ステーション位置表示器、前記成形品取り外しステーション位置表示器、及び、少なくとも１つのさらなる位置表示器の少なくとも１つと独立して相互作用する各キャリッジ位置検出器を備えることを特徴とする方法。
【請求項１９】
請求項１８に記載の方法において、前記キャリッジ位置検出器が、
ａ．前記ポリマー導入ステーション位置表示器と、
ｂ．前記成形品取り外しステーション位置表示器と、
ｃ．各々のさらなる位置表示器と、の各々と、
物理的に作動されるスイッチ手段、磁気手段、電磁放射手段及びその組み合わせから構成される群から独立して選択される相互作用手段によって、相互作用するように構成されていることを特徴とする方法。
【請求項２０】
請求項１８に記載の方法において、
ａ．前記ポリマー導入ステーション位置表示器はポリマー導入ステーション位置表示バーコードであり、
ｂ．前記成形品取り外しステーション位置表示器は成形品取り外しステーション位置表示バーコードであり、
ｃ．各さらなる位置表示器はさらなる位置表示バーコードであり、
ｄ．各キャリッジ位置検出器は、バーコードリーダであり、
ｅ．さらに、各キャリッジの前記位置を連続して特定する工程は、
ｉ．前記ポリマー導入ステーション位置表示バーコード、前記成形品取り外しステーション位置表示バーコード、及び、少なくとも１つのさらなる位置表示バーコートの少なくともいずれか１つを独立して、各バーコードリーダが読み出す工程を備えることを特徴とする方法。
【請求項２１】
請求項３に記載の方法において、
ａ．前記キャリッジ位置検出器は移動距離計測装置を含み、
ｂ．前記キャリッジの前記位置を特定する工程は、
ｉ．前記ループ状案内経路上のスタート地点を選択する工程と、
ｉｉ．前記スタート地点に対する前記移動距離計測装置によって前記キャリッジが移動する距離を連続して計測する工程と、
ｉｉｉ．前記ループ状案内経路の一周の長さに対して前記キャリッジの移動距離を連続して比較して、それによって前記ループ状案内経路上で前記キャリッジの前記位置を特定する工程と、を備えることを特徴とする方法。
【請求項２２】
成形システムであって、
ａ．無線通信に従事するように構成される主コントローラと、
ｂ．少なくとも１つのキャリッジであって、各キャリッジが、
ｉ．自己推進され、内側型面を有する型を備えており、
ｉｉ．駆動機構に駆動可能に連結される駆動モータを備える推進システムを有しており、
ｉｉｉ．前記推進システムに作動可能に連結されるキャリッジコントローラと、前記キャリッジコントローラに連結されるキャリッジ位置検出器と、を有しており、前記キャリッジコントローラは、前記主コントローラに無線で通信されるように構成される、少なくとも１つのキャリッジと、
ｃ．ポリマー導入ステーションであって、
ｉ．ポリマー導入装置と、
ｉｉ．前記ポリマー導入装置に作動可能に連結されるポリマー導入コントローラと、を備えており、
ｉｉｉ．前記主コントローラが前記ポリマー導入コントローラに制御可能に連結される、ポリマー導入ステーションと、
ｄ．成形品取り外しステーションであって、
ｉ．前記主コントローラが、各キャリッジ、前記ポリマー導入ステーション及び前記成形品取り外しステーションに対して離れて配置されており、
ｉｉ．各キャリッジが、前記ポリマー導入ステーションと前記成形品取り外しステーションとの間に逆動可能に位置決め可能であり、
ｉｉｉ．前記主コントローラが、各キャリッジコントローラと無線で制御可能に通信するように構成されており、
ｉｖ．前記主コントローラが各キャリッジに対して物理的接続を有しておらず、
ｖ．さらに、前記成形システムの工程が、
１．各キャリッジの前記キャリッジ位置検出器による各キャリッジの位置の実質的な特定と、
２．前記キャリッジ位置検出器から各キャリッジの前記キャリッジコントローラへの各キャリッジの前記位置の実質的に連続した送信と、各キャリッジの前記キャリッジコントローラから前記主コントローラへの実質的に連続した無線通信と、を備えており、
ｖｉ．前記主コントローラから前記キャリッジコントローラにポリマー導入ステーション位置指令が無線通信され、前記キャリッジコントローラから前記推進システムに作動ポリマー導入ステーション位置命令が提供され、及び対応して前記キャリッジの移動が制御され、それによって前記キャリッジが前記ポリマー導入ステーションに位置決めされ、
ｖｉｉ．前記主コントローラから前記ポリマー導入コントローラにポリマー導入指令が通信され、前記ポリマー導入コントローラから前記ポリマー導入装置に作動ポリマー導入命令が提供され、ポリマー合成物が結果として、前記ポリマー導入装置から前記型の前記内側型面と接触するように導入されて、それによって成形品が結果として形成され、
ｖｉｉｉ．前記主コントローラから前記キャリッジコントローラに成形品取り外しステーション位置指令が無線通信され、前記キャリッジコントローラから前記推進システムに作動成形品取り外しステーション位置命令が提供され、対応して前記キャリッジの移動が制御され、前記キャリッジがそれによって、前記成形品が前記型から取り外される前記成形品取り外しステーションに位置決めされる、成形品取り外しステーションと、を備えることを特徴とする成形システム。
【請求項２３】
請求項２２に記載の成形システムにおいて、
ａ．前記主コントローラが、複数の制御プログラムを備える第１プログラム可能コントローラであり、
ｂ．前記キャリッジコントローラは、少なくとも１つの作動プログラムを備えるキャリッジプログラム可能コントローラであり、
ｃ．前記ポリマー導入コントローラは、少なくとも１つの作動プログラムを備えるポリマー導入プログラム可能コントローラであることを特徴とする成形システム。
【請求項２４】
請求項２２に記載の成形システムにおいて、当該成形システムがさらに、
ａ．案内経路を備えており、
ｂ．前記案内経路がループ状案内経路であり、
ｃ．前記ポリマー導入ステーションと前記成形品取り外しステーションとの各々が前記案内経路に沿って別々に位置決めされており、
ｄ．各キャリッジが、前記案内経路に沿って別々に独立して移動可能であり、前記案内経路によって直接的に案内されることを特徴とする成形システム。
【請求項２５】
請求項２４に記載の成形システムにおいて、
ａ．前記案内経路が案内トラックであり、
ｂ．前記案内トラックがループ状案内経路であり、
ｃ．各キャリッジの前記駆動機構が前記案内トラックに駆動可能に係合することを特徴とする成形システム。
【請求項２６】
請求項２５に記載の成形システムにおいて、当該成形システムがさらに、
ａ．前記案内トラックから分離した電源コードを備えており、
ｂ．前記電源コードが、各キャリッジに電気的に連結されて、各キャリッジに電力を供給し、
ｃ．前記電源コードがループ状電源コードであることを特徴とする成形システム。
【請求項２７】
請求項２６に記載の成形システムにおいて、前記電源コードが、
ａ．各キャリッジのための電源ボックスを備えており、
ｂ．各電源ボックスが、前記電源コードに電気的にかつ移動可能に接続されており、
ｃ．各電源ボックスが電源ケーブルを備えており、各キャリッジ及び電源ボックスがキャリッジ−電源ボックスの対を形成しており、
ｄ．各キャリッジ−電源ボックスの対では、
ｉ．前記電源ケーブルが、前記キャリッジに電気的に接続されて、前記キャリッジに電力を供給し、
ｉｉ．前記キャリッジが、前記キャリッジから前記電源ボックスに向かって外側に延びる引っ張りロッドを備えており、
ｉｉｉ．前記引っ張りロッドが、当該引っ張りロッドに沿ってスライド可能かつ逆動可能に移動可能なシリンダを備えており、
ｉｖ．前記シリンダと前記電源ボックスとが、その間に電力が転送されないシリンダ−電源ボックス物理的接続を有しており、
ｖ．さらに、前記キャリッジが前記案内トラックに沿って移動する際に、前記引っ張りロッド、前記シリンダ及び前記シリンダ−電源ボックス物理的接続が、前記電源コードに沿って前記電源ボックスを引っ張って前記電源コードと電気的に接続させ、それによって、前記キャリッジに対する前記電源ケーブルの電気的な接続を維持することを特徴とする成形システム。
【発明の詳細な説明】
【技術分野】
【０００１】
本願は、２００８年１０月２３日に出願された米国特許仮出願第６１／１０７，７１６号の優先権を主張する。
【０００２】
本発明は、成形プラスチック製品を形成する方法及び成形システムに関する。特に、本発明は、無線制御によって成形作業を実施することに関する。
【背景技術】
【０００３】
成形プラスチック品の形成は、通常、例えば型内又は型上にプラスチック材料（例えば溶融プラスチック材料）を導入する工程、型内又は型上で成形品を形成する工程（通常は、冷却手順を含む）、型から成形品を取り外す工程などの多くの作業を有する。圧縮成形の場合、例えば下型の半部分内又は半部分上に予め導入されたプラスチック材料に対して上型の半部分が押し付けられる圧縮作業がなされる。
【０００４】
様々な成形作業が同じ場所で実施されてよいものの、このことは製造の非効率性を結果として生じ得る。例えば成形作業、冷却作業及び離型作業の間、型（例えば押出成形機）内にプラスチック材料を導入するために用いられる装置は通常、他の作業が完了して型が清掃されるまで、空運転の状態で休止しなければならない。
【０００５】
製造の非効率性を改善するため、様々な成形作業が、別々の場所すなわちステーションに配置されてよく、１以上（通常は２以上）の型が様々なステーション同士の間で動かされる。このことは、異なる作業の同時実行を可能にする。１つのアプローチでは、２以上の型が、別々の型作業ステーション（例えば、別々のポリマー注入、成形又は圧縮及び離型ステーション）を有する直線ラインに沿って前後に動かされる。しかしながら、直線ラインのアプローチによって、たいていは少なくとも１つの作業が、設備コストを増大させる結果を招き得る直線ラインの通常は末端で又は末端近くで二重化されなければならない。例えば、末端離型ステーションの各々と１つの中心に配置されたポリマー導入ステーションとの間に別々の圧縮成形ステーションが配置されると、直線ラインの両端に離型ステーションが配置されなければならないことがあり得る。
【０００６】
別のアプローチでは、各アームの端部に型を有する回転アームシステムが採用され得る。回転アームシステムの登録された各旋回によって、各型は１つのステーションから次のステーションに動かされる。しかしながら、回転アーム成形システムは、様々な直線速度で１以上の型を動かすことを必要とする成形プロセスでの使用に特に適しているわけではない。通常は剛体の回転アームシステムでは、１つのアームが動くと、すべての他のアームが動く。例えば、圧縮成形プロセスでは、下型は、（例えば、内側型面に対してプラスチック材料のほぼ均一な分布を達成するために）プラスチック材料が下型に導入される間に相互に及び／又は可変の直線速度で動かされなければならない。例えば圧縮成形工程などの他の作業中の型の直線運動は通常は望ましくない。さらに、大きな成形品の形成は、大きくて費用がかかる上にたいてい作業が困難な重い回転アームシステムの構築を必要とする。
【０００７】
そこで、成形プラスチック製品を形成する新しい方法及びシステムを開発する要求がある。特に、そうした新しく開発された方法及びシステムが、最小限の作業及び設備の二重化と、製造の効率性の向上とに関連した別々の好適には様々な成形関連作業の同時実行を可能にすることが望ましい。
【発明の概要】
【０００８】
この要求は本発明によって満たされ、本発明は、成形品を形成する方法を提供し、当該方法は：成形システムであって、無線通信に従事するように構成される主コントローラと、少なくとも１つのキャリッジであって、各キャリッジが自己推進されて、内側型面を有する型を備える少なくとも１つのキャリッジと、駆動機構に駆動可能に連結される駆動モータを備える推進システムと、推進システムに作動可能に連結されるキャリッジコントローラと、キャリッジコントローラに連結されるキャリッジ位置表示器と、キャリッジコントローラが主コントローラと無線で通信するように構成されており、ポリマー導入装置を備えるポリマー導入ステーションと、ポリマー導入装置に作動可能に連結されるポリマー導入コントローラと、主コントローラがポリマー導入コントローラに制御可能に連結されており、成形品取り外しステーションと、を備えており、主コントローラは、各キャリッジ、ポリマー導入ステーション及び成形品取り外しステーションに対して離れて配置されており、各キャリッジは、ポリマー導入ステーションと成形品取り外しステーションとの間に逆動可能に位置決めされており、主コントローラは、各キャリッジコントローラと無線で制御可能に通信するように構成されており、主コントローラは各キャリッジとの物理的接続を有していない、成形システムを提供する工程と；各キャリッジのキャリッジ位置表示器によって各キャリッジの位置をほぼ連続して特定する工程と；キャリッジ位置表示器から各キャリッジのキャリッジコントローラに各キャリッジの位置をほぼ連続して送信して、各キャリッジのキャリッジコントローラから主コントローラに各キャリッジの位置をほぼ連続して無線で通信する工程と；主コントローラからキャリッジコントローラにポリマー導入ステーション位置指令を無線で通信して、キャリッジコントローラから推進システムに作動ポリマー導入ステーション位置命令を提供し、対応してキャリッジの移動を制御し、それによってポリマー導入ステーションにキャリッジを位置決めする工程と；主コントローラからポリマー導入コントローラにポリマー導入指令を通信して、ポリマー導入コントローラからポリマー導入装置に作動ポリマー導入命令を提供し、それによって、ポリマー導入装置から型の内側型面に接触するようにポリマー合成物を導入し、それによって成形品を形成する工程と；主コントローラからキャリッジコントローラに成形品取り外しステーション位置指令を無線で通信して、キャリッジコントローラから推進システムに作動成形品取り外しステーション位置命令を提供、対応してキャリッジの移動を制御し、それによって成形品取り外しステーションにキャリッジを位置決めする工程と；成形品取り外しステーションでキャリッジの型から成形品を取り外す工程と、を備える。
【０００９】
本発明によれば、上述の成形システムがさらに提供され、主コントローラは、各キャリッジ、ポリマー導入ステーション及び成形品取り外しステーションに対して離れて配置されており、各キャリッジは、ポリマー導入ステーション及び成形品取り外しステーションの間に逆動可能に位置決め可能であり、主コントローラは、各キャリッジコントローラと無線で制御可能に通信するように構成されており、主コントローラは各キャリッジとの物理的接続を有しておらず、さらに、成形システムの作業は、各キャリッジのキャリッジ位置表示器によって各キャリッジの位置をほぼ連続的に特定することと、キャリッジコントローラから各キャリッジの主コントローラに各キャリッジの位置をほぼ連続的に送信することと、各キャリッジのキャリッジコントローラから主コントローラに各キャリッジの位置をほぼ連続的に無線で通信することと、主コントローラからキャリッジコントローラにポリマー導入ステーション位置指令を無線で通信することと、キャリッジコントローラから推進システムに作動ポリマー導入ステーション位置命令が提供されることと、対応してキャリッジの移動が制御されることと、それによってキャリッジがポリマー導入ステーションに位置決めされることと、主コントローラからポリマー導入コントローラにポリマー導入指令を通信することと、ポリマー導入コントローラからポリマー導入装置に作動ポリマー導入命令が提供されることと、ポリマー導入装置から型の内側型面に接触するようにポリマー合成物が結果として導入されることと、それによって成形品が結果として形成されることと、主コントローラからキャリッジコントローラに成形品取り外しステーション位置指令を無線で通信することと、キャリッジコントローラから推進システムに作動成形品取り外しステーション位置命令が提供されることと、対応してキャリッジの移動が制御されることと、それによって成形品が型から取り外される成形品取り外しステーションにキャリッジが位置決めされることと、を備える。
【００１０】
本発明を特色づける特徴は、この開示に添付されてこの開示の一部を形成する特許請求の範囲に特に示される。本発明のこれらの特徴及び他の特徴、その機能的な利点、及び、その使用によって得られる特定の物は、本発明に係る（限定されないものの）好適な実施形態を図示し説明する以下の詳細な説明及び添付の図面に基づきさらに十分に理解されるであろう。
【００１１】
明細書及び特許請求の範囲で用いられるように、方向及び位置に関する用語、例えば「上」、「下」、「内」、「外」、「右」、「左」、「垂直」、「水平」、「頂上」、「底」、及び、同類の用語は、図面で方向付けられて描かれるように本発明を説明するために用いられる。別の方法で示されない限り、これらの用語の使用は本発明の範囲を限定することを意図しておらず、本発明の範囲では本発明は代替の位置及び方向を採用してもよい。
【００１２】
別の方法で示さない限り、例えば構造の寸法、構成要素の数などを表すすべての数又は表現は、明細書及び特許請求の範囲で用いられるように、すべての例において用語「およそ」で修飾されるものとして理解される。
【図面の簡単な説明】
【００１３】
【図１】本発明に係る成形システムを示す上面図である。
【図２】複数のキャリッジを有する本発明に係る成形システムの斜視図である。
【図３】本発明の成形システムの様々な第２コントローラに連結される主コントローラを示す図である。
【図４】本発明に係るキャリッジの推進システムを示す正面図である。
【図５】本発明に係る成形システムのキャリッジの様々な要素に連結されるキャリッジコントローラを示す図である。
【図６】本発明に係る成形システムのポリマー導入ステーションの様々な要素に連結されるポリマー導入ステーションを示す図である。
【図７】本発明に係る成形システムの、キャリッジと持ち上げられた電源コードとの間の可動電力連結を示す正面図である。
【図８】本発明に係る成形システムの圧縮成形ステーションを示す正面図である。
【図９】細長いスロットから加熱された熱可塑性シートを押し出すシートダイを示す斜視図である。
【図１０】実際に使用されている細長スロットを示す、図９のシートダイの底面図である。
【図１１】相互作用手段が物理的に作動されるスイッチ手段を有するキャリッジ位置表示器システムを示す斜視図である。
【図１２】相互作用手段が光学手段を有するキャリッジ位置表示器システムを示す斜視図である。
【図１３】シートダイから押し出される加熱された熱可塑性シートとともに本発明に用いられ得るシート成形装置を示す斜視図である。
【図１４】押出成形機と第１型部用の別々の真空ポンプとをさらに有する図１３のシート成形装置を示す斜視図である。
【図１５】加熱された熱可塑性シートがシート保持器の一部を横切って第１型部の一部にまたがって広がる図１３のシート成形装置を示す斜視図である。
【図１６】加熱された熱可塑性シートがシートダイから切り離されて各シート保持器のクランプ部内に保持される図１５のシート成形装置を示す斜視図である。
【図１７】各シート保持器のクランプ部内に保持される加熱された熱可塑性シートとともにフレームが垂直方向に下側に移動した図１６のシート成形装置を示す斜視図である。
【図１８】シート保持器のクランプ部内に保持されたまま加熱された熱可塑性シートが減圧によって引き寄せられて第１型部の内側面に輪郭を合わせ込まれつつ接触する、図１７のシート成形装置を示す斜視図である。
【図１９】第２ねじアクチュエータアセンブリ（５８０）の斜視図を提供する、図１５のシート成形装置の代替の斜視図である。
【図２０】垂直落下の底部のほぼ近くに位置決めされるフレームとともに、第１型部、フレーム及びシート保持器のみを示す平面図である。
【図２１】開き位置及び閉じ位置の間の様々なステージのシート保持器のクランプ部材を示す、図２０のものと同様の第１型部、フレーム及びシート保持器の配列を示す部分切断斜視図である。
【図２２】本発明のシート成形の実施形態に用いられ得るシート保持器の後側部分に面する斜視図である。
【図２３】図２２のシート保持器の前側部分に面する斜視図である。
【図２４】シート保持器の下側を示す図２２のシート保持器の前側部分に面する斜視図である。
【図２５】本発明のシート成形の実施形態で形成されて用いられる加熱された熱可塑性シートの第２面を示す平面図である。
【図２６】第２型部をさらに有する図１８に示される型装置の一部を示す部分側断面図である。
【発明を実施するための形態】
【００１４】
図１〜図２６において、別の方法で示されない限り、同一の構成要素及び同一の構造的特徴には同一の参照符号が付される。
【００１５】
図１を参照すると、本発明の方法は、無線通信に従事するように構成される主コントローラ１２を有する成形システム１を提供する工程を包含する。成形システムはまた、少なくとも１つのキャリッジ１５と、ポリマー導入ステーション１８と、成形品取り外しステーション２１と、を有する。主コントローラは、各キャリッジ、及び、成形システムの各ステーション（例えばポリマー導入ステーション、任意選択的な圧縮成形ステーション、及び成形品取り外しステーション）に対して離れて配置される。
【００１６】
成形システムの各キャリッジ（例えばキャリッジ１５）は、自己推進され、内側型面２７を有する型２４を有する。キャリッジによって支持されて運搬される型は、例えば、射出成形型、圧縮型、及び／又は、熱成形型を含む当該技術分野で認識されている型から選択されてよい。射出成形型の場合、キャリッジ上にある射出成形型は通常、熱可塑性又は熱硬化性のプラスチック合成物が注入される実質的に密閉された（２以上の逆進可能に位置決め可能な隣接した型部分によって形成される）内側型空間を有する。圧縮成形では、圧縮型は通常、キャリッジ上にある下型部分を有しており、下型部分上にプラスチック材料が堆積させられ、下型部分はその後、圧縮成形ステーションまでキャリッジ上で運搬され、圧縮成形ステーションでは、上型部分が、予め堆積したプラスチック材料に圧力を受けて接触する。熱成形プロセスでは、熱成形型はキャリッジ上にあり、加熱された熱可塑性樹脂シートがその型面と密接に接触する。
【００１７】
図４を参照すると、各キャリッジは、駆動機構３６に駆動可能に連結される駆動モータ３３を有する推進システム３０をさらに有する。推進システムは、成形システムの様々なステーション（例えば、ポリマー導入ステーション、任意選択的な圧縮成形ステーション、及び成形品取り外しステーション）同士の間で各キャリッジを逆進可能に独立して位置決め可能なものにする。駆動機構は、地面若しくは床又は例えば案内トラックなどの他の要素と駆動可能に直接的に係合する例えばホイール（例えば滑らかに動くホイール及び歯車）及び／又はトラックなどの公知の駆動機構から選択されてよい。参照のため及び図に描かれるように、駆動機構３６は、本明細書でさらに詳細に説明されるように、摩擦によって回転可能かつ駆動可能に案内トラック３９に係合する実質的に滑らかに動くホイールの形態である。駆動モータは、例えばチェーン、ベルト又は駆動シャフトなどの任意の適切な手段によって駆動機構に駆動可能に連結されてよい。例えば、駆動モータ３３は駆動シャフト４２によって駆動機構３６に駆動可能に連結される。
【００１８】
駆動機構は適切な手段によってキャリッジに接続されてよい。例えば、駆動機構３６は、第１上方延在支持体４８及び第２上方延在支持体５１によってキャリッジ１５に連結される。第１及び第２駆動機構支持体（例えば４８、５１）は、キャリッジの下側に回転可能に係合するプレート（図示せず）に取り付けられてよい。駆動モータ３３はまたキャリッジに通常は固定して取り付けられる。例えば、駆動モータ３３は、上方延在支持体５６によってキャリッジ１５の下側５３に取り付けられる。図４及び図８を参照されたい。
【００１９】
成形システムの各キャリッジは、当該技術分野で認識されているステアリング機構から選択され得るステアリング機構（図示せず）を任意選択的に独立してさらに有してよい。ステアリング機構は、推進システムの一部であってよく及び／又は推進システムと別々であってよく、特に、キャリッジの駆動機構の特定の一部であってよい。例えば、駆動機構３６は、その垂直軸線回りに制御可能に回転可能であってよく、それによってキャリッジを駆動して操縦する。代替として又はそこに追加して、キャリッジは、駆動機構３６とは別々の１以上のホイールを有してよく、各々はそれらの垂直軸線回りに制御可能に回転可能である。一実施形態では、キャリッジの駆動機構は、各々が別々に（例えばトランスミッションによって）駆動される２つの別々のほぼ平行なトラックの形態である。キャリッジを操縦するため又は回転させるため、一方のトラックが停止される一方で他方のトラックは駆動され続けてよく、又は、各々のトラックが他方のトラックと反対の方向に駆動されてよい。
【００２０】
キャリッジ１５はまた、主コントローラ１２と無線で通信するように構成されるキャリッジコントローラ４５（図４）を有する。キャリッジコントローラは、キャリッジの推進システムに作動可能に連結される。本明細書及び特許請求の範囲で用いられるように、用語「作動可能に連結される」及び例えば作動連結などの同様の用語は、装置の作動を制御するように装置（例えばキャリッジ推進システム）に連結される第２コントローラ（例えばキャリッジコントローラ）を意味している。本明細書で用いられるように、用語「第２コントローラ」及び同様の用語は、主コントローラ以外のコントローラ、及び、成形システムの一部（例えばキャリッジ又はステーション）の作動を制御するコントローラを意味している。本発明の成形システムでは、第２コントローラは、限定されないものの、キャリッジコントローラ、ポリマー導入コントローラ、任意選択的な圧縮型コントローラ、及び任意選択的な成形品取り外しステーションコントローラを含む。
【００２１】
第２コントローラ及び装置（その作動が第２コントローラによって制御される）の間の作動連結は、無線による連結（例えば無線通信を包含する）、又は、物理的な（又は直接的な）連結であってよい。本発明の物理的連結は、機械的連結及び／又は電気的連結から選択されてよく、より通常は電気的連結から選択される。本発明の方法及びシステムに用いられ得る物理的連結は、（例えばアルミニウムケーブル及び／又は銅ケーブルを備える）例えば金属ケーブルなどの配線による連結から通常は選択されてよく、より具体的には、イーサネット（登録商標）ケーブル、デバイスネットケーブル及び／又はシリアルケーブルであってよい。通常、本発明では、例えばキャリッジコントローラ又はステーションコントローラなどの第２コントローラと特定の装置との間の作動連結は、物理的連結、及び特に、配線による連結である。アナログ及び／又はデジタルの形態の作動命令及び／又はデータは作動連結を通じて移され又は送信されてよい。より具体的には、デジタル形式及び／又はアナログ形式の複数の信号及び／又はデータは、例えば多重化などの当該技術分野で認識された方法に従って、単一の作動連結（例えば物理的な又は無線による作動連結）を通じて同時に送信されてよい。
【００２２】
図４を参照すると、キャリッジコントローラ４５は、物理的連結５９によって推進システム３０に作動可能に連結される。特に、キャリッジコントローラ４５は、物理的連結５９によって駆動モータ３３に作動可能に連結される。キャリッジコントローラ４５は、物理的連結５９を通じて送られるアナログ信号及び／又はデジタル信号によって、駆動モータ３３の作動及び対応して推進システム３０の作動を制御してよい。さらに、キャリッジコントローラ４５は、同一の物理的連結５９を通じて駆動モータ３３からのアナログ信号及び／又はデジタル信号を受信してよい。
【００２３】
キャリッジはまた、キャリッジコントローラに連結されるキャリッジ位置表示器を有する。キャリッジ位置表示器は、本明細書でさらに詳細に説明されるように、単独で、又は、キャリッジとは別々の要素（例えば別々の位置表示器又はステーション位置表示器）との組み合わせで、成形システムの様々なステーションの中の及びステーション同士の間でキャリッジが移動する際にキャリッジの位置を特定する。キャリッジの位置は、キャリッジ位置表示器からキャリッジのコントローラに送信され、その後、キャリッジコントローラから主コントローラに無線で送信される。キャリッジコントローラとキャリッジ位置表示器との間の連結は、無線連結又は物理的連結であってよく、より通常は物理的連結である。図５を参照すると、キャリッジ制御システム３は、物理的連結６５によってキャリッジコントローラ４５に連結されるキャリッジ位置表示器６２を有する。キャリッジコントローラ４５とキャリッジ位置表示器６２との間の通信の性質は、表示器６２からキャリッジコントローラ４５に送信されるデータを通常は包含しており、キャリッジコントローラ４５からキャリッジ位置表示器６２への作動命令の送信を通常は包含していない。こうして、キャリッジコントローラ及びキャリッジ位置表示器の間の連結は作動連結ではなく主としてデータ送信による連結である。
【００２４】
本発明の成形システムはさらにポリマー導入ステーションを有する。図１を参照すると、ポリマー導入ステーション１８はポリマー導入装置７１に作動可能に連結されるポリマー導入コントローラ６８を有する。ポリマー導入コントローラ６８とポリマー導入装置７１との間の作動連結は、無線による連結又は物理的な連結であってよく、より通常は、例えば物理的連結７４などの物理的連結である。ポリマー導入コントローラ６８は物理的連結７４によってポリマー導入装置７１の作動を制御する。主コントローラ１２はポリマー導入コントローラ６８に制御可能に連結される。主コントローラ１２及びポリマー導入コントローラ６８の間の制御可能な連結は、無線による連結又は物理的連結であってよく、より通常は、例えば物理的連結７７などの物理的連結である。
【００２５】
ポリマー導入装置は、例えばシングルスクリュー押出成形機、協働回転又は逆回転２軸スクリュー押出成形機、例えばバンバリーミキサーなどの内部ミキサー又は合成機、及び、その組み合わせなどの当業者に公知の装置から選択されてよい。通常、ポリマー導入装置は、押出成形機であり、特に、複数の可変構成スクリューの射程及び温度制御ゾーンを有するシングルスクリュー押出成形機である。
【００２６】
本明細書で及び特許請求の範囲で用いられるように、用語「制御可能に連結される」及び例えば「制御連結」などの同様の用語は、主コントローラと成形システムの第２コントローラ（例えばキャリッジコントローラ又はステーションコントローラ）との間の連結を意味している。主コントローラは、制御連結によって様々な第２コントローラへの指令を提供する。本明細書及び特許請求の範囲で用いられるように、用語「指令」は、主コントローラから第２コントローラに提供される１以上の命令を意味している。本発明の方法及び装置では、主コントローラは、成形システム内でのすべての作動の手順を監視して保持しており、（成形システムの状態に依存した）特定の回数で、第２コントローラに指令を提供し、その後、第２コントローラに、作動可能に連結される様々な装置に作動命令を提供させる。
【００２７】
主コントローラは、複数の制御プログラムを有する少なくとも１つのプロセッサを有するプロセッサベースのコントローラであり、複数の制御プログラムを備えるプログラム可能な主コントローラとして説明されてよい。第２コントローラの各々は独立して、プロセッサベースの又は非プロセッサベースのコントローラであってよい。プロセッサベースの第２コントローラは、１以上の作動コンピュータプログラム（例えば、開ループ及び／又は閉ループのコンピュータプログラム又はソフトウェア）を有する少なくとも１つのプロセッサを有しており、いずれの場合にも、少なくとも１つの作動プログラムを備えるプログラム可能な第２コントローラとして説明されてよい。非プロセッサベースの第２コントローラは、通常はプロセッサユニットを有しておらず、代わりにアナログ及び／又はデジタル回路を有する。より通常は、第２コントローラはプロセッサベースのコントローラである。指令が主コントローラから第２コントローラに通信される場合、第２コントローラの１以上のプログラム（プロセッサベースの第２コントローラの場合）又は回路（非プロセッサベースの第２コントローラの場合）が起動される。第２コントローラの作動プログラム又は回路は、主コントローラからの指令を受信すると、連続的に及び／又は同時に（例えばカスケードによる方法で及び／又は一斉に）作動してよい。主コントローラからの指令は、相対的に単一のフォーマットを有してよく、オンオフ命令又は許可／中止命令として有効に機能してよい。代替として、主コントローラからの指令は、例えば複数の命令を有するさらに複雑なフォーマットを有してよい。
【００２８】
本発明の一実施形態では、主コントローラ及び第２コントローラの各々はプロセッサベースのコントローラである。より具体的には、主コントローラは、複数の制御プログラムを備える主プログラム可能なコントローラであり、第２コントローラの各々は独立して、少なくとも１つの作動プログラムを備える第２プログラム可能コントローラであり、例えば、キャリッジコントローラは、少なくとも１つの作動プログラムを備えるキャリッジプログラム可能コントローラであり、ポリマー導入コントローラは、少なくとも１つの作動プログラムを備えるポリマー導入プログラム可能コントローラである。
【００２９】
例えば主コントローラなどのプロセッサベースの（又はプログラム可能）コントローラの様々な構成要素は、図３を参照してさらに具体的に説明され得る。図３に示されるように、主コントローラ１２は、主中央プロセッサユニット１５６を有しており、主中央プロセッサユニット１５６は、複数の制御プログラム（成形システムの様々なステーションの作動を指示して制御するように設計されるコンピュータプログラム）を包含するか、又は、コンピュータプログラムに基づいて作動可能である。通常、主コントローラのコンピュータプログラム又は複数のコンピュータプログラムは、例えばＲｏｃｋｗｅｌｌ  Ａｕｔｏｍａｔｉｏｎ（ロックウェルオートメーション）から入手可能なＲＳＬｏｇｉｘ５０００などのラダーロジックコンピュータプログラムから選択される。主中央プロセッサユニット１５６は、主データベース連結１６２によって主データベースユニット１５９に通常は連結されている。主データベースユニット１５９は通常、データベース連結１６２を介して主中央プロセッサユニット１５６によって記憶される及び／又は回復される複数のデータベース（例えば、図示されるようにＤＢｉ〜ＤＢｎ）を有する。主コントローラ１２は、主メモリ連結１６８によって主中央プロセッサユニット１５６に連結される主メモリユニット１６５をさらに任意選択的に有してよい。任意選択的な主メモリユニット１６５は、例えばデータ、データベース及び／又は１以上のコンピュータプログラムなどの追加情報を記憶するために用いられてよい。代替構造では、主データベースユニット１５９及び主メモリユニット１６５は結合されて実質的に中央集中データベース／メモリユニットをともに形成する。
【００３０】
主ユーザインターフェースユニット１７１が、主コントローラ１２の一部を通常は形成し、主ユーザインターフェース連結１７４によって主中央プロセッサユニット１５６に連結される。主ユーザインターフェースユニット１７１は通常、キーボードユニット及び映像モニタユニット（図示せず）を有する。主ユーザインターフェースユニット１７１は、人間のユーザが、主プログラム可能コントローラ１２及び特にその主中央プロセッサユニット１５６と相互作用する（例えばデータを入力する及び／又は回復する、コマンドを入力する、プログラムを入力する、及び／又は、任意のステーションを含む成形システムの状態をモニタする）ことを可能にする。主コントローラ１２は、主中央プロセッサユニット１５６に連結される１以上のデータ送信ポート（図示せず）を任意選択的に有してよく、データ送信ポートは、主中央プロセッサユニット１５６内への及び／又は外へのデータ及び／又はプログラムの送信を可能にする。一実施形態では、データ送信ポートは、ＵＳＢケーブルのアダプタ又はフラッシュ（又はスティック）メモリ装置が受け入れられるユニバーサルシリアルバス（すなわちＵＳＢ）ポートから選択される。
【００３１】
主コントローラ１２はまた、主入出力連結１７７によって主中央プロセッサユニット１５６に連結される主入出力ユニット８０を通常は有する。主入出力ユニット８０は主要ユニットであり、それによって主プロセッサユニット１５６は、無線による及び／又は物理的な制御連結によって成形システムの様々な第２コントローラに指令を提供し、第２コントローラからデータを任意選択的に受信する。主入出力ユニット８０は、物理的な制御連結７７によってポリマー導入コントローラ６８に、物理的な制御連結１８３よって任意選択的な圧縮成形コントローラ１８０に、及び、物理的な制御連結１８９によって任意選択的な成形品取り外しステーションコントローラ１８６に、制御可能に連結される。主入出力ユニット８０はさらに、矢印８９及び９２によって表されるように、キャリッジコントローラ４５の無線通信ノード８６と無線通信（例えば無線制御連結）を提供する無線通信ノード８３（例えば無線周波数トランシーバ）を有する。
【００３２】
主コントローラの様々なユニットは単一のハウジングユニット１９２内に実質的に収容されてよい。通常、主中央プロセッサユニット１５６、主データベースユニット１５９及び任意選択的な主補助メモリユニット１６５がハウジングユニット１９２内に収容され、主ユーザインターフェースユニット１７１及び／又は主入出力ユニット８０、又はその一部がハウジング１９２の外側に任意選択的に配置されてよい。
【００３３】
本発明の成形システムの第２プロセッサベース（又はプログラム可能）コントローラは各々独立して、図３の主コントローラ１２に従って形成される及び参照して上述される第２中央プロセッサユニット、第２データベースユニット、任意選択的な第２補助メモリユニット、第２ユーザインターフェースユニット、及び、第２入出力ユニットを有する。
【００３４】
各第２プログラム可能コントローラは通常、主コントローラの主入出力ユニットに制御可能に連結される第２入出力ユニットと、第２プログラム可能コントローラとの通信の制御に基づく１以上の装置に作動可能に連結される少なくとも１つのさらなる第２入出力ユニットと、を有する。特定の第２入出力ユニットは、他の第２プログラム可能コントローラの第２入出力ユニットに（例えばデータ送信のために）直接的に連結（すなわち、主コントローラを通じて間接的に連結される以外）されてよい。より通常は、各第２プログラム可能コントローラは、任意の他の第２プログラム可能コントローラに直接的に連結されていない。より通常は、任意の所定の第２プログラム可能コントローラの第２入出力ユニットは、任意の他の第２プログラム可能コントローラの第２入出力ユニットに直接的に連結されていない。
【００３５】
主及び第２プログラム可能コントローラは、例えば図３を参照して説明されるように、同様に形成されてよい一方で、主プログラム可能コントローラは概して、各第２プログラム可能コントローラよりも大きなメモリ容量及びプロセッサ速度を有する。例えば、本発明の成形システム及び方法によれば、主プログラム可能コントローラは通常、３０００〜６０００（例えば４０００）の入力及び出力を処理する一方で、各第２プログラム可能コントローラは通常、１００〜４００（例えば２００）の入力及び出力を処理する。
【００３６】
主コントローラの指令の下に作動することに加えて、１以上の第２コントローラは主コントローラとは別々に部分的に作動してよい。例えば、第２コントローラは、主コントローラからの指令がなくても、（例えば１以上のフィードバックループを介して）制御可能に連結される装置の温度を制御してよい。ポリマー導入コントローラは例えば、ポリマー材料が、型の内側型面に接触するように導入されるべきでない時、基準の閾値（又は保持）温度で作動可能に連結される押出成形機のバレルを維持してよい。
【００３７】
主コントローラはまた、制御連結を通じて第２コントローラからデータを受信してよい。主コントローラは、無線連結又は物理的連結によって第２コントローラに制御可能に連結されてよい。本発明の成形システム及び方法の特定の実施形態では、主コントローラは、無線制御連結によって各キャリッジコントローラに制御可能に連結され、主コントローラは、別々の物理的制御連結によってすべての他の第２コントローラ（例えばポリマー導入コントローラ、任意選択的な圧縮成形コントローラ、及び任意選択的な成形品取り外しステーションコントローラ）に制御可能に連結される。作動連結と同様に、アナログ形式及び／又はデジタル形式の指令及び／又はデータは制御連結を通じて受け渡されてよく又は送信されてよい。より具体的には、デジタル形式及び／又はアナログ形式の複数の指令、信号及び／又はデータは、例えば二重化などの当該技術分野で認識された方法に従って、単一の制御連結（物理的又は無線制御連結）を通じて同時に送信される。
【００３８】
主コントローラは、各キャリッジの物理的接続から離れており、かつ、物理的接続がなく、各キャリッジコントローラに無線で制御可能に通信するように構成される。対応して、各キャリッジコントローラは、主コントローラに無線で通信するように構成される。主コントローラ及び各キャリッジコントローラは、公知の手段によって無線通信に従事するように各々構成される。例えば、主コントローラ及び各キャリッジコントローラは、無線通信ノードをさらに有する入出力ユニットを各々有する。主コントローラと各キャリッジコントローラとの間の無線通信は、例えばマイクロ波手段、赤外線手段、光学手段（例えばレーザ）、及び無線周波数手段などの公知の無線通信手段から選択されてよい。通常、主コントローラと各キャリッジコントローラとの間の無線通信は無線周波数手段によって実現される。無線周波数装置の使用は、見通し線なしで無線通信の実現を可能にする（いわゆる非見通し線通信）。例えば、９００ＭＨｚの帯域（例えば９００〜９２８ＭＨｚ）の無線周波数の使用は、相互の見通し線に位置決めされる装置を必要としない無線通信を提供する。
【００３９】
さらに、各キャリッジコントローラの主コントローラの制御（例えばキャリッジコントローラの不注意の起動又は不活性化）との相互干渉を最小限に抑えて、対応して主コントローラの制御の安全性を改善するために、主コントローラからの無線通信は符号化されてよい。例えば、デジタル無線周波数（例えばＦＭ）の符号化アルゴリズムが、当技術分野で認識された方法に従って採用されてよい。
【００４０】
無線周波数無線通信の場合、主コントローラ及び各キャリッジコントローラは、別々の送信機及び別々の受信機、又は単一のトランシーバユニットを各々独立して有してよい。通常は１以上のトランシーバが用いられる。
【００４１】
さらなる説明のため、図３を参照すると、主コントローラ１２は、無線通信ノード８３（例えば無線周波数トランシーバ）をさらに有する入出力ユニット８０を有する。キャリッジコントローラ４５はまた、無線通信ノード８６（例えば無線通信トランシーバ）を有する。主コントローラ１２の入出力ユニット８０のノード８３とキャリッジコントローラ４５のノード８６との間の無線通信は矢印８９及び９２によって示される。無線通信ノード８３は、主コントローラ１２の入出力ユニット８０に直接的に取り付けられてよい。代替として、無線通信ノード８３は、入出力ユニット８０に（例えば同軸ケーブルによって、図示せず）離れて物理的に取り付けられてよい。同様に、無線通信ノード８６は、キャリッジコントローラ４５に直接的に取り付けられてよく、又は、そこに（例えば同軸ケーブルによって、図示せず）離れて物理的に取り付けられてよい。例えばノードが取り付けられる（主又は第２）コントローラが有効に保護される場合（例えば無線周波数の放射による透過からの保護）、同軸ケーブルなどの無線通信ノードのための物理的な離れた接続の使用が望ましい。主コントローラ及び／又はキャリッジコントローラの保護は、例えば、その間に配置される構造（例えば構造的な指示ビーム）によって、及び／又は、機器（例えばキャリッジ上の型及び／又は熱交換器）によって生じる。
【００４２】
本発明の方法では、各キャリッジの位置は、各キャリッジのキャリッジ位置表示器によって実質的に連続的に特定される。図５を参照すると、キャリッジ位置表示器６２は、単独で、又は、キャリッジとは別々の要素、例えば別々の位置表示器９５との組み合わせで（例えば相互作用によって）キャリッジの位置を特定し、位置表示器９５は、本明細書でさらに詳細に説明されるように、ステーション位置表示器又はさらなる（非ステーションの）位置表示器であってよい。一実施形態では、三角測量アルゴリズムを有するプロセッサを有するキャリッジ位置表示器が、２以上の別々の固定位置表示器と（例えば反射レーザ光又は反射非光学電磁気放射によって）連続的に又は実質的に同時に相互作用し、それによって、三角測量によってキャリッジの位置を特定する。各キャリッジ（例えば１５）では、その位置は、いずれの場合も、キャリッジ位置表示器（例えば６２）からキャリッジコントローラ（例えば４５）に例えば無線連結又は物理的連結によって実質的に連続して送信される。一実施形態では、キャリッジ（例えば１５）の位置は、キャリッジ位置表示器６２からキャリッジコントローラ４５に物理的連結６５によって（例えば通じて）送信される。図１及び図５を参照されたい。
【００４３】
各キャリッジの位置は、その後、各キャリッジコントローラから主コントローラに実質的に連続して無線で通信される。例えば、キャリッジ１５の位置は、矢印９２（図５）によって示されるように無線で、キャリッジコントローラ４５の無線通信ノード８６から主コントローラ１２の無線通信ノード８３に通信されてよい。
【００４４】
こうして主コントローラに無線で各キャリッジの位置が通信されると、本発明の方法では主コントローラはその後、少なくとも１つの、及びより通常は単一のキャリッジコントローラに対してポリマー導入ステーション位置指令を通信する。主コントローラは通常、複数のコンピュータプログラムを有するプロセッサ（例えば主プロセッサ１５６）を有する。主プロセッサは、キャリッジ位置が取り入れられて（少なくとも一時的に）記憶される主メモリユニット（例えば１６５）及び／又は主データベースユニット（例えば１５９）に通常はリンクされる。キャリッジ位置情報は、主プロセッサに送信され又は主プロセッサからアクセスされ、主プロセッサ内で１以上のプログラムによって処理され、及び従って、キャリッジコントローラのためにポリマー導入ステーション位置指令が主コントローラによって無線で通信されることが特定される。
【００４５】
無線で通信されたポリマー導入ステーション位置指令を受信したキャリッジコントローラは、その後、キャリッジの推進システムに作動ポリマー導入ステーション位置命令を提供する。例えば、図４を参照すると、作動ポリマー導入ステーション命令は、キャリッジコントローラ４５から物理的連結５９を通じて駆動モータ３３に送信され、駆動モータ３３は、駆動シャフト４２によって駆動機構３６を駆動可能に回転させる。対応して、キャリッジの移動が制御され、こうしてポリマー導入ステーション（例えば１８）にキャリッジを位置決めする。
【００４６】
キャリッジは、本発明の方法における成形システムの様々なステーション同士の間で及び中で移動する時、キャリッジ位置表示器を介して各キャリッジの位置を特定する工程と、キャリッジコントローラにキャリッジ位置を送信する工程と、及び、主コントローラに各キャリッジの位置を無線で通信する工程と、が規則的に（例えば既定の間隔で）、かつ、特に実質的に連続して実行される。そうしてキャリッジがポリマー導入ステーションに位置決めされる時、その位置は、キャリッジ位置表示器によってそれに応じて特定され、キャリッジコントローラに送信され、その後、キャリッジコントローラから主コントローラに無線で通信される。
【００４７】
キャリッジがポリマー導入ステーションに位置決めされると、ポリマー導入指令は、その後、主コントローラからポリマー導入コントローラに通信される。ポリマー導入指令は無線連結又は物理的連結によって通信されてよい。通常、ポリマー導入指令は、主コントローラ（例えば１２）からポリマー導入コントローラ（例えば６８）に、例えば物理的連結７７（図１）などの物理的連結によって通信される。ポリマー導入コントローラ６８はその後、無線連結又は物理的連結によって、及びより通常は物理的連結（例えば７４、図１）によってポリマー導入装置（例えば７１）に作動ポリマー導入命令を提供する。そうして作動ポリマー導入命令がポリマー導入装置に提供されると、ポリマー合成物は、従って、型（例えば２４）の内側型面（例えば２７）に接触するように導入され、成形品がその結果として形成される。包含される特定の成形作業（例えば圧縮成形又は熱成形）に応じて、例えば圧縮及び／又は真空工程などの追加の成形工程が、本明細書でさらに詳細に説明されるように、成形品を形成するために必要とされてよい。
【００４８】
ポリマー導入コントローラによってポリマー導入装置に提供された作動ポリマー導入命令は、ポリマー導入装置の別々の構成要素に提供される及び／又はポリマー導入装置に関連する複数の別々の作動命令を包含してよい。説明の目的のため、図６を参照すると、ポリマー導入制御システム４は、第１端９８、末端（又は押出端）１０１、第１端９８に配置されるモータ１０４、及び、第１端９８及びモータ１０４から下流にあるものの第１端９８の近くに位置決めされる供給端１０７、を有する押出成形機７１を有する。例えば注入ポート（例えば液体及び／又は気体の注入ポート）などの追加の供給ポート（図示せず）が、供給ポート１０７に対して上流及び／又は下流のバレル１１０に沿って配置されてよい。モータ１０４は、回転して、押出成形機７１のバレル１１０内にあるねじ又は複数のねじを任意選択的に長手方向に往復移動させる。押出成形機７１の末端１０１は、その間に配置される管１１７によってダイ１１３（例えばシートダイ）と流体連通している。
【００４９】
本発明の方法及び装置に用いられる押出成形機は通常、バレルの長さに沿って１以上の温度制御された（例えば加熱された）領域を有する。押出成形機の領域の温度は、例えば油などの熱交換流体、又はより通常は、１以上の電熱コイルによって制御されてよい。図６に示されるように、押出成形機７１は６つの別々の温度制御領域を有しており、その各々は、各々がバレル１１０周りの別々の電熱コイル（図示せず）に電気的に接触する電気的連結１２３、１２６、１２９、１３２、１３５及び１３８によって温度コントローラ１２０に電気的に連結される。温度コントローラ１２０は通常、電気的連結（例えば１２３）に沿って電熱コイルに電気を伝達する電力ユニットである。電力は、電気的連結（例えば１２３〜１３８）によって、又は、別々の電源ケーブル（図示せず）によって、バレルの熱コイルに直接的に提供されてよい。電力が、別々の電源ケーブルによって押出成形機のバレルの熱コイルに提供されれば、電気的連結（例えば１２３〜１３８）は、熱コイルを起動し又は不活性化するためにさらに電力を供給することに役立つ。
【００５０】
押出成形機７１は、その下端に出口ポート１４４を有するポリマー供給材料ビン１４１をそこに連結しており、出口ポート１４４は、例えば仕切り（スルース）弁又は蝶形弁などのバルブ１４７によって逆動可能に閉鎖可能である。出口ポート１４４は、押出成形機７１の供給ポート１０７内にビン１４１の内容物を運ぶように位置決めされている（例えば供給ポートの垂直方向の上方に配置されている）。代替として、ポリマー供給材料は、出口ポート１４４から供給ポート１０７まで、その間を流体連通する管（図示せず）によって（例えばそこを通って通過する空気の高速流によって）運搬されてよい。ビン１４１内に収容されるプラスチック供給材料は、例えば、粒状又は小球状の形態の熱可塑性供給材料であってよい。追加の供給材料ビン（図示せず）がまた、追加の供給材料（例えばガラス繊維及び／又は他のプラスチック材料）を供給ポート１０７内に導入するように位置決めされてよい。
【００５１】
ポリマー導入コントローラ６８は、作動物理的連結７４（ａ）によって押出成形機のモータ１０４に作動可能に連結され、作動物理的連結７４（ｂ）によって温度コントローラ１２０に作動可能に連結され、及び、作動物理的連結７４（ｃ）によって（シートダイであってよい）ダイ１１３に作動可能に連結される。さらに、ポリマー導入コントローラ６８は、作動物理的連結１５０によってポリマー供給材料ビン１４１の弁１４７に作動可能に連結される。
【００５２】
再び図１を参照すると、ポリマー導入ステーション（例えば１８）にキャリッジ（例えば１５）が位置決めされると、ポリマー導入指令が、制御連結７７によって主コントローラ１２からポリマー導入コントローラ６８に通信される。ポリマー導入コントローラ６８はその後、制御可能に連結されるポリマー導入ステーションの様々な要素又はユニットに、同時に及び／又は連続して作動命令を提供する。例えば、図６では、ポリマー導入コントローラ６８は、作動連結１５０を介してポリマー供給ビン１４１の弁１４７に作動命令を提供し、それによって、弁１４７を開放して、押出成形機７１の供給ポート１０７内に既定の量のポリマー供給材料を運ぶ（そして、連続して弁１４７を閉鎖するように命令する）。ポリマー導入コントローラ６８はまた、作動連結７４（ａ）を介して押出成形機のモータ１０４に作動駆動命令を提供し、そのことがモータ１０４に押出成形機７１のバレル１１０内でねじ又は複数のねじを回転させる。モータ１０４は通常、その間に配置される伝動装置（図示せず）によってねじ又は複数のねじに接続される。作動連結７４（ｂ）を介してコントローラ６８から温度制御ユニット１２０に作動温度制御命令が提供され、温度制御ユニット１２０は対応して別々に、電気的連結１２３、１２６、１２９、１３２、１３５及び１３８によってバレル１１０の様々な領域の温度を制御する。
【００５３】
さらに図６では、様々なバレル領域からの温度データが、作動物理的連結７４（ｂ）によってポリマー導入コントローラ６８に戻るように送信されてよく、コントローラ６８内の押出成形機温度制御プログラムのフィードバックループに組み入れられる。押出成形機の温度データは、任意選択的に、制御連結７７を通じてポリマー導入コントローラ６８から主コントローラ１２に通信されてよく、主コントローラ１２では、主コントローラ１２内に包含される押出成形機作動データベース内に格納されてよい。
【００５４】
ポリマー材料及び任意の添加剤が、バレル１１０を通じて供給ポート１０７から下流に送られ、バレルでは溶融混合されて末端１０１に送られ、溶融混合ポリマー材料が末端１０１からバレルを出て、管１１７を通過してダイ１１３に流入する。溶融混合ポリマー材料は、押出物１５３の形態でダイ１１３から押し出され、押出物１５３は、ダイ１１３のタイプ及び構造に応じてシート、連続物又はチューブの押出物であり得る。ダイ１１３には、そこを通過する溶融混合ポリマー材料の流れ、そこから押し出される押出物１５３の対応の形状（幅及び／又は厚さを含む）及び量（例えば流速）を制御するように働く１以上のゲート（図６で図示せず）が取り付けられてよい。ポリマー導入コントローラ６８は、ダイ１１３の１以上のゲート（図示せず）と、対応してそこから押し出される押出物１５３の形状とを制御するために、作動物理的連結７４（ｃ）によってダイ１１３に作動命令を任意選択的に供給してよい。ダイのゲートの位置は、１以上の直線アクチュエータ（図示せず）によってさらに具体的に制御されてよい。圧縮成形又は熱成形の作業の場合には、キャリッジ１５と対応の型部分２４とがテンポを合わせて（ｘ軸、ｙ軸及び／又はｚ軸に沿って）その下の空間に動かされる時に押出物１５３の形状を変化させることが望ましい。
【００５５】
ポリマー導入コントローラ６８は、（主コントローラ１２に対して）実質的に自立してダイ１１３を制御して、ポリマー導入工程中の押出物１５３の形状を制御してよい。代替として、主コントローラが、ポリマー導入工程（例えばキャリッジ及び／又は型がｘ軸、ｙ軸及び／又はｚ軸に沿って再位置決めされる際）にポリマー導入ステーションでキャリッジの位置を追跡して任意選択的に直接的に制御する場合、主コントローラ１２は、ポリマー導入コントローラ６８に制御連結７７を介して１以上のダイゲート指令を提供することによってさらに直接的にダイ１１３を制御してよく、その後、（例えばダイゲート制御プログラムの）ダイゲート制御指令を処理して、制御連結７４（ｃ）を介してダイ１１３にダイゲート作動命令を送信する。
【００５６】
ポリマー合成物が型の内側型面と接触するように導入されると、そして、成形品が対応して形成されると、成形品取り外しステーション位置指令が主コントローラからキャリッジコントローラに無線で通信される。キャリッジコントローラはその後、キャリッジと、成形品取り外しステーション（例えば図１の２１）で成形品を包含する型と、を位置決めするために、キャリッジ推進システムに作動成形品取り外しステーション位置命令を提供する。ポリマー導入ステーション位置指令及び関連する作動ポリマー導入ステーション位置命令と同様に、成形品取り外しステーション位置指令が、主コントローラ１２の無線通信ノード８３からキャリッジコントローラ４５の無線通信ノード８６に無線で通信されてよい（例えば図５の矢印８９で示される）。キャリッジコントローラ４５はその後、物理的連結５９を介して駆動モータ３３に作動命令を提供し、駆動モータ３３は、成形品取り外しステーション２１にキャリッジ１５を位置決めするために、駆動シャフト４２によって駆動機構３６を駆動して回転させる。図４及び図５を参照されたい。
【００５７】
ポリマー導入ステーション内で（又はポリマー導入ステーションで）型から成形品を取り外すことは可能であるものの、ポリマー導入ステーションから離れた成形品取り外しステーションにキャリッジを位置決めすることは、例えばプロセスの効率を改善することを含む理由のために本発明の方法の重要な態様である。ポリマー導入ステーションから遠ざかって成形品取り外しステーションまでキャリッジを移動させることは、特に、別々のキャリッジが、ポリマー導入ステーションに進入することを可能にし、別の成形品の形成を同時に実行することを可能にする。さらに、キャリッジがポリマー導入ステーションから成形品取り外しステーションまで移動する間、例えば型の冷却及び対応した成形品の冷却などのさらなる作業が型及び成形品に対して実行されてよい。成形品が熱可塑性ポリマー合成物から形成される場合、融点未満の温度まで、好適には、熱可塑性合成物のガラス転移点未満の温度まで成形品を冷却することは、熱可塑性合成物の固化及び成形品の形成を可能にするので通常望ましい。熱硬化性又は熱可塑性の合成物では、型の冷却は、工場の従業員によってより安全に扱われ得るより低い温度を有する成形品を提供する。
【００５８】
キャリッジが、（例えば型と流体連通する熱交換器によって）型の温度と、キャリッジの前進速度と、を制御することによってポリマー導入ステーションから成形品取り外しステーションまで移動する際に、成形品の温度が低下し得る。一実施形態では、例えば、成形品の取り外し工程に先立った型及び成形品の追加の冷却を可能にするため、キャリッジの前進速度は、ポリマー導入ステーションから成形品取り外しステーションまでキャリッジが移動する際に低下し得る。型の温度及び（ポリマー導入ステーション及び成形品取り外しステーションの間の）キャリッジの前進速度は、特定のプログラムに基づいて、又は、（例えば型温度のフィードバックループから抽出された）型の温度データに応じて、主コントローラによって提供されて主コントローラから受信する追加の指令なしで、作動するサブルーチンに基づいて、キャリッジコントローラによって制御されてよい。
【００５９】
より通常は、キャリッジがポリマー導入ステーションから成形品取り外しステーションまで移動する際、主コントローラは、調整された型温度指令とキャリッジコントローラへのキャリッジの前進速度指令との組み合わせを提供することによって、型温度とキャリッジの前進速度とをより直接的に制御する。キャリッジコントローラはその後、例えば型熱交換器に型温度作動命令を対応して提供し、キャリッジ推進システムにキャリッジの前進速度命令を対応して提供する。ポリマー導入ステーションと成形品取り外しステーションとの間で型温度とキャリッジの前進速度とを主コントローラによってより直接的に制御することは、型温度データに加えて、主コントローラが、成形システム全体の状態（例えば成形システム内で他のキャリッジの位置及び状態）を受信して作動するので、有利である。例えば、キャリッジが成形システム内で故障すれば、主コントローラは、型のより遅い冷却を生じさせる型温度指令と、同時に、キャリッジが成形品取り外しステーションまでよりゆっくりと動く結果を生じさせるキャリッジ前進速度指令と、を提供してよい。
【００６０】
図５を参照すると、キャリッジ制御システム３は、熱交換供給管３７８及び熱交換復路管３８１を通じて型２４まで及び型２４から熱交換流体を提供する熱交換器である型温度制御装置３７５を有する。管３７８及び３８１は、温度制御装置３７５の型２４への連結を提供する。型２４は通常、内側型面２７の下側（又は背後）にある複数の熱交換管（図示せず）を有しており、熱交換管を通じて、内側型面２７及びそれに接触する任意のポリマー供給材料又は成形品の温度を上昇させ及び／又は低下させるために熱交換流体が通過する。型２４は少なくとも１つの型温度センサ３８４を有しており、型温度センサ３８４は、物理的連結３８７によってキャリッジコントローラ４５に連結され、任意選択的に、物理的連結３９０によって温度制御装置３７５にさらに連結される。キャリッジコントローラ４５は、物理的連結３９３によって温度制御装置３７５に作動可能に連結される。
【００６１】
型及び型温度装置がそのように形成されると、本発明の方法はさらに、各型温度センサ（例えば３８４）から物理的連結３８７を通じてキャリッジコントローラ４５に（例えば実質的に連続して）型温度値を送信する工程をさらに有する。型温度値は、型温度センサ３８４から物理的連結３９０を通じて温度制御装置３７５に任意選択的にさらに送信されてよい。温度制御装置が自身のプロセッサを有する場合には型温度値が型温度制御装置に送信されることが望ましく、そのことがキャリッジコントローラと別々の型のフィードバックループ制御を可能にする。さらに又は代替として、型温度制御装置に型温度を送信することは、物理的連結３９３を通じてキャリッジコントローラ４５に型温度値を送信することを可能にし、物理的連結３８７が失敗する場合には有利であり得る。
【００６２】
キャリッジコントローラへの型温度値の送信は、キャリッジコントローラが、温度値を処理して、主コントローラから無線で受信した型温度低下指令に応じて、型温度制御装置に通信される適切な作動型温度低下指令を定式化することを可能にする。キャリッジコントローラは、主コントローラに型温度値を無線で通信してもよく、主コントローラは、データベースに型温度値を記憶して、キャリッジコントローラに無線で通信されるべき適切な型温度低下指令を定式化するために型温度値を処理する。
【００６３】
ポリマー合成物が型２４の内側型面２７に接触するように導入された後、かつ、（成形品取り外しステーションで）型から成形品を取り外す前に、主コントローラ１２は、（例えば、矢印８９によって示されるように、キャリッジコントローラ無線通信ノード８６に主コントローラ無線通信ノード８３を介して）キャリッジコントローラ４５に型温度低下指令を無線で通信する。型温度低下指令は、内側型面に接触するようにポリマー材料を導入した後、かつ、より通常は（例えば、射出成形、圧縮成形、熱成形による）成形品の少なくとも部分的な形成後、主コントローラからキャリッジコントローラに無線で通信される。さらに、型温度低下指令は、より通常は、主コントローラからキャリッジコントローラに、成形品取り外しステーションにキャリッジを位置決めする前に（例えば、キャリッジがポリマー導入ステーションから成形品取り外しステーションに移動する際に）、無線で通信される。
【００６４】
型温度低下指令を受信すると、キャリッジコントローラ４５はその後、物理的連結３９３を通じて型温度制御装置３７５に作動型温度低下命令を供給する。温度制御装置３７５はその後、熱交換管３７８及び３８１を通じて型２４内で熱交換流体を循環させて、それによって型２４の温度を低下させる。より具体的には、内側型面２７の温度は低下し、及び従って、そこに接触するポリマー合成物／成形品の温度は低下する。
【００６５】
成形品取り外しステーション（例えばステーション２１）にキャリッジが位置決めされると、成形品は型から取り外され得る。成形品は、手で取り外されるか、又は、機械的手段（本明細書でさらに説明されるように、例えばロボット装置）によって取り外されてよい。成形品は、（例えば離型に先だって、離型中に、又は、離型後に）成形品取り外しステーション内で又は成形品取り外しステーションとは別々の位置で、及び同時に、成形システムから離れた位置又は成型システムの一部から離れた位置で、例えば仕上げ、塗装、及び／又は、（例えばドリル及び／又はパンチによる）開口の形成などの後成形作業を受けてもよい。例えば仕上げなどのいくつかの後成形作業は、成形品取り外しステーション内で少なくとも一部が実行されてよく、又は、（例えば、成形品取り外しステーション及びポリマー導入ステーションの間に配置される）成形システム内の後成形ステーションで実行されてよい。しかしながら、より通常は、後成形工程は、キャリッジが適切に再位置決めされて、特にポリマー導入ステーションに再位置決めされることを可能にするために、もしあれば、成形品取り外しステーション及び成形システムの両方から離れた位置で実行される。
【００６６】
各キャリッジは、案内経路を用いて又は案内経路を欠いて成形システムの様々なステーション同士の間及び中で独立して移動してよい。案内経路を欠く場合には、特定のキャリッジが、成形システムを通じて（又は通過して）前回のサイクルに対して一方のステーションから他方のステーションに（例えば、ポリマー導入ステーションから成形品取り外しステーションに）移動する際に、異なる経路を辿ってよい。例えば、成形システムの状態（例えば、すべてのキャリッジの位置及び作動状態）に応じて、主コントローラは、前回のサイクル又は通過でとった経路よりも、次のステーションまで異なる経路をとるように特定のキャリッジを移動させてよい。さらなる説明の目的のため、例えばキャリッジが（例えば作動していない推進システムに起因して）動かなくなると、そのことは成形システム内に障害物があることを示しており、その場合、主コントローラは、動かなくなったキャリッジを回避するために代替の経路をとるように他のキャリッジを移動させてよい。
【００６７】
本発明の一実施形態では、成形システムはさらに、実質的にループ状（例えば循環の閉ループ又は閉回路）の案内経路の形態である案内経路を有する。例えばポリマー導入ステーション及び成形品取り外しステーションなどの様々なステーションの各々は、ループ状案内経路に沿って別々に位置決めされる。さらに、各キャリッジは、案内経路に沿って別々に独立して移動可能であり、案内経路によって直接的に案内される。ループ状案内経路は、例えば、円形、楕円形、多角形（例えば三角形、長方形、正方形、五角形、六角形、七角形、八角形など、及びその組み合わせ）、不規則な形状、及びその組み合わせから選択される任意の適切な形状を有してよい（又は、平面図に対して描いてよい）。
【００６８】
案内経路及び例えば案内トラックなどの同様の用語に関して本明細書で及び特許請求の範囲で用いられるように、用語「ループ状の」は案内経路を意味しており、その案内経路に沿ってキャリッジが循環して及び反復的な方法で移動し又は通過し、その始点及び終点は、（案内経路上で又は案内経路に沿った）同一の地点又は位置を占有する際に明示される。さらに、ループ状の案内経路（又は案内トラック）は、閉ループの案内経路であるようにさらに説明されてよい。ループ状の案内経路は、１以上のキャリッジがループ状の案内経路上を及び／又は外れて移動することを可能にする、そこに接続される１以上の支柱又は延長部を任意選択的に有してよい。例えば、キャリッジが保守又は修理（例えば型の交換）を必要とする場合、キャリッジは、そうした保守又は修理が実行され得る支柱上でループ状の案内経路から外れて移動してよい。そうした保守及び／又は修理などのオフループの職務が完了した後、キャリッジは、支柱からループ状の案内経路上に戻るように移動させられてよい。
【００６９】
案内経路は各キャリッジの方向を案内してよく、間接的な手段による場合には、案内経路は間接的な案内経路であり、又は、直接的な手段による場合には直接的な案内経路である。間接的な案内経路によれば、キャリッジ及び案内経路はその間に物理的な接触がほぼない。直接的な案内経路によれば、キャリッジと直接的な案内経路との間に（周期的な又はほぼ持続的な）物理的な接触がある。
【００７０】
間接的な案内経路は通常、例えば、磁気的手段、例えば可視光（又は光学）手段（例えばレーザ光）、赤外線手段及び無線周波数手段などの電磁放射手段、及び、その組み合わせから選択される遠隔検出手段によって各キャリッジの方向を案内する。間接的な案内経路の場合、案内経路は、エミッタ（例えば磁界エミッタ、又は、電磁放射エミッタ）として通常は機能し、各キャリッジは、間接的な案内経路によって発信されるものを受信し又は検出し、及び任意選択的に処理する案内経路の受信機又はセンサを有する。案内経路の受信機／センサは、キャリッジコントローラに連結されており（物理的に又は無線で連結されており）、案内経路に対して、キャリッジコントローラにキャリッジの位置を実質的に連続して送信する。キャリッジコントローラ（例えば４５）は、キャリッジ案内経路位置情報を受信し、任意選択的に（例えば１以上のコンピュータプログラムを介して）それを処理し又はさらに処理し、間接的な案内経路に沿ったキャリッジの移動を維持するために、キャリッジ推進システムに（例えば物理的連結を介して）作動案内経路位置命令を提供する。間接的な案内経路は、例えばキャリッジの各々の下側、横側又は上側の任意の適切な位置を占有する。間接的な案内経路の場合、キャリッジ位置表示器及び案内経路の受信機／センサは１つで同一のものであってよい。
【００７１】
間接的な案内経路の作動をさらに説明するため、図５を参照すると、キャリッジ位置表示器６２は、案内経路の受信機／センサ６２を表しており、別々の位置表示器９５が、この説明のために各々の場合に、間接的な案内経路９５の一部を表している。例えば磁気コード又は一連の配列された永久磁石板であり得る間接案内経路９５が、エミッタ（例えば磁界エミッタ）として機能し、案内経路の受信機／センサ６２は、間接的な案内経路９５によって放射されるものを受信し又は検出し、及び任意選択的に処理する。案内経路の受信機／センサ６２は、物理的連結６５によってキャリッジコントローラ４５に（デジタルフォーマットで又はアナログフォーマットで）キャリッジ−案内経路位置情報を送信する。キャリッジコントローラ４５は、キャリッジ−案内経路位置情報を受信し、任意選択的に処理し、さらに処理し、及び、物理的連結５９によってキャリッジ推進システム３０に作動案内経路位置情報を提供し、それによって、キャリッジをすぐ近くに維持して、間接案内経路に沿って移動させる。キャリッジは、ステアリング機構（図示せず）を有してよく、ステアリング機構は、本明細書で前述したように、キャリッジ推進システムと一体的であってよく又は分離してよい。キャリッジコントローラによって提供される作動案内経路位置命令は、ステアリング機構（もしあれば）に提供される作動命令を通常さらに有する。
【００７２】
直接的な案内経路は通常、各キャリッジとの直接的で物理的な相互作用（又は接触）によって各キャリッジの方向を案内する。例えば、直接的な案内経路は、各キャリッジの駆動機構及び／又はステアリング機構との直接的で物理的な相互作用に従事してよい。本発明の実施形態では、案内経路は、直接的な案内経路、及び特に、さらに特にループ状案内トラックである案内トラックである。各キャリッジの駆動機構は案内トラックと駆動可能に係合する。この特定の実施形態では、各キャリッジはまた、駆動機構と案内トラックとの間の駆動可能な係合によって直接的に案内される。案内トラックは、キャリッジの駆動機構及び／又はステアリング機構を受け入れる細長スロットを有するベースを有するスロット付き案内トラックの形態であってよい。通常、案内トラックは、そのベースから上方に延びる垂直部材を有するレールの形態である。
【００７３】
図１、図２、図４及び図５を参照すると、各キャリッジの下側に位置する案内トラック３９は、そこから上方に延びる延長垂直部材１９８を有するベース１９５（図４）を有する延長ループ状レールの形態である。案内トラック３９は、実質的に連続する一体構造の案内トラックであってよく、又は、より通常は、配列されて端部同士で（例えばクランプ及び／又は溶接によって）結合されてともに案内トラック３９を形成する複数のトラックセグメントを有する。駆動機構３６の少なくとも一部は、駆動機構３６がキャリッジコントローラ４５からの作動命令に応答して駆動シャフト４２を介して駆動モータ３３によって回転させられる際に、案内トラック３９の垂直部材１９８の一部（例えば上側部分２０１）に駆動可能に（例えば摩擦によって）係合する。
【００７４】
案内トラック３９によるキャリッジの案内を補助するため、駆動機構３６は、横方向に対向する垂直延在フランジ２０４及び２０７を有してよく、垂直延在フランジ２０４及び２０７は、例えばキャリッジがループ状案内トラック３９のカーブ周りに移動する際に、垂直部材１９８の側面に当接することによって案内トラック３９からの駆動機構の滑り落ちを最小限に抑える又は防止する。横方向に対向する垂直延在フランジの代替として又は加えて、案内トラック内の配列された凹部内に受け入れられる例えば歯又はギアなどの延在部、及び／又は、案内トラックから上方に延びる例えば歯などの延在部が受け入れられる凹部（いずれも図示せず）、を有してよい。成形システムは２以上の実質的に平行な案内トラックを有してよい。特定の実施形態では、成形システムは、図面に示されるように、例えば案内トラック３９などの単一の案内トラックを有する。
【００７５】
成形システムの各キャリッジは、例えば推進システム、キャリッジコントローラ及び型熱交換器などのキャリッジの様々な構成要素に動力を供給するための自身の動力源を有してよい。例えば、各キャリッジは、キャリッジのすべての構成要素に作動電力を供給する発電機を有してよい。発電機には、例えば天然ガス、ディーゼル燃料、バイオディーゼル燃料、エタノール及び／又はガソリンなどから選択される燃料によって動力が供給される内燃動力装置又はエンジンによって電圧が印加されてよい。キャリッジの推進システムの駆動モータは、発電機又は別々の内燃駆動モータによって電圧を印加される電動モータであってよい。
【００７６】
各キャリッジには、より通常は、各キャリッジとは別々の電源によって電気的に動力が供給される。一実施形態では、成形システムはさらに、ループ状電源コードの形態である電源コードを有する。電源コードに関して本明細書中及び特許請求の範囲で用いられる用語「ループ状」は、案内経路及び案内トラックに関して本明細書中で前述された意味と同一の意味を有する。各キャリッジとは別々であることに加えて、電源コードは、成形システムの案内経路及び案内トラックとも別々である。電源コードは、各キャリッジに（例えば１以上の電気ケーブルによって）電気的に連結されており、及び従って、それによって各キャリッジに電力を供給する。各キャリッジは、電源コードに電気的に連結されて電源コードによって動力を供給される電力分配ユニットであって、キャリッジの各構成要素（例えばキャリッジコントローラ、推進システム及び任意選択的な型熱交換器）に電気的に連結されて各構成要素に別々に動力を供給する。
【００７７】
図１及び図２を参照すると、成形システムは、ループ状電源コードの形態である電源コード２１０を有する。電源コードは、電気的連結が電源コードと各キャリッジとの間に維持されるとき、案内経路又は案内トラックに対して任意の適切な位置を有してよい。例えば、電源コードは、ループ状案内経路又は案内トラックの横方向内側、横方向外側、垂直方向下側及び／又は垂直方向上側に配置されてよい。図面に示されるように、電源コード２１０は、ループ状案内トラック３９の横方向内側に位置決めされる。ループ状案内トラックの横方向内側にループ状電源コードを位置決めすることは、電源コードと成形システムの周りで働いている個人との間の不注意の接触の可能性を最小限に抑えるので、限定されないものの安全性を有する理由で望ましい。例えば、ループ状案内トラック３９とその周りを移動するキャリッジ１５とは、成形システム周りで働く（例えば様々な要素及びそのステーションを補修する）個人と電力ストリップ２１０との間の遮蔽物として有効に機能する。案内トラック３９の横方向内側に位置決めされることに加えて、電源コード２１０は、案内トラック３９の垂直方向上側又は案内トラック３９よりも高い位置に位置決めされてよい（図７）。電源コードは、実質的に一体構造の電源コードであってよく、又はより通常は、端部同士で（物理的かつ電気的に）接続されて実質的に連続した電源コードをともに形成する複数の電源コード部分を備える。
【００７８】
本発明の特定の実施形態では、電源コードは、電源コードに電気的にかつ移動可能に（例えばスライド可能に）接続されて、電源ケーブルを有する、各キャリッジ用の電源ボックスを有する。各キャリッジ及びそこに連結される電源ボックスは、キャリッジ−電源ボックスの対をともに形成する。各キャリッジ−電源ボックスの対は、各々がそのキャリッジに電気的に連結される１以上の電源ボックスを備えてよい。より通常は、各キャリッジ−電源ボックスの対は単一の電源ボックスを備える。
【００７９】
各キャリッジ−電源ボックスの対では、電源ボックスの電源ケーブルがそのキャリッジに電気的に接続されてキャリッジに電力を供給する。電源ケーブル自体は、電源コードに沿って（例えばスライド可能に）電源ボックスを引っ張るように働いて、それによって電源ボックスとキャリッジとの間の電気的接続を維持してよいものの、そうした張力をかけられた配列は、電源ケーブルの品質の低下（例えばその磨損又は破損）とキャリッジ及び電源ボックスの間の電気的接触の喪失とを望ましくなく生じさせる。代替として、キャリッジ−電源ボックスの対は、電源コードに沿って電源ボックスを引っ張るように働く別々の非電気的（又は電気的に絶縁された）連結を有してよく、非電気的連結は、引っ張りに連結される（例えば張力の及び／又はねじり力の）応力に耐え、その結果、電源ケーブルのそうした応力への暴露から実質的に緩和する。
【００８０】
一実施形態では、キャリッジ−電源ボックスの対は、電力の転送のない物理的連結を有しており、物理的連結は、キャリッジから外側に電源ボックスに向かって延びる引っ張りロッドを備える。引っ張りロッドは通常細長く、当該引っ張りロッドに沿ってスライド可能にかつ逆動可能に移動可能なシリンダを有する。引っ張りロッドのシリンダと電源ボックスとは、電力の転送のないシリンダ−電源ボックスの物理的接続によって相互に接続される。キャリッジが案内トラックに沿って移動すると、引っ張りロッド、シリンダ及びシリンダ−電源ボックスの物理的接続の組み合わせは、電源コードに沿って電源ボックスを引っ張るように働く。電源ボックスがそうして引っ張られると、電源ボックスと電源コードとの間の電気的接続が維持されて、及び対応して、電源ケーブルはキャリッジに対して電気的に接続された状態で維持される。
【００８１】
図７を参照すると、さらなる説明の目的のために、電源コード２１０は、垂直支持体２１６によって床２１３及びまた案内トラック３９（図７では図示せず）の上方に持ち上げられ、垂直支持体２１６は、例えばボルト２２２などの十分な手段によって床２１３に固定されるベースプレート２１９から垂直方向に上方に延びる。垂直支持体２１６は、その下端でベースプレート２１９に接続され、その上端で電源コード２１０に接続される。電源コード２１０、垂直支持体２１６及びベースプレート２１９は、（例えば留め具及び／又は溶接によって）相互に接続される別々の構成要素であってよく、又は、ほぼ一体の構造をともに形成してよく、いずれの場合も、電源コードアセンブリとして集約的に言及されてよい。
【００８２】
電源ボックス２２５は、例えばその上面２２８、下面２３１又は前面２３４などの電源コード２１０の任意の適切な部分に移動可能に（例えばスライド可能に）及び電気的に接続されてよい。一実施形態では、電源ボックス２２５は、電源コード２１０の下面２３１に移動可能にかつ電気的に接続され、そのことが、もつれるか又は接触の電気的な短絡を生じさせ得る異質の材料又は物体との電源コードの電気的接触を最小限に抑制する。
【００８３】
電気接点は、電源コード内の凹所に配置されてよく、又は、電源コードから外側に延びる。通常、電気接点は、電源コードの１以上の細長い凹部内にある。下面２３１は、電源コード２１０の電気接点（見えない）がある細長い凹部２３７を有する。電源コードの電気接点がある細長い凹部又は複数の凹部は、例えば円形、楕円形、多角形（例えば三角形、正方形、又は長方形）、不規則形、又はその組み合わせなどの任意の適切な形状又は構成（例えば断面形状）を有してよい。一実施形態では、細長い凹部２３７はＴ形状を有しており、その小寸法（より狭い）部分又は開口が、下面２３１上にあるか又は下面２３１と連通しており、その大寸法（例えば横方向又はＴ部分）は電源コード２１０内の凹部に配置される。
【００８４】
電源ボックス２２５は、電源コード２１０の凹部２３７内にスライド可能にかつ保持可能に受け入れられる延在部２４０を有する。延在部２４０の少なくとも一部は、電気的に導電性であり、電源コード２１０の凹部２３７内の凹部に配置される電気接点と電源ボックス２２５との間の電気的接続を維持する。延在部２４０は、凹部２３７内にスナップ嵌め込みされて（及びスライド可能に）受け入れられる。一実施形態では、延在部２４０は、Ｔ形状の凹部２３７にほぼ一致して凹部２３７内に受け入れられるＴ形状を有する。例えば、延在部２４０の狭寸法部分は凹部２３７の狭寸法部分内にあり、延在部２４０の広寸法部分（すなわち、横部分又はＴ部分）は凹部２３７の広寸法部分（すなわち、横部分又はＴ部分）内にある。このように、Ｔ形状の延在部２４０は、ほぼ一致するＴ形状の凹部２３７内にスライド可能に保持され、電源ボックス２２５及び電源コード２１０の間の電気接触が維持される。
【００８５】
電源コード２１０は、凹部（例えば凹部２３７）を保持する２以上の間隔をあけた平行な電気接点を有しており、凹部内には、電源ボックス２２５の２以上の電気導電延在部（例えば延在部２４０）が別々に受け入れられる。明確化の目的のため、単一の凹部２３７と単一の延在部２４０とが図に示されている。
【００８６】
キャリッジ１５はまた、キャリッジから電源ボックス２２５（及び電源コード２１０）に向かって横方向外側に延びる引っ張りロッド２４３を有する。引っ張りロッド２４３及び電源ボックス２２５は相互に当接しない。引っ張りロッド２４３の第１端２５５は、キャリッジの下側５３から下方に延びる保持器２４６によってキャリッジ１５に接続される。引っ張りロッド２４３は、引っ張りロッドに沿って（縦方向に）スライド可能にかつ逆動可能に移動可能なシリンダ２５２を有する。シリンダ２５２は、そこを通って延びる縦方向開口を有しており、そこに引っ張りロッド２４３が受け入れられる。引っ張りロッド２４３は、引っ張りロッドの第２端２６１に又は近くにフランジ２５８を有してよい。引っ張りロッド２４３の第２端２６１は、その第１端２５５とは反対側にあり、（第１端２５５に対して）電源ボックス２２５に向かって延びて電源ボックス２２５の近くにある。フランジ２５８は、シリンダ２５２が、引っ張りロッド２４３の第２端２６１から離脱する（又は落下する）ことを防止する。
【００８７】
電源ボックス２２５及び引っ張りロッド２４３の滑りシリンダ２５２は、シリンダ−電源ボックスの物理的接続２６２によって相互に接続される。シリンダ−電源ボックスの物理的接続２６２は電力の転送がなく、すなわち、電源ボックス２２５から滑りシリンダ２５２、引っ張りロッド２４３又はキャリッジ１５（又はそれらの構成要素のいずれか同士の間）に電力を転送しない。シリンダ−電源ボックスの物理的接続は、（キャリッジ１５が案内トラックに沿って移動する際に）電源ボックス２２５が破損せずに電源コード２１０に沿って引っ張られることに十分な強度を有するという条件で、任意の適切な材料から製造されてよい。例えば、シリンダ−電源ボックスの物理的接続は、金属、ポリマー（ナイロンポリマー）、又は非合成材料（例えば麻繊維）から製造されてよく、例えばストラップ、ロープ又は撚り糸、又は鎖などの任意の適切な形態を有してよい。一実施形態では、シリンダ−電源ボックスの物理的接続（例えば２６２）は、（図７に示されるように）金属から製造される鎖の形態である。シリンダ−電源ボックスの物理的接続２６２の一端は滑りシリンダ２５２のブラケット２６４に取り付けられ、他端は電源ボックス２２５のブラケット２６７に取り付けられる。
【００８８】
さらに図７では、電源ボックス２２５はまた、電源ボックス２２５からキャリッジ１５に電力を提供する電源ケーブル２７０を有する。電源ケーブルは、キャリッジに直接的に有線で接続され（重ね継ぎされ）てよく、又は、キャリッジの電源ソケット内に逆動可能に受け入れられるプラグを有してよい。通常、電源ケーブルは電源ボックス内に直接的に有線で接続される。一実施形態では、図７に示されるように、電源ケーブル２７０は、その末端にプラグ２７３を有してよく、プラグ２７３は、キャリッジ１５の及びキャリッジ１５上に配置される電力分配ユニット２７９の電気ソケット２７６内に受け入れられる。電力分配ユニット２７９は、追加の電気的接続（図示せず）によって、キャリッジの各構成要素（例えばキャリッジコントローラ４５、推進システム３０、及び任意選択的な成形熱交換器３７５）に別々に電気的に連結されて各構成要素に別々に電気的に電圧を印加する。
【００８９】
図７に示されるように、キャリッジ１５はまた、床２１３に転がるようにかつ支持するように係合する支持ホイール２８２を有する。キャリッジは通常、キャリッジが成形システムの様々なステーションの間及び同士の間を移動する際にキャリッジに十分な支持と安定性とを提供するように通常は位置決めされる少なくとも３つの（例えば４つの）支持ホイールを有する。支持ホイールは、キャリッジの推進システムとは別々であり、キャリッジを推進又は駆動させない。支持ホイールは、例えば球形状又はディスク形状などの任意の適切な形状を有してよい。例えば、支持ホイール２８２は、第１上方延在支持体２８５及び第２上方延在支持体２８８によってキャリッジ１５の下側５３に取り付けられる。第１及び第２支持ホイール支持体（例えば２８５、２８８）は、キャリッジ１５の下側５３に回転可能に係合するプレート（図示せず）に取り付けられてよい。
【００９０】
電力ストリップは通常、例えば設備内電源などの別々の電源に電気的に接続されており、設備内電源は、別々の限定的な又は局所的な配電網に電気的に接続される。例えば、電源コード２１０は、電気的連結２９４によって設備内電源２９１に電気的に接続される。設備内電源２９１は、電気的連結２９７によって内部配電網（図示せず）に電気的に接続される。
【００９１】
本発明の成形システムは１以上のキャリッジを有してよいものの、成形システムは通常、少なくとも２つのキャリッジを有する。成形システムは、案内経路又は案内トラックと２以上のキャリッジとを有しており、キャリッジは案内経路又は案内トラックに沿って直列に移動する。図２を参照すると、成形システム２は、複数のキャリッジ、特に、案内トラック３９に沿って反時計回りに直列に移動する５つの別々のキャリッジ１５ａ、１５ｂ、１５ｃ、１５ｄ及び１５ｅを有する。キャリッジ１５ａ〜１５ｅの各々は、その上に熱成形型として使用され得る型２４を有する。成形システム２はまた、キャリッジがその下を通過する垂直方向に持ち上げられたプラットフォーム３００を有しており、プラットフォーム３００は、ループ状電源コード２１０内の内側領域３１５と案内トラック３９の外側又は案内トラック３９の範囲外の外側領域３１８との間で個人が移動することを可能にするとともに、移動するキャリッジとの相互作用及び移動するキャリッジと衝突することを回避して、電源コード２１０との接触を回避する。
【００９２】
図２の成形システム２はまた、ダイ１１３、例えばシートダイ（部分的に見える）を有しており、ダイ１１３は、ダイ支持構造３０３によって案内トラック３９上に持ち上げられる。キャリッジ１５ａ〜１５ｅの各々は、ダイ１１３の下側を通過し、押出物（図示せず）は例えば、加熱された熱可塑性シートの形態でその型面上に重力によって配置される。図２では、押出成形機７１の末端とダイ１１３との間で流体連通を提供する管（例えば図６の管１１７）が図示されていない。
【００９３】
１以上、特に２以上のキャリッジが成形システムの様々なステーション同士の間を及び様々なステーションの中で移動するので、キャリッジと例えば個人、設備の部品又は他のキャリッジなどの他の物体との衝突がキャリッジ及び／又は他の物体に損傷を与える結果を招き得る。キャリッジが衝突によって作動不能の状態にされると、成形システム全体が、作動不能のキャリッジが修理されるか又は成形システムから取り外されるまで、停止され得る。作動不能のキャリッジから生じるそうした全システムの停止は、キャリッジがループ状案内経路又はトラックに沿って直列に移動する成形システムで発生しそうである。
【００９４】
本発明の一実施形態では、各キャリッジは、キャリッジコントローラに連結される（無線で、又はより通常は物理的に連結される）前方衝突検出器を有する。前方衝突検出器は、キャリッジの前方にある別々の物体とのキャリッジの差し迫った衝突を検出する又は検知する。同等に、前方衝突検出器は、キャリッジとキャリッジの前方にある物体との間の差し迫った衝突を検出又は検知する。前方衝突検出器はその後、無線により又はより通常は物理的連結によって、キャリッジコントローラに差し迫った衝突を（デジタル形式又はアナログ形式で）送信する。差し迫った衝突の信号を受信したキャリッジコントローラは、キャリッジの推進システムに（アナログ形式で又はより通常はデジタル形式で）作動緊急停止命令を提供する。キャリッジの前進運動はそれに従って停止され、（実質的に静止した前方物体の場合）差し迫った衝突がこうして回避され、（別々の物体自体がキャリッジの前面に向かって移動する場合）差し迫った衝突の衝撃及び重大性は低減される。キャリッジコントローラによってキャリッジ推進システムに作動緊急停止命令が供給されることによって、例えば、推進システムのすべての停止、駆動機構との駆動モータの係合の解除（例えばその間に配置されるトランスミッションがはずれることによって）、駆動機構の逆回転、駆動機構に作用するブレーキ作用、又はその組み合わせが生じ得る。
【００９５】
キャリッジコントローラからキャリッジ推進システムへの緊急停止命令は、キャリッジ推進システムが差し迫った衝突からキャリッジを後退させる結果を生じる後退運動命令を有してもよい。緊急停止命令が後退運動命令を有する場合、キャリッジは、相対的に短い距離（例えば１メータ未満）にわたって通常は後退させられ、その後、キャリッジのすべての運動（後退及び前進運動）が停止される。通常、キャリッジコントローラによって提供される緊急停止命令は後退運動命令を有しておらず、キャリッジ推進システムへのそれらの送信が、すべての運動が停止されるキャリッジのすべての運動（前進及び後退）を生じさせる。
【００９６】
図５を参照すると、キャリッジコントローラシステム３は、物理的連結３０９によってキャリッジコントローラ４５に連結される前方衝突検出器３０６を有する。前方衝突検出器３０６はまた衝突センサ３１２を有する。前方衝突検出器３０６は、衝突検出器がキャリッジの前方の差し迫った衝突を検出することができる場合、キャリッジの任意の適切な部分（例えば上側部分、側面上、又は前面上）に実装されてよい。
【００９７】
衝突センサ３１２は、物理的接触センサ、光学センサ、赤外線センサ、レーダセンサ、及びその組み合わせから選択されてよい。物理的接触センサは通常、検出器３０６から外側に延びる例えばロッドなどの延在部を有しており、検出器３０６の前方の接触部分と、検出器３０６内のスイッチ（例えばばね荷重スイッチ）に接触する後側部分と、を有する。キャリッジの前方の別々の物体との延在部の前方接触部分の接触時、延在部の後側部分はスイッチに向かって押されて、物理的連結３０９を通じてキャリッジ４５に送信される検出器３０６内で衝突信号を生成し又は生じさせる。
【００９８】
より通常は、衝突センサは、物理的接触センサではなく遠隔衝突センサである。遠隔衝突センサは通常、当業者に公知であるように、電磁放射を放出するトランシーバを有しており、電磁放射は、キャリッジの前方の別々の物体に反射して戻ってきて、遠隔衝突センサのトランシーバによって検出される。代替として、遠隔衝突センサは別々の送信機及び受信機を備えてよい。遠隔衝突センサ（例えば３１２）は、受信した／反射した衝突信号、及びより通常は、一連の連続した衝突信号を、衝突検出器（例えば３０６）内のプロセッサに送信する。衝突検出器は、衝突が差し迫っているかどうかを（例えばアルゴリズム又はプログラムを介して）特定するために、遠隔衝突センサからの信号を処理する。衝突が差し迫っている場合、衝突検出器はその後、物理的連結３０９を通じてキャリッジコントローラ４５に、差し迫った衝突の信号（アナログ形式又はデジタル形式で）を送信する。代替として、信号処理のいくつか又はすべては、キャリッジコントローラのプロセッサによって実行されてよく、この場合、キャリッジコントローラは、衝突検出器から、部分的に処理された又は生の（処理されていない）信号の連続物を受信する。
【００９９】
遠隔衝突センサは通常、光学放射（例えば非干渉性の可視光及び干渉性のレーザ光）、赤外線放射、レーダ／マイクロ波の放射、又はその組み合わせから選択される電磁放射を放出する（及び対応して反射して受信する）。従って、本明細書中及び特許請求の範囲中で用いられるように、衝突センサは、上述したように、光学センサ、赤外線センサ、及び／又はレーダセンサから選択されてよい。キャリッジ及び本発明の方法で用いられる遠隔衝突検出器の例は、オムロンサイエンティフィックテクノロジーズインク（Ｏｍｒｏｎ  Ｓｃｉｅｎｔｉｆｉｃ  Ｔｅｃｈｎｏｌｏｇｉｅｓ，Ｉｎｃ．）から市販されているオプトシールドＯＳ３１０１レーザ光安全スキャナ（ＯｐｔｏＳｈｉｅｌｄ  ＯＳ３１０１  Ｌａｓｅｒ  Ｌｉｇｈｔ  Ｓａｆｅｔｙ  Ｓｃａｎｎｅｒ）である。
【０１００】
２以上のキャリッジがループ状案内経路又はトラック周りに直列で移動する場合、１つのキャリッジの前進運動が、そのキャリッジの前方の別々の物体との差し迫った衝突によって停止されると、すべての他のキャリッジの運動を一時的に停止させることに通常は慎重である。一実施形態では、特定のキャリッジの前進運動が差し迫った前方の衝突によって停止された場合、停止されたキャリッジのキャリッジコントローラは、主コントローラに対して（別々の物体とのキャリッジの）差し迫った衝突を無線で通信する。差し迫った衝突の信号を受信すると、主コントローラはその後、成形システムで作動しているキャリッジの各々（及びすべて）のキャリッジコントローラにキャリッジ緊急停止指令を無線で通信する。各キャリッジのキャリッジコントローラはその後、それぞれのキャリッジ推進システムに作動緊急停止命令を提供する。成形システムで作動しているすべてのキャリッジの前進運動はそれによって停止されて休止される。
【０１０１】
（例えば視覚の及び／又は聴覚の）差し迫った衝突システム停止警告が、緊急システムが停止した理由を１人以上の人間のオペレータが調査することができるように、主コントローラによって任意選択的に起動されてよい。人間のオペレータはその後、（例えば差し迫った衝突信号を引き起こした別々の物体を取り除くことによって、かつ、システムを停止させることによって）集約的な動作をとってよく、（例えば主コントローラユーザインターフェース１７１によって、図３）成形システムを手動でリセットする及び／又は再開させる。
【０１０２】
本発明の一実施形態では、成形システムは、圧縮成形工程を実行するように形成されており、圧縮成形ステーションを有する。特定の実施形態では、成形システムはループ状案内経路又はトラック（例えば３９）を備えており、圧縮成形ステーションは、ポリマー導入ステーションと成形品取り外しステーションとの間に配置される。圧縮成形の実施形態では、各キャリッジによって運搬される型は第１型部であり、圧縮成形ステーションは、逆動可能に位置決め可能な型内に保持される第２型部を有しており、第２型部は内側型面を有する。圧縮成形ステーションは、プレスに作動可能に連結される（例えば無線で、又は、より通常は物理的に連結される）圧縮型コントローラを有する。主コントローラは、圧縮型コントローラに制御可能に連結される（例えば無線で、又は、より通常は物理的に連結される）。
【０１０３】
さらなる説明のため、図面の図１及び図８を参照して本発明の圧縮成形の実施形態を非限定的に説明する。圧縮成形ステーション３２１は、物理的連結３２７によって圧縮型コントローラ１８０に作動可能に連結されるプレス３２４を有する。プレス３２４は、内側型面３３３を有する第２型部３３０を有する。プレス３２４は、第１型部２４の内側面２７に対して下方に第２型部３３０の内側面３３３を垂直方向に再位置決めするように位置決めされる。代替として、第１型部２４の方向に応じて、プレス３２４は、任意の適切な軸線（例えば横方向に又は垂直方向に上方）に沿って第２型部３３０を逆動可能に位置決めするように位置決めされてよい。
【０１０４】
ポリマー合成物（例えば熱可塑性ポリマー合成物）が、第１型部の垂直方向上方に末端押出部分が位置決めされる押出成形機であるポリマー導入装置７１によって、ポリマー導入ステーション１８で第１型部２４の内側型面２７上に重力によって導入される。ポリマー合成物の重力による導入中、キャリッジ１５及び／又は第１型部２４は、横方向（ｘ軸及び／又はｙ軸に沿って）及び／又は垂直方向（ｚ軸に沿って）に動かされ、及び任意選択的に、ポリマー導入装置７１から流れ出るポリマー材料の流量は、第１型部２４の内側面２７の様々な部分に堆積するポリマー材料の量を制御するために修正される（例えば増やされる及び／又は減らされる）。
【０１０５】
第１型部の内側面上へのポリマー材料の重力による堆積中、第１型部の空間的な位置決め制御及びポリマー導入装置の出力の容積制御は、最終成形品の形状（例えばニアネットシェイプ前成形品又はポリマー材料のレイダウン（lay-down））とほぼ同一の形状（又は前形状）を有する前成形品の形成を生じる。ニアネットシェイプ前成形品の形成は通常、最終圧縮成形品を圧縮して形成するために必要とされる圧縮力及び圧縮時間の量を低減させる結果を生じる。例えば、ニアネットシェイプ前成形品に連結される本発明の圧縮成形の実施形態によれば、第２型部と第１型部との間の圧縮力は、通常、平方インチあたり８０〜１５０ポンド（５．６〜１０．５ｋｇ／ｃｍ２）であり、例えば平方インチあたり１００ポンド（７ｋｇ／ｃｍ２）であり、これに対して、ニアネットシェイプ前成形品の形成がない場合には、通常、平方インチあたり８００〜１５００ポンド（５６〜１０５ｋｇ／ｃｍ２）であり、例えば、平方インチあたり１０００ポンド（７０ｋｇ／ｃｍ２）である。ニアネットシェイプ前成形品の形成はまた、通常、第１型部上に導入される過度のポリマー材料を生じるポリマー供給材料の無駄の量を最小限に抑制する。
【０１０６】
ポリマー導入工程中、（キャリッジ及び／又は型の空間制御を介した）第１型部の空間制御と、ポリマー導入装置の出力の容積制御とは、それぞれ、キャリッジコントローラ（例えば４５）及びポリマー導入コントローラ（例えば６８）の単独によって、処理され、主コントローラ（例えば１２）は、キャリッジコントローラ及びポリマー導入コントローラ、又はその組み合わせを通じて作動する。通常、キャリッジがポリマー導入ステーション１８に位置決めされることによって、主コントローラ１２は、（物理的連結７７を介して）ポリマー導入コントローラ６８に１以上のポリマー導入指令を提供し、キャリッジコントローラ４５に１以上のキャリッジ及び／又は型空間位置決め指令を無線で提供する。第１型部の空間位置決めは、キャリッジ自体の運動、及び／又は、第１型部があるキャリッジ上の空間位置決め可能プラットフォーム（図示せず）によって実現されてよい。それらのそれぞれの主コントローラ指令の受信によって、キャリッジコントローラ４５及びポリマー導入コントローラ６８の各々はその後、キャリッジ推進システム３０及び／又は空間位置決めプラットフォーム、及びポリマー導入装置にそれぞれ作動命令を提供する。作動命令又は作動命令の連続物がそうして提供されると、第１型部の空間制御と、ポリマー導入工程中のポリマー導入装置の出力の容積制御との調整された組み合わせが実現され、及び対応して、ニアネットシェイプ前成形品の形成も実現され得る。
【０１０７】
圧縮成形の実施形態によれば、第１型部２４の内側型面２７上へのポリマー合成物の導入後、主コントローラ１２は、キャリッジコントローラ４５に圧縮成形ステーション位置指令を無線で通信する。キャリッジコントローラ４５はその後、キャリッジ１５の運動を制御してそれによって圧縮成形ステーション３２１にキャリッジ１５を位置決めするために、キャリッジ推進システム３０に（例えば物理的連結５９を通じて）作動圧縮成形ステーション位置命令を提供する。
【０１０８】
キャリッジ１５が圧縮成形ステーション３２１内に／圧縮成形ステーション３２１に位置決めされると、主コントローラ１２はその後、圧縮型コントローラ１８０に（例えば物理的連結１８３を通じて）圧縮成形指令を通信する。圧縮型コントローラ１８０は従って、内側型面２７上に予め導入されたポリマー材料に第２型部３３０の内側面３３３が圧縮して接触するように、プレス３２４に（例えば物理的連結３２７を通じて）作動圧縮成形命令を提供する。圧縮成形工程中に作用する圧縮力は実質的に一定であるか又は可変である（例えば連続的に上昇し及び／又は連続的な安定状態で段階的に漸増する）。第２型部３３０の内側面３３３と第１型部２４の内側面２７上に予め堆積させられるポリマー材料との間の圧縮接触が成形品を形成する。
【０１０９】
通常、プレス３２４は、力伝達プレート３４５によって第２型部３３０の上面（又は外面）３４２に接続される駆動アーム（又は部材）３３９を逆動可能に駆動又は伸展させるピストン３３６を有する。力伝達プレート３４５は、（例えば異なる成形品の形成のために）第２型部の相対的に迅速で容易な交換を可能にするように構成されてよい。プレス３２４は空圧によって又はより通常は油圧によって駆動されてよい。一実施形態では、プレス３２４は、第１油圧管３５１及び第２油圧管３５４によってピストン３３６と流体連通して、ピストン３３６に及びピストン３３６から油圧油を提供する油圧発生ユニット３４８を有する。ポリマー導入コントローラ１８０は、物理的連結３２７を介して油圧ユニット３４８に作動制御命令を提供する。油圧ユニット３４８はその後、上昇した圧力でピストン３３６内に油圧油を導入し、その結果、駆動アーム３３９及び第２型部３３０が、（第１型部２４の内側面２７上に）予め堆積させられたポリマー材料に対して下方に駆動される。プレスは、当技術分野で認識された代替構造を有してよく、及び、当技術分野で認識された代替方法に従って作動されてよい。
【０１１０】
圧縮成形プロセス中にプレス内に作用する圧力を制御するため、プレス、第２型部及び／又は第１型部は、例えば圧力変換器などの１以上の圧力センサを有してよく、圧力センサはフィードバックループを通じて圧縮型コントローラに連結される。一実施形態では、プレス３２４のピストン３３６は、物理的連結３６３を通じて圧縮型コントローラ１８０に圧力データ／信号を提供する圧力変換器（図示せず）を有する。圧縮型コントローラ１８０は、（例えば圧力制御プログラム又はアルゴリズムによって）圧力データを処理して、プレス３２４内に予め堆積されたポリマー材料に作用する圧力を制御するために物理的連結３２７を通じて油圧ユニット３４８に適切なように追加の作動圧力制御命令を提供する。
【０１１１】
圧縮成形工程中、キャリッジの要素、特に支持ホイール及び／又はその推進システムは、圧縮力が圧縮成形工程中にそこを通じて伝達される場合に損傷を受け得る。従って、キャリッジ及び／又は圧縮成形ステーションは、圧縮成形工程中にキャリッジへの損傷を回避するように通常は構成される。一実施形態では、圧縮成形ステーション３２１は、床２１３から上方に延びる横方向に間隔をあけてほぼ平行な長尺支持体３６６及び３６９を有しており、及び同時に、案内トラック３９が通って延びる長尺溝３７２を形成する。圧縮成形工程中、長尺支持体３６６及び３６９はキャリッジ１５の下側５３に当接し、プレス３２４によって発揮される圧縮力が、支持ホイール２８２及び／又はキャリッジ推進システム３０を通じてよりも、支持体３６６及び３６９を通じて床２１３内に伝達される。長尺圧縮成形ステーション支持体３６６及び３６９は、圧縮成形工程中にキャリッジ１５の下側５３に係合するように、（例えば油圧手段、図示せず、によって）床２１３の外側に逆動可能に伸展可能であってよい。代替として又はそれに加えて、キャリッジ１５は、型２４を乗せるプラットフォーム（図示せず）を伸展支持体３６６及び３６９上に下げる手段を有してよい。例えば、型２４は、ピストン（図示せず）によって又は逆動可能に空気注入式の枕（図示せず）によって支持されるプラットフォーム（図示せず）によって支持されてよい。ピストンの引っ込め又は枕の空気抜きによって、型支持プラットフォームの部分がキャリッジ１５の底部の開口を通じて垂直方向に落下し、上方に垂直に延びる支持体３６６及び３６９に当接する。
【０１１２】
第１及び第２型部は、成形品が形成されるほぼ密閉された内側型容積を形成することに役立つ噛み合い部分及び／又は連結部分を有するように通常は形成される。例えば、第１型部２４は第２型部３３０の環状リング３６０を密閉して受け入れる寸法に設定される環状溝３５７を有する。任意選択的に、１以上のシール（例えば弾性シール）が、当技術分野で認識された方法に従って、環状溝３５７内に配置されてよく、及び／又は、環状リング３６０の表面から外側に延びる。その結果、環状溝３５７内への環状リング３６０の密閉した受け入れは、成形品が形成される（型内側面３３３及び２７によって形成される）内側型容積を形成する。第１型部及び／又は第２型部（２４、３３０）には、例えば閉じ込められた空気などの気体が、当業者に公知なように、圧縮成形プロセス中に密閉された型内側から漏れ出ることを可能にする通気口（図示せず）が設けられる。
【０１１３】
圧縮シーケンス又は工程が完了すると、圧縮型コントローラ１８０は、物理的連結３２７を通じてプレス３２４にさらなる作動圧縮成形（すなわち、型開放）命令を提供する。さらなる作動圧縮成形命令によって、第１型部（２４）及び第２型部（３３０）の間に圧縮して形成された成形品（図示せず）から第２型部３３０の内側面３３３を分離させる。例えば、圧縮型コントローラ１８０は、ピストン３３６内に又はピストン３３６内で駆動アーム３３９を引っ込めさせて第１型部２４から第２型部３３０を分離させるように、例えば管３５１及び３５４を通じて機能する油圧ユニット３４８に物理的連結３２７を通じてさらなる作動命令を提供する。第１及び第２型部が分離されると、その第１型部内／第１型部上に成形品を有するキャリッジは、成形品取り外しステーション（例えば２１）に再位置決めされてよい。
【０１１４】
ポリマー導入工程、成形工程及び任意選択的な圧縮成形工程が完了すると、キャリッジは（主コントローラの指令、及び、結果として生じるキャリッジコントローラの作動命令の下で）成形品取り外しステーションに再位置決めされる。成形品は、型から手動で及び／又は機械的に（例えばロボット制御で）取り外されてよい。一実施形態では、成形品取り外しステーションは、ロボット制御の成形品取り外し装置に（例えば無線で、より具体的には物理的に）作動可能に連結される成形品取り外しステーションコントローラを有する。主コントローラは、成形品取り外しステーションコントローラに（例えば無線で、及びより通常は物理的に）制御可能に連結される。型及び成形品を有するとともにそのように構成される成形品取り外しステーション内に及び成形品取り外しステーションとともに位置決めされるキャリッジによって、本発明の方法は、主コントローラから成形品取り外しステーションコントローラに成形品取り外し指令を通信する工程をさらに有する。成形品取り外し指令を受信すると、成形品取り外しステーションコントローラはその後、ロボット制御の成形品取り外し装置に作動成形品取り外し命令を提供し、その後、成形品取り外し装置は型から成形品を取り外す。成形品が型から取り外されることによって、キャリッジは、（主コントローラの指令、及びその結果生じるキャリッジコントローラの作動命令の下で）ポリマー導入ステーションに位置決めされてよく、及び従って、成形サイクル及び方法が繰り返される。
【０１１５】
図１を参照すると、成形品取り外しステーション２１は、物理的連結３９９を通じてロボット制御の成形品取り外し装置３９６に作動可能に連結される成形品取り外しコントローラ１８６を有する。主コントローラ１２は、物理的接続１８９を通じて成形品取り外しステーションコントローラ１８６に制御可能に連結される。ロボット制御の成形品取り外し装置３９６は、公知のロボット装置から選択されてよく、及び通常、キャリッジ１５がその下を通過する際に案内トラック３９及び従って型２４を越えて突き出る複数の垂直位置決め可能なアーム（例えば４０２、４０５及び４０８）を有する。垂直位置決め可能なアームは通常さらに、成形品を保持する手段（例えば吸着カップ及び／又はクランプ、図示せず）を有する。
【０１１６】
キャリッジ１５及び型２４が成形品取り外しステーション２１内であってロボット装置３９６のアームの下側に位置決めされると、主コントローラ１２は、物理的連結１８９を通じて成形品取り外しステーションコントローラ１８６に成形品取り外し指令を通信する。成形品取り外しステーションコントローラ１８６はその後、ロボット制御の成形品取り外し装置３９６に作動成形品取り外し命令を提供し、ロボット制御の成形品取り外し装置３９６は、（型２４上にある）成形品上に下方にアーム４０２、４０５及び４０８を降下させる。ロボットアームによって成形品が保持されると、ロボット制御の取り外し装置３９６はその後、ロボットアームを垂直方向に上方に上昇させ、こうして型２４から成形品を取り外す。キャリッジはその後、垂直方向に上昇してロボット制御で保持された成形品の下側から外側に移動する。代替として又はそれに追加して、ロボット装置３９６は、その垂直軸線回りに逆動可能に回転可能であってよく、キャリッジ１５及び案内トラック３９から離れる方に、上昇してロボット制御で保持される成形品を移動させるように回転する。成形品はその後、ロボット制御の成形品取り外し装置３９６から（手動で及び／又はさらに機械的に）取り外されてよい。例えば、成形品は、後成形工程のための成形システムから離れる方向に成形品を運ぶベルト（図示せず）上にロボットアームから開放されてよい。
【０１１７】
成形システムが例えばループ状案内トラックなどのループ状案内経路を有する場合、各キャリッジの位置をほぼ連続的に特定する工程は、成形システムの各ステーションを提供することによって、及び、別々の位置表示器によってループに沿って少なくとも１つのさらなる非ステーション位置を提供することによって、実現されてよく、別々の位置表示器は各々、キャリッジが通過する際に各キャリッジの位置表示器と相互作用する。各キャリッジ位置表示器が独立してステーションの各々及び非ステーション表示器と相互作用する際、キャリッジの位置が特定されてキャリッジコントローラから主コントローラまで無線で送信される。
【０１１８】
本発明の一実施形態では、図１を参照すると、ポリマー導入ステーション１８はポリマー導入ステーション位置表示器４１１をさらに有しており、成形品取り外しステーション２１は成形品取り外しステーション位置表示器４１４をさらに有しており、成形システムは少なくとも１つのさらなる（非ステーション）位置表示器４１７を有する。図１では、ステーション位置表示器及び非ステーション位置表示器は、内側エリア３１５内（すなわち、ループ状電源コード２１０内）にあるように示されている。ステーション位置表示器及び非ステーション位置表示器は、キャリッジ位置表示器が（例えば、それらが妨げられない位置で）それらと相互作用することができる場合に、任意の都合のよい位置に位置決めされてよい。例えば、ステーション位置表示器及び非ステーション位置表示器は、内側エリア３１５、介在エリア４２０（ループ状電源コード２１０及び案内トラック３９の間）、及び／又は、（案内トラック３９の外側又は越えた）外側エリア３１８内に各々独立して位置決めされてよい。各々のさらなる（又は非ステーション）位置表示器（例えば４１７）は、各キャリッジ１５、各ステーション（例えばポリマー導入ステーション１８及び成型品取り外しステーション２１）、及び、もしあれば、各々の他のさらなる／非ステーション位置表示器と別々である。
【０１１９】
成形システムは、ループ状案内経路（例えばループ状案内トラック３９）周りの又はループ状案内経路に対して様々な位置に複数の（たとえば２以上の）さらなる／非ステーション位置表示器を有してよい。成形システムが、（ポリマー導入ステーション及び成型品取り外しステーションに加えて）追加のステーションを有する場合、各追加のステーションはその自身のステーション位置表示器を有してよい。例えば、図１に図示されるように、圧縮成形ステーション３２１は圧縮成形ステーション位置表示器４２３をさらに有する。
【０１２０】
各キャリッジがループ状案内経路（例えば案内トラック３９）周りに移動する際、各キャリッジ位置表示器（例えば図５のキャリッジ位置表示器６２）は、ポリマー導入ステーション位置表示器４１１、成型品取り外しステーション位置表示器４１４及び少なくとも１つのさらなる／非ステーション位置表示器（例えば４１７）と独立して相互作用する。各キャリッジ位置表示器（例えば６２）が各ステーション及び非ステーション位置表示器と相互作用する際、各キャリッジの位置が特定されてキャリッジコントローラ４５に（例えば物理的連結６５を介して）送信され、その後、キャリッジコントローラ４５から主コントローラ１２に（例えば無線通信ノード８６及び８３を介して）無線で通信される。
【０１２１】
キャリッジ位置表示器は、ポリマー導入ステーション位置表示器、成形品取り外しステーション位置表示器、及び、各さらなる／非ステーション位置表示器の各々と、適切な相互作用手段によって相互作用するように構成されてよい。相互作用手段は、（例えば光の）エミッタ又は物理的接点として機能するキャリッジ位置表示器、並びに、ステーション及び非ステーション位置表示器のいずれか又は両方、及び、放射される又は物理的に接触されたものの受信機又はセンサとして機能するそのいずれか又は両方を通常有してよい。一実施形態では、そうした適切な相互作用手段は、物理的に作動されるスイッチ手段、磁気的手段、例えば可視光（又は光学）手段（例えばレーザ光）、赤外線手段及び無線周波数手段などの電磁放射手段、及びその組み合わせから独立して選択される。
【０１２２】
物理的に作動されるスイッチ手段によれば、キャリッジ位置表示器は通常、キャリッジが通過する際にステーション及び非ステーション位置表示器と物理的に接触することによって物理的に作動される（又は電気的に起動される）１以上のスイッチ又は接点を有する。説明の目的のため、図１１を参照すると、キャリッジ位置表示器６２は、横方向に延びて上から下に垂直方向に配列される３つの電気的スイッチ４２６、４２９及び４３２（上部スイッチ４２６及び底部スイッチ４３２の間に垂直方向に配置されるスイッチ４２９）を有する。ポリマー導入ステーション位置表示器４１１、成型品取り外しステーション位置表示器４１４及び、さらなる／非ステーション位置表示器４１７は各々、そこから外側に延びて、キャリッジ位置表示器６２の垂直方向に配列される電気的スイッチに向かって（又は、その方向に）延びる横方向突起（それぞれ４４４、４４７及び４５０）を有する上方延在柱（それぞれ４３５、４３８及び４４１）を有する。横方向突起は、キャリッジ位置表示器６２の垂直方向に配列された電気的スイッチに物理的に接触して電気的スイッチを作動させるために垂直方向に配列される。例えば、ポリマー導入ステーション位置表示器４１１の横方向突起４４４は、キャリッジ１５が通過する際に、キャリッジ位置表示器６２の垂直方向に配列された電気的スイッチ４２６と物理的に接触して作動させるように垂直方向に位置決めされる。スイッチ４２６がそうして作動されることによって、ポリマー導入ステーション１８でのキャリッジ１５の位置は、確立／確認されて、キャリッジ位置表示器６２からキャリッジコントローラ４５に（例えば、物理的連結６５を介して）送信され、その後、キャリッジコントローラ４５から主コントローラ１２に無線で送信される。同様に、成形品取り外しステーション位置表示器４１４及び非ステーション位置表示器４１７での／に対するキャリッジ１５の位置は、スイッチ４２９を作動させる横方向突起４４７、及び、スイッチ４３２を作動させる横方向突起４５０のそれぞれによって、確立／確認される。スイッチと突起との間の相対的な位置決めは任意の適切な相対的な方向付けから選択されてよい。例えば、スイッチは、垂直方向に下方に（及び、相互に横方向に）延びてよく、突起は、垂直方向に上方に延びてよい（及び、相互に横方向に位置決めされる）。
【０１２３】
磁気的相互作用手段では、キャリッジ位置表示器は通常、例えば磁気探知機などの１以上の磁界検出器を有しており、各ステーション及び非ステーション位置表示器は、例えば永久磁石などの磁界エミッタを有する。ステーション及び非ステーション位置表示器の永久磁石は、キャリッジ位置表示器の磁界検出器によって各々区別して検出可能な異なる強度の磁界を放出するように選択され得る。キャリッジが特定のステーション又は非ステーション位置表示器を通過する際、キャリッジ位置表示器の磁界検出器は、その表示器の永久磁石によって放出される特定の磁界と相互作用して区別可能に検出し、及び従って、特定のステーション／非ステーションでのキャリッジの位置が、確立／確認されて、キャリッジ位置表示器６２からキャリッジコントローラ４５に（例えば物理的連結６５を介して）送信され、その後、キャリッジコントローラ４５から主コントローラ１２に無線で送信される。
【０１２４】
キャリッジ位置表示器とステーション及び非ステーション位置表示器との間の相互作用は電磁放射相互作用手段から選択されてもよい。適切な電磁放射相互作用手段は、限定されないものの、可視光（又は光学）手段（例えばレーザ光）、赤外線手段、及び無線周波数手段を有する。電磁放射相互作用手段の電磁放射は、より通常は、可視光、及び特に、レーザ光、及び／又は赤外光から選択される。電磁放射相互作用手段の場合、キャリッジ位置表示器は、電磁放射のエミッタ及び受信器／検出器の両方として機能し、ステーション又は非ステーション位置表示器は、キャリッジ位置表示器によって放射される電磁放射の反射器として機能する。代替として、各ステーション又は非ステーション位置表示器は、電磁放射エミッタとして機能してよく、キャリッジ位置表示器は、そうして放射された電磁放射の受信機及び特徴的な検出器として機能する。
【０１２５】
説明の目的のため、図１２を参照すると、キャリッジ位置表示器６２は、上から下に向かって別々の垂直方向に配列される複合レーザ光放射器及び検出器４５３、４５６及び４５９を有してよい（エミッタ検出器４５６は、上部エミッタ検出器４５３及び底部エミッタ検出器４５９の間に垂直方向に配置される）。ポリマー導入ステーション位置表示器４１１、成形品取り外しステーション位置表示器４１４及び、さらなる／非ステーション位置表示器４１７のそれぞれの上方延在柱（４３５、４３８及び４４１）は各々、レーザ光反射器（それぞれ４６２、４６５及び４６８）を有する。レーザ光反射器は、特定のエミッタ検出器によって放射されるレーザ光を反射してその特定のエミッタ検出器に戻るように垂直方向に各々位置決めされる。例えば、反射器４６２は、キャリッジ１５が通過する際、エミッタ検出器４５３によって放射されるレーザ光を反射してエミッタ検出器４５３に戻るように垂直方向に位置決めされる。反射したレーザ光がエミッタ検出器４５３によって受信されて検出器されると、ポリマー導入ステーション１８でのキャリッジ１５の位置は、確立／確認されて、キャリッジ位置表示器６２からキャリッジコントローラ４５に（例えば物理的連結６５を介して）送信され、その後、キャリッジコントローラ４５から主コントローラ１２に無線で送信される。同様に、成形品取り外しステーション位置表示器４１４及び非ステーション位置表示器４１７での／に対するキャリッジ１５の位置は、エミッタ検出器４５６及び反射器４６５の間、並びに、エミッタ検出器４５９及び反射器４６８の間で、レーザ光の放射、反射、受信、及び検出によって各々確立／確認される。
【０１２６】
一実施形態では、各キャリッジのキャリッジ位置表示器は単独でキャリッジ位置表示器バーコードリーダであり、各ステーション及び非ステーション位置表示器はステーション／非ステーション位置表示器バーコードである。各キャリッジの位置は、この特定の実施形態では、ステーション／非ステーション位置表示器バーコードの少なくとも１つと相互作用する（例えば読み取る）キャリッジ位置表示器バーコードリーダによって特定される。ステーション又は非ステーション位置表示器バーコードがそうして検出されてキャリッジ位置表示器バーコードリーダによって読み取られると、その特定のステーション／非ステーションでの又はに対するキャリッジの位置が、確立／確認されて、キャリッジ位置表示器バーコードリーダ６２からキャリッジコントローラ４５に（例えば物理的連結６５を介して）送信され、その後、キャリッジコントローラ４５から主コントローラ１２に無線で送信される。
【０１２７】
特定の実施形態では、ポリマー導入ステーション位置表示器はポリマー導入ステーション位置表示器バーコードであり、成形品取り外しステーション位置表示器は成形品取り外しステーション位置表示器バーコードであり、各さらなる／非ステーション位置表示器は単独でさらなる／非ステーション位置表示器バーコードであり、及び、各キャリッジ位置表示器は単独でキャリッジ位置表示器バーコードリーダである。各キャリッジの位置を連続的に特定する工程は、各キャリッジ位置表示器バーコードリーダが、ポリマー導入ステーション位置表示器バーコード、成形品取り外しステーション位置表示器バーコード、及び、少なくとも１つのさらなる／非ステーション位置表示器バーコードの少なくともいずれか１つを読み出す工程を包含する。
【０１２８】
キャリッジ位置表示器バーコードリーダのバーコードリーダは、通常、バーコードで反射してバーコードリーダに戻る非干渉性の可視光（例えば発光ダイオード、ＬＥＤからの赤色光）又はより通常は干渉性のレーザ光を放射する、当技術分野で認識されたバーコードリーダから選択されてよい。ステーション及び非ステーション位置表示器バーコードのバーコードは、例えば１次元及び／又は２次元のバーコードなどの当技術分野で認識されたバーコードから選択されてよい。ステーション及び非ステーション位置表示器バーコードは通常、少なくとも、成形システム内のその特定のステーション又は非ステーション位置に関連する（例えば、主コントローラのデータベース内に格納され得るような、及び、照合され得るような）英数字の値を提供する。
【０１２９】
任意選択的に、ステーション及び非ステーション位置表示器バーコードは、例えばステーション構成要素情報（例えばそのステーションでの機器のタイプ及び構造）などの位置識別子（例えば追加位置情報）に加えて情報を有してよく、提供してよい。例えば、圧縮成形ステーション３２１の圧縮成形ステーション位置表示器バーコード４２３は、プレス３２４（図１及び図８）内に保持される第２型部３３０のタイプに関する情報を提供してよい。圧縮成形ステーション位置表示器バーコード４２３がキャリッジ位置表示器バーコードリーダ６２によって読み取られると、それによって提供される位置及び追加位置（例えば型３３０の識別子）情報がキャリッジコントローラ４２に送信され、その後、主コントローラ１２に無線で通信される。位置及び追加位置情報の両方を受信すると、主コントローラ１２はその後、キャリッジ１５の第１型部２４及び圧縮成形ステーション３２１の第２型部３３０が適切に一致しているかどうかを特定する。第１及び第２型部が適切に一致していない場合、主コントローラ１２は、他の圧縮成形ステーション（図では示されず）上にキャリッジ１５を移動させるか、又は、圧縮成形ステーション３２１での圧縮成形なしで済ませ、圧縮成形ステーションを検査して検出された型の型ずれに対処するように人間のオペレータに警告を発する。
【０１３０】
本発明の方法の実施形態では、キャリッジの位置は、ループ状案内経路上で選択されたゼロ地点又はスタート地点に対してキャリッジがループ状案内経路周りで／に沿って移動した距離をほぼ連続的に計測することによって特定される。より具体的には、キャリッジ位置表示器は、直線距離移動計測装置（又は機器）を有しており、ループ状案内経路は総ループ状案内経路直線距離を有する。ループ状案内経路上でゼロ直線距離のスタート地点が選択される。ゼロ直線距離スタート地点に対してキャリッジが移動した直線距離は直線距離移動計測装置によってほぼ連続的に計測される。そうしてキャリッジが移動した計測された直線距離はその後、総ループ状案内経路距離と（通常はキャリッジコントローラによって）ほぼ連続的に比較され、ループ状案内経路のキャリッジの位置がそれによって特定される。成形システムの各ステーションは、ループ状案内経路に沿って、ゼロスタート地点及び総ループ状案内経路直線距離に対して、特定の直線距離を通常割り当てる。そのようにして、ループ状案内経路に沿ったキャリッジの位置が同一のループ状案内経路上で特定のステーションの位置に調整される。
【０１３１】
直線距離移動計測装置／機器は、例えば市販されている接触及び非接触直線エンコーダなどの当技術分野で認識された装置から選択されてよい。非接触直線エンコーダは通常、（例えば床上及び以下のループ状案内経路上に位置決めされる）磁気ストリップに対して移動した直線距離を特定する磁気ヘッドを有する。接触直線エンコーダは通常、ループ状案内経路に直接的に又は間接的に連結されるディスクを有しており、ディスクの各回転は、較正された移動した直線距離と同等である。例えば、図４を参照すると、推進システム３０は、シャフト４７４によって駆動機構３６に回転可能に連結される直線距離移動計測装置４７１（より具体的には接触直線エンコーダ）をさらに有する。駆動機構３６が案内経路３９に沿って移動する際、その回転は、シャフト４７４を介して、（ゼロスタート地点に対する）キャリッジ１５が移動した直線距離を計測する直線距離移動計測装置４７１に伝達される。キャリッジ１５が移動した直線距離はその後、直線距離移動計測装置４７１から物理的連結４７７を通じてキャリッジコントローラ４５に送信される。キャリッジコントローラ４５は、キャリッジが移動した直線距離と、総ループ状案内経路／トラックの直線距離とを比較し、それによって、ループ状案内経路（例えばループ状案内トラック３９）上でのキャリッジ１５の位置を特定する。
【０１３２】
ゼロ直線距離スタート地点は、ループ状案内経路に沿って任意の地点から選択されてよい。例えば、ゼロ直線距離スタート地点は、ループ状案内経路に沿ってステーション位置又は非ステーション位置に対応してよい。直線距離移動計測装置は、総ループ状案内経路直線距離に等しい移動した直線距離に到達した時にそれをゼロにする（又はゼロにリセットする）ように形成されてよい。しかしながら、直線距離移動計測装置が回転可能に連結される駆動機構（例えば３６）が案内経路（例えば案内トラック３９）に沿って移動する際にスリップすると、キャリッジが移動した直線距離と対応したリセットゼロスタート地点は不正確になり、ループ状案内経路上のキャリッジの特定された位置はその実際の位置に対応しない。
【０１３３】
ゼロスタート地点をより正確に設定するため、成形システムは、各キャリッジとは別々のループ状案内経路に沿って設定地点に配置されるゼロ直線距離スタート地点をさらに有してよい。ゼロ直線距離スタート地点位置表示器は、例えば、物理的に作動されるスイッチ手段、磁気手段、例えば可視光（又は光学）手段（例えばレーザ光）、赤外線手段及び無線周波数手段などの電磁放射手段、及びその組み合わせ（キャリッジ位置表示器に関してここで前になされた説明にほぼ従って）、キャリッジ上のゼロスタート地点検出器（図示せず）と相互作用する。キャリッジはゼロ直線距離スタート地点位置表示器を通過する際、ゼロスタート地点検出器は、起動され又は作動され、直線距離移動計測装置／機器に電気的連結を介してゼロリセット信号を送信し、それによって直線距離移動計測装置（例えば４７１）をゼロにリセットする。
【０１３４】
本発明の一実施形態では、各キャリッジ上で運搬される型はシート型であり、その内側型面は輪郭と複数の貫通孔とを有する。ポリマー導入装置は、シート型の内側型面上に（に接触して）重力によって導入される熱変形温度を有する押出シートを形成するシートダイを有する。各キャリッジは、シート型及び内側型面の複数の貫通孔と流体連通する減圧装置をさらに有する。さらに、キャリッジコントローラが減圧装置に作動可能に連結される。図５を参照すると、キャリッジ制御システム３は、管４８３によって型２４（ここではシート型２４）と流体連通する減圧装置４８０を有する。キャリッジコントローラ４５は、物理的／電気的連結４８６によって減圧装置４８０に作動可能に連結される。
【０１３５】
各キャリッジとポリマー導入装置とがそのように形成され（シート型、減圧装置及びシートダイ）、キャリッジがポリマー導入ステーションに位置決めされ、及び、押し出された熱変形シートがシート型の内側型面の少なくとも一部上に（又は接触して）少なくとも部分的に重力によって導入されると、本発明の方法は、主コントローラからキャリッジコントローラに減圧装置制御指令を無線で通信する工程を有する。減圧装置制御指令を受信すると、キャリッジコントローラはその後、減圧装置（例えば４８０）に作動減圧装置命令（例えば物理的連結４８６を介して）を提供する。減圧装置は、そのように作動可能に命令されて、その後、内側型面の複数の貫通孔を通じて減圧を引き、その結果、押し出された熱変形シートが、シート型の内側型面と接触して一致する輪郭内に引き込まれ、それによって、成形品（又はシート成形品）を形成する。
【０１３６】
シート成形実施形態では、押し出されたシートがシート型の内側型面上に重力によって導入される間、本発明の方法は、シートコントローラに１以上のキャリッジ前進速度指令を無線で通信する工程をさらに有してよい。前進速度指令を受信すると、キャリッジコントローラは、キャリッジの推進システムに作動キャリッジ前進速度命令を提供する。キャリッジの前進速度は、従って、押し出された熱変形シートがシート型の内側型面上に重力によって導入される間、制御される。キャリッジの前進速度を制御することはまた、シート型の内側型面上に重力によって導入される際に、押し出されたシートの厚さを制御する。例えば、キャリッジがシートダイの下側により大きな速度で移動する場合、押し出されたシートは内側型面に対して実際にはより薄く引き延ばされる。これに対して、キャリッジがシートダイの下側により低い速度で移動する場合、押し出されたシートは、それほど引き延ばされず、内側型面上で実際にはより厚くなる。キャリッジの前進速度は、キャリッジがシートダイの下側に移動する間の工程中、連続的に及び／又は段階的に調整されてよい（例えば、内側型面の異なる部分にわたって押し出されたシートの異なる厚さが好ましい）。
【０１３７】
シートダイの下側をシート型が通過する際にキャリッジの前進速度を制御することに代えて又はそれに加えて、シートダイから現れる押し出された熱変形シートの厚さが制御されてもよい。本明細書中で前述されたように、ダイ／シートダイは、そこを通る溶融して混合されたポリマー材料の流れと、及び従って、そこから現れる押し出された熱変形シートの形状（幅及び／又は厚さを含む）と量（例えば流量）とを制御するように働く１以上のゲートが取り付けられてよい。さらなる実施形態では、押し出された熱変形シートの厚さ指令は、主コントローラからポリマー導入コントローラに無線で通信される。ポリマー導入コントローラ（例えば６８）はその後、例えば作動物理的連結７４（ｃ）（図６）によって、シートダイに作動押出シート厚さ命令を提供する。作動押出シート厚さ命令は、シートダイのシートスロットを横切る１以上のゲートの位置決めを制御する。押し出された熱変形シートの厚さは、従って、押し出されたシートがシート型の内側型面上に重力によって導入される間に制御される。
【０１３８】
シートダイは、ほぼ連続したシートスロット、及び／又は、シートスロットをともに有効に形成する複数の横方向に配列されて隣接する開口を有してよい。さらなる説明の目的のため、図９及び図１０を参照すると、シートダイ１１３は、その細長シートスロット４８９から現れる加熱された熱変形シート１５３（同様に押し出された熱変形シート１５３）を有するように示されている。加熱された熱可塑性シート１５３は第１面５１３及び第２面５１６を有する。シートダイ１１３の上部４９２は、（例えばポリマー導入装置（射出成形機）７１の末端１０１から図６の管１１７を介して）加熱された熱可塑性合成物が受け入れられる開口部４９５を有する。開口部４９５は、シートダイ１１３の底部５０１内で複数の開口部４９８／細長シートスロット４８９と流体連通する少なくとも１つの内側溝（図示せず）と流体連通する。細長シートスロット４８９は、シートダイ１１３の底部５０１に配置され、横方向に配列された複数の開口部４９８によって形成され、開口部４９８を通って、溶融した熱可塑性材料と熱変形シート１５３を形成する（溶融した熱可塑性材料は、加熱された熱可塑性シートを形成するために隣接する各開口部４９８の溶融した熱可塑性材料と連続的に一緒に融合させる各開口部４９８から現れる）。複数の横方向に配列された開口部４９８の少なくともいくつかは、各々、それに連結される逆動可能で制御可能に閉鎖可能なゲート５０４を有する。各ゲート５０４は、別々のアクチュエータ（図示せず）によって、それに連結される各開口部４９８を横切って独立して制御可能に逆動可能に移動されてよく、その結果、各開口部４９８を通る溶融した熱可塑性材料の量を、及び従って、隣接して横方向に配列される開口部４９８によって形成される有効な細長シートスロットから現れる加熱された熱可塑性シート（例えば１５３）の厚さ、幅及び形状を制御する。シートダイ１１３の底部５０１内に横方向に配列された開口部（例えば５０７）のいくつかは、そこに連結されるゲート５０４を有していなくてよく、溶融した熱可塑性合成物はそこを通ってほぼ自由に流れる。さらに、シートダイ１１３の底部５０１内の横方向に配列される開口部（例えば５１０）のいくつかは、密閉されておらず、そこを通って流れるか又はそこから現れる任意の溶融した熱可塑性合成物を有しなくてよい。
【０１３９】
図１３〜図２６までを参照して本発明に係るシート成形の実施形態をさらに特に説明する。特に図１３及び図１４を参照すると、本発明の方法及び成形システムに有用なシート成形装置５１９が示されており、内側型面２７及び周縁５２２を有する第１型部２４を備える。内側型面２７は、所定の輪郭及び複数の貫通孔５２５を有する。内側型面２７の輪郭は例えば膨らみ部５２８及び／又は窪み部５３１を備えてよい。内側型面２７は実質的に窪んだすなわち雌の内側型面（図示せず）であってよく、この場合、内側型面２７は周縁５２２より実質的に下側に配置される。代替として、内側型面２７は、（図示されるように）実質的に膨らんだすなわち雄の内側型面であってよく、この場合、内側型面２７の大部分は周縁５２２より上側に配置される。加えて、内側型面２７は、成形品の表面にテクスチャ及び／又は成形のしるしを形成することを目的として、（例えば膨らみ部５２８及び窪み部５３１に対して）相対的に浅い例えば溝といった膨らみ模様及び／又は窪み模様（図示せず）を備えてもよい。
【０１４０】
周縁５２２は、通常、第１型部２４の境界範囲を規定し、加熱された熱可塑性シート（押し出された熱変形シート）に境界範囲を越えて広がる部分があれば、その越えて広がる部分は最終成形品の一部を形成しない。通常は、熱可塑性シートに周縁５２２を越えて広がる部分があれば、その部分は最終成形品から除去（例えば切断）される。周縁５２２は、例えば円形や多角形、不規則形、又はそれらの組み合わせなどの適切な形状を有し得る。図に示されるように、周縁５２２は、上側面５３４及び末端縁５３７を有する実質的に水平棚板の形状を有する。
【０１４１】
明確化の目的のために、複数の貫通孔５２５は、図１３及び図１４にのみ図示され、かつ、内側型面２７の一部にのみ図示される。貫通孔５２５は、内側型面２７のほぼ全体に又は複数の領域内に（すなわち複数群で）配置される。貫通孔５２５は、内側型面２７上にほぼ規則的に又は不規則に（例えば無作為に）配列され得る。例えば貫通孔５２５が特定の領域内に配置される場合、内側型面２７の所定の領域には貫通孔５２５は形成されなくてよい。通常、複数の貫通孔が内側型面２７のほぼ全体に規則的に配列（配置）される。
【０１４２】
複数の貫通孔は、少なくとも１つの例えば真空ポンプといった減圧装置に流体連通する。通常、第１型部２４は少なくとも１つの内側チャンバ（図示せず）を有しており、図１４に示されるように、内側チャンバは、複数の貫通孔５２５と少なくとも１つの例えば減圧装置４８０といった減圧装置とに管４８３によって流体連通する。管４８３は、剛体の管であってもよいが、さらに通常は、原形復帰自在に螺旋状に巻くことができる可撓性材料から製造されてよい。図に示されるように、管４８３は支持構造５４０の一部の下側を通り、支持構造５４０上に第１型部２４が配置されて支持される。支持構造５４０は、下側にあるキャリッジ１５の上側プレート５４８の上面５４７から上方に延びる複数のビーム５４３（例えばＩビーム）を有する。キャリッジ１５は複数の支持ホイール２８２（図１３）を有する。
【０１４３】
第１型部２４から離れて図に示されているものの、代替として減圧装置４８０はキャリッジ１５上でそこにさらに近接して位置決め（そのように図示されていないが、例えばキャリッジ１５上に配置）されてもよい。減圧装置４８０は、内側型面２７の複数の貫通孔５２５を通じて制御自在に減圧を引く。例えば、貫通孔５２５を通じて引かれる減圧は少なくとも１つの圧力安定状態を有しつつ段々に増加してもよく、又は、減圧は減圧装置４８０の駆動（又は起動）の瞬間から減圧装置４８０の最大出力で引かれてもよい。
【０１４４】
第１型部２４からの成形品の取り外しを補助するために、気体（例えば空気）が高圧（例えば周囲の大気圧よりも大きな圧力）で貫通孔５２５から吹き出す。例えば空気などの気体の高圧での貫通孔５２５からの吹き出しにあたって、減圧装置４８０は逆転して駆動されればよく、及び／又は、別々の圧力ポンプ（図示せず）が、内側チャンバ及び第１型部２４の対応の貫通孔５２５に流体連通するように用いられてよい。加えて、貫通孔５２５から吹き出す気体は、周囲の温度よりも低い温度（例えば５℃〜１５℃の範囲といった２５℃以下の温度）で冷却されて、加熱された熱可塑性シートの冷却を補助してもよく、その結果、加熱された熱可塑性シートは内側型面２７の輪郭形状を保持する。
【０１４５】
内側型面２７の複数の貫通孔は、（ｉ）成形品が第１型部２４から取り外される際に熱可塑性材料で汚れたり塞がれたり詰まらされたりしない条件、及び、（ｉｉ）最終成形品に望ましくない表面の特徴や欠陥（例えば最終成形品の表面から突き出るプラスチックの小さな塊）を生じない条件で、適切な形状及び寸法を有してよい。内側型面２７の貫通孔は、多角形（例えば三角形や四角形、長方形、正方形、五角形、六角形、七角形など、及び、それらの組み合わせ）、円形、楕円形、不規則形、及び、それらの組み合わせから選択された断面形状を有してよい。通常は、内側型面２７の貫通孔は、０．１ｍｍ〜７ｍｍの直径、さらに通常は０．５ｍｍ〜５ｍｍの直径、さらに通常は１ｍｍ〜３ｍｍの直径を有するほぼ円形の断面形状を有し得る。本発明に係る実施形態では、内側型面２７の貫通孔は１．６ｍｍ（１６分の１インチ）の直径を有するほぼ円形の断面形状を有する。
【０１４６】
本発明に係るシート成形装置はまた、第１型部２４の周縁５２２の少なくとも一部を囲むフレーム５５０を有する。フレーム５５０は、上側面５５３を有しており、同時に開口部５５６を有し、開口部５５６は、開口部５５６の少なくとも一部を通って第１型部２４及び特にその周縁５２２の通過を可能にする寸法を有する。フレーム５５０及び第１型部２４は、垂直方向（図１３のｚ軸方向）に相互に逆動可能に配置されており、その結果、本明細書中でさらに詳細に後述されるように、加熱された熱可塑性シートが第１型部２４の内側型面２７に接触することができる。例えば、第１型部２４及びフレーム５５０はそれぞれ独立して、ピストン、シザースジャック、及び／又は、スクリュージャックなどの当技術分野で認識された手段によって垂直方向に逆動可能に位置決め可能である。
【０１４７】
フレーム５５０は単独で用いられてもよい。代替として、フレーム５５０は、支持フレーム５５９に連結して用いられてもよく、支持フレーム５５９は、フレーム５５０の下側に隣接して配置されてフレーム５５０を支持する。フレーム５５０と支持フレーム５５９とを別々に用いることは、例えば様々なシート保持器を有し、及び／又は、シート保持器を様々に配置するフレーム５５０を即座に交換（例えば支持フレーム５５９の着脱）させるので有利である。フレームに連結されたシート保持器を伴ったフレーム５５０の即座に交換することができることは、シート成形装置に様々な寸法及び／又は様々な形態を有する様々な第１型部が取り付けられる場合に望ましい。フレーム５５０の上側面５５３は支持フレーム５５９の上側面５６２の上方に配置される。フレーム５５０は外縁５６５を有する。フレーム５５０の寸法は、支持フレーム５５９の外縁５６８に対してその外縁５６５が内側に配置されるように通常は設計される。この設計によれば、各シート保持器５７１がフレーム５５０の上側面５５３の（例えば僅かに）上方を横方向に移動することができると同時に、本明細書中でさらに詳細に後述されるように、各シート保持器の後側部５７４が支持フレーム５５９の上側面５６２から離れて横方向に移動することができる。
【０１４８】
本発明に係る一実施形態では、第１型部２４は垂直方向の位置決めに対して実質的に不動に配置されており、フレーム５５０は逆動可能に制御自在に垂直方向に位置決め可能である。特定の実施形態では、フレーム５５０は、フレームの対向する位置に配置される第１ねじアクチュエータアセンブリ５７７及び第２ねじアクチュエータアセンブリ５８０によって逆動可能に垂直方向に位置決め可能である。ねじアクチュエータアセンブリ（例えば５７７及び５８０）は通常、本明細書中で詳細に後述されるように、加熱された熱可塑性シートがシート保持器を横切って配置される際に、ねじアクチュエータアセンブリが加熱された熱可塑性シートに直接に接触する可能性を低減するように位置決めされる。
【０１４９】
図１５を参照すると、ねじアクチュエータアセンブリ５７７は、キャリッジ１５の上側面５４７に取り付けられて上側面５４７から上方に延びるボックスフレーム５８３を有する。第１ねじアクチュエータアセンブリ５７７は、第１ねじ伝達ギアボックス５８９から垂直方向に上方に延びる第１ねじ５８６と、キャリッジ１５の上側面５４７から垂直方向に上方に延びる第１案内ロッド５９２と、をさらに有する。第１ねじ５８６は、支持フレーム５５９から外側に横方向に延びる第１ねじ山アイレット５９６（図１７で視認し得る）とねじで係合する。第１案内ロッド５９２は、ねじ山が切られず、支持フレーム５５９から横方向に外側に延びる第１非ねじ山案内アイレット５９５とスライド可能に係合する。第１アクチュエータアセンブリ５７７は、第２ねじ伝達ギアボックス６０１から垂直方向に上方に延びる第２ねじ５９８（図面では部分的にのみ視認しうる）と、キャリッジ１５の上側面５４７から垂直方向に上方に延びる第２案内ロッド６０４と、を有する。第２ねじ５９８は、支持フレーム５５９から横方向に外側に延びる第２ねじ山アイレット６０７とねじで係合する。第２案内ロッド６０４は、ねじ山が切られず、支持フレーム５５９から横方向に外側に延びる第２非ねじ山案内アイレット６１０にスライド可能に係合する。
【０１５０】
第１ねじアクチュエータアセンブリ５７７は主伝達ギアボックス６１３を備える。主伝達ギアボックス６１３は、第１ねじ伝達ギアボックス５８９から横方向に外側に延びて第１ねじ伝達ギアボックス５８９に係合する第１横シャフト６１７と、第２ねじ伝達ギアボックス６０１から横方向に外側に延びて第２ねじ伝達ギアボックス６０１に係合する第２横シャフト６２０と、を有する。
【０１５１】
第２ねじアクチュエータアセンブリ５８０は第１ねじアクチュエータアセンブリ５７７と実質的に同一に形成される。図１３、図１５及び図１９を参照すると、第２ねじアクチュエータアセンブリ５８０は、第１ねじ伝達ギアボックス６２９及び第２ねじ伝達ギアボックス６３２からそれぞれ垂直方向に上方に延びて第１ねじ山アイレット６３５及び第２ねじ山アイレット６３８にそれぞれねじで係合する第１ねじ６２３及び第２ねじ６２６と、キャリッジ１５の上側面５４７から垂直方向に上方にそれぞれ延びて第１非ねじ山アイレット６４７及び第２非ねじ山アイレット６５０とそれぞれスライド可能に係合する第１案内ロッド６４１及び第２案内ロッド６４４と、第１ねじ伝達ギアボックス６２９及び第２ねじ伝達ギアボックス６３２にそれぞれ噛み合う第１横シャフト６５８及び第２横シャフト６６１を有する主伝達ギアボックス６５３と、を有する。第２ねじアクチュエータアセンブリ５８０は、単一のボックスフレーム（例えば第１ねじアクチュエータアセンブリ５７７のボックスフレーム５８３）を有するのではなく、２つの独立したボックスフレーム６６４、６６７を有する。ボックスフレーム６６４は第２ねじアクチュエータアセンブリ５８０の第１ねじ６２３及び第１案内ロッド６４１を収容し、ボックスフレーム６６７は第２ねじアクチュエータアセンブリ５８０の第２ねじ６２６及び第２案内ロッド６４４を収容する。
【０１５２】
第１及び第２ねじアクチュエータアセンブリは、それぞれ独立して又は一斉に駆動されてよく、かつ、手動で又は機械的に駆動されてよい。通常、第１及び第２ねじアクチュエータアセンブリはそれぞれ機械的に駆動され、さらに通常は一斉に機械的に駆動される。各ねじアクチュエータアセンブリのそれぞれの駆動にあたって別々のモータが用いられてよい。一実施形態では、図１３及び図１９を参照すると、第１ねじアクチュエータアセンブリ５７７及び第２ねじアクチュエータアセンブリ５８０は単一の駆動モータ６７０によって一斉に駆動される。駆動モータ６７０は、公知のモータから選択されてよく、通常は電動モータである。駆動モータ６７０は駆動シャフト６７３（図面では部分的にのみ視認しうる）を有しており、駆動シャフト６７３は、全体伝達ギアボックス６７６から外側に延びて全体伝達ギアボックス６７６に連結されており、第１ねじアクチュエータアセンブリ５７７の主伝達ギアボックス６１３から外側に延びて主伝達ギアボックス６１３に連結される第１全体横シャフト６７９を有する。全体伝達ギアボックス６７６は、第２ねじアクチュエータアセンブリ５８０の主伝達ギアボックス６５３から外側に延びて支持構造５４０の中／下側を通って主伝達ギアボックス６５３に連結される第２全体横シャフト６８２を有する。
【０１５３】
駆動モータ６７０が起動されて駆動シャフト６７３に係合すると、駆動モータ６７０は駆動シャフト６７３を回転させ、駆動シャフト６７３を介して全体伝達ギアボックス６７６は第１全体横シャフト６７９及び第２全体横シャフト６８２の回転を引き起こす。第１全体横シャフト６７９は、主伝達ギアボックス６１３を介して第１シャフト６１７及び第２シャフト６２０を回転させ、それを通じて第１ねじ伝達ギアボックス５８９及び第２ねじ伝達ギアボックス６０１は第１ねじアクチュエータアセンブリ５７７の第１ねじ５８６及び第２ねじ５９８を回転させる。同時に、第２全体横シャフト６８２は、主伝達ギアボックス６５３を介して第２ねじアクチュエータアセンブリ５８０の第１全体横シャフト６５８及び第２全体横シャフト６６１の回転を引き起こし、それを通じて第１ねじ伝達ボックス６２９及び第２ねじ伝達ボックス６３２は第２ねじアクチュエータアセンブリ５８０の第１ねじ６２３及び第２ねじ６２６の回転を引き起こす。ねじ（５８６及び５９８；６２３及び６２６）がそれぞれ別々にねじ山アイレット（５９５及び６０７；６３５及び６３８）にねじで係合する結果、例えば、駆動モータ６７０及び駆動シャフト６７３の回転方向に応じてフレーム５５０は垂直方向に上下動する。さらに、対応して、非ねじ山案内ロッド（５９２及び６０４；６４１及び６４４）がそれぞれ別々に非ねじ山アイレット（５９５及び６１０；６４７及び６５０）とスライド可能に係合する結果、フレーム５５０の垂直運動を安定化させる。様々なシャフト及び様々な伝達ギアボックスの配列の結果、第１及び第２アクチュエータアセンブリは一斉に制御可能に駆動される。
【０１５４】
本発明に係るシート成形装置はまた、少なくとも１つのシート保持器５７１を有する。図２０〜図２４を参照すると、各シート保持器は、第１型部２４の周縁５２２に向かって（又は周縁５２２の方向に）面するクランプ部６８５を有する。クランプ部６８５はクランプ部材６８８及びクランプ内側６９１を備える。クランプ部材６８８は逆動可能に開閉自在に形成される。クランプ内側６９１はクランプ部材６８８によって部分的に形成され、特に、クランプ部材６８８の内側（又は下側）面６９４によって少なくとも部分的に形成される。クランプ内側６９１は、クランプ部材６８８の内側面６９４及び；その下に配置されるフレーム５５０の上側面５５３の一部；又は特に、本明細書で詳細に後述されるように、その下に配置されるシート保持器５７１のベース板の前側部分の上側面の組み合わせによって形成されてよい。各シート保持器５７１が独立して逆動可能に横方向にフレーム５５０の上側面５５３に取り付けられる結果、クランプ部６８５は、第１型部２４の周縁５２２に対して逆動可能に横方向に位置決め可能である。
【０１５５】
本発明に係る型装置は少なくとも１つのシート保持器を有する一方で、さらに通常、型装置は少なくとも２つの別々の独立したシート保持器（例えば２つ、３つ、４つ、５つ、６つ、７つ、８つ、９つ、１０又はそれ以上の別々の独立したシート保持器）を有する。各シート保持器のクランプ部６８５が第１型部２４の周縁５２２に面するか又は周縁５２２（の方向）に向けられていることを条件に、シート保持器５７１は、開口部５５６周りでフレーム５５０上にどのように（例えば対称に又は非対称に）位置決めされてよい。一実施形態では、型装置は８つのシート保持器５７１Ａ、５７１Ｂ、５７１Ｃ、５７１Ｄ、５７１Ｅ、５７１Ｆ、５７１Ｇ及び５７１Ｈを有する。例えば図２０を参照されたい。第１型部２４は平面視でほぼ矩形形状を有し、シート保持器は第１型部の長尺側に沿って位置決めされるとともに第１型部の両端に位置決めされており、シート保持器５７１Ａ、５７１Ｂ及び５７１Ｃは第１型部２４の第１長尺側６９７に位置決めされ。シート保持器５７１Ｄ、５７１Ｅ及び５７１Ｆは第１型部２４の第２長尺側７００に位置決めされ、シート保持器５７１Ｇは第１端７０３に位置決めされ、シート保持器５７１Ｈは第２端７０６に位置決めされる（図２０参照）。第１長尺側６９７に沿って配置されるシート保持器（５７１Ａ、５７１Ｂ及び５７１Ｃ）は、第２長尺側７００に沿って配置されるシート保持器（５７１Ｄ、５７１Ｅ及び５７１Ｆ）に対して実質的に対向しつつ対称関係に配置される。第１端７０３のシート保持器５７１Ｇは、第１端７０３の反対側の第２端７０６のシート保持器５７１Ｈに対して実質的に対向しつつ対称関係に配置される。
【０１５６】
シート保持器５７１は、上側面７１２、下側面７１５及び前側部７１８を有するベースプレート７０９をさらに有する。特に図２３を参照されたい。クランプ部材６８８は、ベースプレート７０９の前側部７１８の上側面７１２に蝶番で取り付けられる。特に、クランプ部材６８８は、ヒンジ部材７２４によって上側面７１２に取り付けられ、ヒンジ部材７２４は、前側部７１８の上側面７２１に（相互に）対向して配置されて上側面７２１から上方に延びるヒンジ保持部７２７及び７３０に蝶番で（又は回転自在に）係合する。シート保持器５７１のクランプ部６８５はクランプ部材６８８及びベースプレート７０９の前側部７１８によって形成される。ベースプレート７０９の前側部７１８の上側面７２１とクランプ部材６８８の内側面６９４とは共にクランプ内側６９１を形成する。
【０１５７】
ベースプレート７０９の下側面７１５の少なくとも一部は、フレーム５５０の上側面５５３に対してスライドして当接する関係を有する。一実施形態では、シート保持器５７１は、ベースプレート７０９の下側面７１５から延びる少なくとも１つの細長ガイドをさらに備え、細長ガイドは、フレーム５５０の上側面５５３内で適切な寸法の溝又は隙間（図示せず）内に受け入れられる。細長ガイドは、第１型部２４の周縁５２２から（例えば周縁５２２に直交方向に）横方向に外側に向けられ、本発明の装置及び方法におけるシート保持器の逆動可能な横方向の動きの制御（例えば方向）を向上させる。図２４を参照すると、シート保持器５７１は、ベースプレート７０９の下側面７１５から外側に（下側に）延びる第１細長ガイド７３３及び第２細長ガイド７３６を有する。第１細長ガイド７３３及び第２伸長ガイド７３６は、フレーム５５０の上側面５５３内のスライド可能に寸法形成された溝又は隙間（図示せず）にスライド可能に受け入れられる。第１及び第２細長ガイド（７３３、７３６）がフレーム５５０の上側面５５３の溝にスライド可能に受け入れられる結果、本発明に係る方法においてシート保持器が横方向に再位置決めされる際にシート保持器５７１を所望の方向に維持するように働く（例えばクランプ部６８５が第１型部２４の周縁５２２に面する）。
【０１５８】
各シート保持器の逆動可能な横方向移動は手動で又は通常は機械的に実現される。本実施形態では図２２及び図２３を参照すると、シート保持器５７１は、第１端７４２及び第２端７４５を有する第１直線アクチュエータ７３９をさらに有する。本明細書中で用いられるように、用語「直線アクチュエータ」は直線的に逆動可能に伸展可能な装置を意味する。直線アクチュエータは、シート保持器に関して用いられる際、直線ねじアクチュエータ、油圧直線アクチュエータ、空圧直線アクチュエータ及びその組み合わせなどの、当技術分野で認識された装置から選択されればよい。シート保持器５７１のベースプレート７０９は、スロット（又は細長孔／開口）７４８と、上側面７５１を有する後側部５７４と、をさらに有する。
【０１５９】
第１直線アクチュエータ７３９の第１端７４２は、スロット７４８内に配置されてフレーム５５０の上側面５５３に固定して取り付けられる。第１直線アクチュエータ７３９の第１端７４２は通常、フレーム５５０の上側面５５３に取り付けられるブラケット７５４に旋回可能に取り付けられる。第１端７４２とブラケット７５４との旋回可能の取り付けは、ブラケット７５４を横方向に貫通するピンと第１端７４２に形成される孔といった当技術分野で認識された手段で実現されてよい。第１直線アクチュエータ７３９の第２端７４５は、ベースプレート７０９の後側部５７４の上側面７５１に固定して取り付けられる。通常、第１直線アクチュエータ７３９の第２端７４５は、ベースプレート７０９の後側部５７４の上側面７５１から上方に延びるブラケット７５７に旋回可能に取り付けられる。第２端７４５とブラケット７５７との旋回可能の取り付けは、ブラケット７５７を横方向に貫通するピン７６０と第２端７４５に形成される孔といった当技術分野で認識された手段で実現されてよい。
【０１６０】
図に示されるように、第１直線アクチュエータ７３９は、ピストン（視認できず）を収容するシリンダ７６３と、第２端７４５にねじで接続される逆動可能の引込式アーム７６６と、を有する。第１直線アクチュエータ７３９が逆動可能に直線的に伸展すると、第１型部２４の周縁５２２に対してシート保持器５７１は逆動可能に横方向移動する。特に、引込式アーム７６６が伸展すると、シート保持器５７１は第１型部２４の周縁５２２から離れる方向に横方向に（例えばシート保持器５７１Ａの場合にはｘ軸に沿って、又は、シート保持器５７１Ｇの場合にはｙ軸に沿って）移動する。対応して、引込式アーム７６６がシリンダ７６３内に引き込まれると、シート保持器５７１は、第１型部２４の周縁５２２に向かって横方向に（例えばシート保持器５７１Ａの場合にはｘ軸に沿って、又は、シート保持器５７１Ｇの場合にはｙ軸に沿って）移動する。例えば図２０を参照されたい。
【０１６１】
シート保持器５７１のクランプ部材６８８は手動で、又は通常は機械的に開閉されてよい。一実施形態では図２２及び図２３を参照すると、シート保持器５７１は、第１端７７２及び第２端７７５を有する第２直線アクチュエータ７６９をさらに有する。第１直線アクチュエータ７３９と同様に、第２直線アクチュエータ７６９は逆動可能に直線的に伸展自在で、例えば直線ねじアクチュエータ、油圧直線アクチュエータ、空圧直線アクチュエータ及びその組み合わせといった公知の直線アクチュエータから選択されてよい。
【０１６２】
第２直線アクチュエータ７６９の第１端７７２はクランプ部材６８８の外側面７７８に旋回可能に取り付けられる。さらに通常は、第２直線アクチュエータ７６９の第１端７７２は、クランプ部材６８８の外側面７７８から外側に突き出るブラケットすなわち突起７８１に旋回可能に取り付けられる。図に示されるように、第２直線アクチュエータ７６９の第１端７７２はブラケットの形態であり、突起７８１を受け入れ、第１端７７２及び突起７８１の旋回可能の取り付けは、例えば第１端７７２に取り付けられて、突起７８１に形成される孔（図では視認できず）を通って延びるピンといった当技術分野で認識された方法で実現されてよい。第２直線アクチュエータ７６９の第２端７７５はベースプレート７０９の後側部５７４の上側面７５１に取り付けられる。通常、第２端７７５は、ベースプレート７０９の後側部５７４の上側面７５１から上方に延びるブラケット（例えばブラケット７５７）に旋回可能に取り付けられる。第２端７７５及びブラケット７５７の旋回可能の取り付けは、ブラケット７５７及び第２端７７５を通って延びるピンといった当技術分野で認識された方法で実現されてよい。
【０１６３】
一実施形態では、第１直線アクチュエータ７３９の第２端７４５と第２直線アクチュエータ７６９の第２端７７５とはともに同一のブラケット（例えばブラケット７５７）に取り付けられる。この特定の実施形態では図に示されるように、第２直線アクチュエータの第２端７７５はブラケット７５７の上側部に旋回可能に取り付けられ、第１直線アクチュエータ７３９の第２端７４５は第２端７７５の取り付け点の下側でブラケット７５７の下側部に取り付けられる。
【０１６４】
図に示されるように、第２直線アクチュエータ７６９は、ピストン（視認できず）を収容するシリンダ７８４と、第１端７７２にねじで接続される逆動可能な引込式／伸展可能アーム７８７と、をさらに有する。第２直線アクチュエータ７６９が逆動可能に直線的に伸展すると、クランプ部材６８８は逆動可能に閉じる（及び、対応して開く）。特に、逆動可能な引込式アーム７８７が伸展すると、クランプ部材６８８は閉じ位置まで、又は、閉じ位置に向かって移動し、対応して、逆動可能な引込式アーム７８７が（シリンダ７８４内に）引き込まれると、クランプ部材６８８は開き位置まで、又は、開き位置に向かって移動する。
【０１６５】
油圧及び／又は空圧で直線アクチュエータが駆動される場合、シート保持器の直線アクチュエータにはポートが形成され、直線アクチュエータの直線的な伸展及び引き込みの実現にあたって、そのポートを通じて流体（例えば空気及び／又は油圧流体／オイルといった液体）が（通常は高圧下で）導入される。図２３を参照すると、説明のため、第２直線アクチュエータ７６９は第１ポート７９０及び第２ポート７９３を有しており、アーム７８７の直線的な伸展及び引き込み、その結果であるクランプ部材６８８の逆動可能な開閉にあたって、第１ポート７９０及び第２ポート７９３を通じて高圧下で流体（例えば空気及び／又はオイルといった液体）が導入される。第１直線アクチュエータ７３９にはこうしたポート（図示せず）が同様に形成される。
【０１６６】
一実施形態では、本明細書で前述されるように、フレーム５５０は、下側に配置される支持フレーム５５９上に配置されて支持フレーム５５９で支持される。フレーム５５０の外縁５６５は、所定の寸法に形成されて支持フレーム５５９の外縁５６８より内側に配置される。フレーム５５０の外縁５６５が支持フレーム５５９の外縁５６５より内側に位置決めされる結果、シート保持器の逆動可能な横方向移動の結果として各シート保持器５７１の後側部５７４が、支持フレーム５５９の上側面５６２を越えて、上側面５６２上で、及び、上側面５６２と分離して横方向に移動することができる。例えば図１３、図２０及び図２１を参照されたい。特に、本実施形態では、ベースプレート７０９の後側部５７４内（又は下側）にある下側面７１５の一部が、支持フレーム５５９の上側面５６２を越えて、上側面５６２上で、及び、上側面５６２と分離して横方向に移動することができる。こうした配列は、シート保持器５７１が使用される間（例えば本発明に係る方法の間）、限定されるわけではないが、例えば細長ガイド７３３及び７３６を有するベースプレート７０９の下側面７１５に潤滑材が塗布されてもよいことを含む理由のために望ましい。
【０１６７】
本発明に係るシート成形の実施形態の間、加熱された熱可塑性シートの一部が、本明細書で後述されるように、シート保持器５７１のクランプ部６８５のクランプ内側６９１に接触する。通常、加熱された熱可塑性シートの一部は、クランプ部材６８８でクランプされる加熱されたシートがクランプ内側６９１内に保持される前及び後に前側部７１８の上側面７２１に接触する。シート保持器５７１のクランプ部６８５の汚染（例えば溶融状態の又はほぼ溶融状態の熱可塑性材料の残存）を回避又は低減するために、シート保持器５７１の少なくとも前側部７１８の温度を制御（例えば冷却）することが望ましい。一実施形態では、シート保持器５７１のベースプレート７０９には、ベースプレート７０９の前側部７１８内に延びる少なくとも１つの収容通路７９６が形成される。例えば図２１のシート保持器５７１Ｂを参照すると、収容通路７９６の終点はベースプレート７０９の後側部５７４内にあるように示される。収容路はベースプレート７０９を通って延びてよく、又は、収容路は、ベースプレート７０９の外側面（例えば上側面７１２）に取り付けられる管（図示せず）の形状を有してよい。
【０１６８】
収容通路７９６は熱交換流体の受け入れ及び通過を許容する寸法に形成される。熱交換流体は、例えば水、グリコール（例えばエチレングリコール、プロピレングリコール及び／又はポリアルキレングリコールなどのアルキレングリコール）、アルコール（例えばメタノール、エタノール、ｎ−プロパノール及び／又はイソ−プロパノール）、及び、それらの混合物といった当業者に既知のものから選択されてよい。例えば図２２を参照すると、熱交換流体は、熱交換器（図示せず）の容器からくみ出されて、ポート７９９を介して導入され、ポート８０２から取り出される（そして、熱交換器の容器に戻る）。熱交換流体は、低い温度（例えば２０℃、１５℃又は１０℃の室温といった、加熱された熱可塑性シートの温度よりも低い温度又は同等の温度）で収容通路７９６に通常は導入される。熱交換流体は収容通路７９６を通って前側部７１８（図示せず）に流れ、熱交換流体がポート８０２から取り出される際に熱エネルギーを取り除くように働く。
【０１６９】
シート保持器、並びに、ベースプレート及びクランプ部材といった様々な部品は、適切な剛体の材料から製造されてよい。例えば、各シート保持器は、例えば金属、熱硬化性プラスチック材料、熱可塑性材料、セラミック材料及びそれらの組み合わせなどから製造されてよい。通常、シート保持器は金属（例えば鉄）から製造される。
【０１７０】
シート保持器は、加熱された熱可塑性シートの一部をクランプ部内で保持することができるという条件で適切な寸法を有してよい。図２２及び図２３を参照すると、ベースプレート７０９は、通常７．６２ｃｍ〜１２７ｃｍ、さらに通常は１５．２４ｃｍ〜１０１．６ｃｍ、さらに通常は３０．４８ｃｍ〜６０．９６ｃｍの幅８０５を有する。実施形態ではベースプレート７０９は５０．７５ｃｍの幅８０５を有する。ベースプレート７０９は、通常は７．６２ｃｍ〜１２７ｃｍ、さらに通常は１５．２４ｃｍ〜１０１．６ｃｍ、さらに通常は３０．４８ｃｍ〜６０．９６ｃｍの長さ８０８を有することが好ましい。一実施形態ではベースプレート７０９は４５．７２ｃｍの長さ８０８を有する。クランプ部材６８８は、通常は７．６２ｃｍ〜１２７ｃｍ、さらに通常は１５．２４ｃｍ〜１０１．６ｃｍ、さらに通常は３０．４８ｃｍ〜６０．９６ｃｍの幅８１１を有することが好ましい。一実施形態ではクランプ部材６８８は５０．７５ｃｍの幅８１１を有し、ベースプレート７０９の幅８０５と実質的に同一である。代替としては、ベースプレート７０９の後側部５７４及び前側部７１８は相互に異なる幅８０５を有してもよい。例えば後側部５７４の幅８０５は前側部７１８の幅８０５より大きく（又は小さく）設定されてもよい。
【０１７１】
通常、第１型部２４、フレーム５５０及びシート保持器５７１は、シートダイ１１３の下側の平面、例えば図１３のｘ軸及びｙ軸で規定される平面内に共に位置決めされる。参照の目的のために、周縁５２２は、図１３のｘ軸及びｙ軸で規定される平面内に実質的にある。加熱された熱可塑性シート１５３が形成されてシートダイ１１３からｚ軸に沿って垂直方向及び重力方向に落下すると、第１型部２４、フレーム５５０及び各シート保持器５７１は、図１３の２つの矢印８１４によって示されるように、案内トラック３９に沿って逆動可能に位置決め可能であるキャリッジ１５によって、シートダイ１１３の下側の平面に共に位置決め可能である。案内トラック３９に沿ったキャリッジ１５の移動に加えて、シートダイ１１３は、任意選択的に、第１型部２４、フレーム５５０及び各シート保持器５７１がある平面の上方の平面内で往復移動可能であってよい。シートダイ１１３は、トラック又はレール（図示せず）といった既知の手段で逆動可能に移動することができる。通常、シートダイ１１３は、キャリッジ１５がその下側を移動する際にほぼ静止して保持される。
【０１７２】
本発明に係る方法のシート成形の実施形態において、第１型部２４及び（シート保持器５７１を伴って）フレーム５５０が初期に相互に位置決めされると、フレーム５５０の上側面５５３は第１型部の周縁５２２の上側に配置される。例えば図１３及び図１４を参照されたい。第１型部が第１雄型部である場合（図示されるように）、フレームの上側面の初期位置は、周縁の上側に配置されることに加えて：（ｉ）第１雄型部の内側型面の上側端の上側に配置され：又は（ｉｉ）周縁の上側に配置され、かつ、第１雄型部の内側型面の上側端の下側に配置される。図に示されるように、フレーム５５０の上側面５５３は、周縁５２２の上側に初期に位置決めされ、内側型面２７の上側端の上側に位置決めされる。（周縁の下側に実質的に窪む）第１雌型部の場合、フレームが初期位置に配置されると、フレームの上側面が周縁の上側及び第１雌型部の内側型面の上側に配置される。
【０１７３】
フレーム５５０及び第１型部２４の相対的な位置決めは、本明細書で前述されるように実現されてよい。例えば第１及び第２ねじアクチュエータアセンブリ（５７７、５８０）が（例えばモータ６７０及び様々なシャフト並びに伝達ギアボックスによって）駆動されると、支持フレーム５５９及びフレーム５５０（及び、対応して、シート保持器５７１）はｚ軸に沿って垂直方向に上方に移動し、その結果、フレーム５５０の上側面５５３は周縁５２２の上側、及び、図に示されるように、第１型部２４の内側型面２７の上側に配置される。
【０１７４】
図５を参照すると、一実施形態では、キャリッジコントローラ４５は、物理的／電気的連結８１７を通じてモータ６７０に作動フレーム垂直位置決め命令を提供し、その結果、第１及び第２ねじアクチュエータアセンブリ（５７７、５８０）を起動させ、対応して、フレーム支持体５５９、フレーム５５０及びそのシート保持器５７１を起動させる。通常、キャリッジコントローラ４５は、主コントローラ１２がキャリッジコントローラ４５に（例えば、キャリッジ１５の前進速度制御、フレーム５５０の垂直方向の位置決め及び／又はシート保持器５７１の制御に関する）１以上のポリマー導入関連指令を無線で通信する時に起動されるか又は開始される少なくとも１つのポリマー導入ステーションキャリッジ制御プログラムを有する。主コントローラ１２は、キャリッジ１５がポリマー導入ステーション１８に位置決めされる時、キャリッジコントローラ４５に１以上のポリマー導入関連指令を無線で通信する。キャリッジ位置表示器６２によって特定されたポリマー導入ステーション１８でのキャリッジ１５の位置は、物理的連結６５を介してキャリッジコントローラ４５に送信され、その後、無線通信ノード８６及び８３（図５）を介して主コントローラ１２に無線で通信される。
【０１７５】
本発明に係るシート成形の実施形態において、各シート保持器５７１のクランプ部材６８８は開き位置に調整される。各クランプ部材６８８が開き位置に位置決めされると、特にシート保持器５７１の上側から各クランプ内部６９１にアクセスすることができる。例えば図２１に示されるシート保持器５７１Ｃのクランプ部材６８８を参照されたい。同様に、図１５には、すべて開き位置に位置決めされる各シート保持器５７１Ａ〜５７１Ｃのクランプ部材６８８が図示される。一実施形態では、第２直線アクチュエータ７６９のアーム７８７が（シリンダ７８４内に）引っ込められると、ヒンジ部材７２４上で後方にクランプ部材６８８が回転し、クランプ部材６８８は開き位置に位置決めされる。
【０１７６】
一実施形態では、キャリッジコントローラ４５は、物理的／電気的連結８２０（図５）を通じて１以上のシート保持器５７１に作動シート保持器制御命令を提供する。作動シート保持器制御命令は、（ｉ）作動クランプ部材開／閉命令、及び（ｉｉ）作動シート保持器横位置決め命令、にさらに分割されてよく又はとして説明されてよい。作動クランプ部材６８８開／閉命令は、第２直線アクチュエータ７６９を対応して作動させ、作動シート保持器５７１横位置決め命令は第１直線アクチュエータ７３９を対応して作動させる。第１及び第２直線アクチュエータは通常は油圧で又は空圧で作動されるので（明細書中で説明されたように）、作動シート保持器制御命令は、キャリッジコントローラ４５から１以上の油圧／空圧ポンプ（図示せず）により具体的に提供されてよく、ポンプは、第１及び第２直線アクチュエータ（７３９、７６９）と流体連通するゲート制御された連結管（図示せず）をさらに有してよい。
【０１７７】
本発明に係るシート成形の実施形態において、第１面（例えば５１３）及び第２面（例えば５１６）を有する加熱された熱可塑性シート（例えば１５３）は少なくとも１つの熱可塑性合成物から形成される。加熱された熱可塑性シートは、特に、（ｉ）各シート保持器のクランプ内側に接触してクランプ内側内に保持され、（ｉｉ）第１型部の内側型面に引き寄せられて内側型面の輪郭に密接に接触する際に、熱成形を許容する温度（例えば熱成形温度）を有する。加熱された熱可塑性シートの温度は熱可塑性シートの融点と同じか又はそれを上回る温度であればよいが、加熱された熱可塑性シートの温度はさらに通常は熱可塑性シートの軟化点（又はガラス転移温度）と同じか又はそれを上回る温度、かつ、熱可塑性シートの融点より低い温度である。
【０１７８】
一実施形態では、加熱された熱可塑性シートは、加熱された熱可塑性シートの第１面及び第２面の間に配置される内側面を有する。本実施形態では、加熱された熱可塑性シートの温度は、第１面、内側面及び第２面を通じて実質的に均一（例えば２℃又は１℃より小さい温度で変化する、又は、２℃又は１℃の同じ温度で変化する）である。特に、（ｉ）加熱された熱可塑性シートの第２面の第１部分が少なくとも１つのシート保持器のクランプ内側に接触する際、及び、（ｉｉ）第１型部の内側型面に対して加熱された熱可塑性シートの第２面の第２部分が引き寄せられる際、温度は均一である。
【０１７９】
加熱された熱可塑性シートの温度は、例えば加熱された熱可塑性シートの第１面及び第２面に熱電対を接触させ、及び、加熱された熱可塑性シートの内側部に熱電対を差し込むといった当技術分野で認識された方法で特定されてよい。代替として又はそれに加えて、加熱された熱可塑性シートの第１面及び第２面の温度の特定にあたって赤外線センサといった遠隔温度センサが用いられてもよい。
【０１８０】
本明細書及び特許請求の範囲で用いられるように、用語「シート」、並びに、「シートダイ」、「加熱された熱可塑性シート」及び「押し出されたシート」といった同種の用語は、用語「フィルム」、並びに、例えば「フィルムダイ」、「加熱された熱可塑性フィルム」及び「押し出されたフィルム」といった同種の用語を含む。シートダイから、さらに通常は、シートダイのスロットから押し出される際、加熱された熱可塑性シートは通常、０．５ｍｍ〜２５ｍｍ、さらに通常は１．５ｍｍ〜１５ｍｍ、さらに通常は６ｍｍ〜１２ｍｍの厚さを有する。本発明に係る一実施形態では、シートダイから押し出される際、加熱された熱可塑性シートは９ｍｍの厚さを有する。加熱された熱可塑性シートを第１型部２４の内側型面に引き寄せて、内側型面の輪郭に合わせ込んで内側型面の輪郭に接触させるプロセスの間、加熱された熱可塑性シートの厚さは（シートダイのスロットから押し出される際の加熱された熱可塑性シートに比べて）通常は減少する。本発明に係る方法によって形成される成形品である形作られた熱可塑性シートは通常は０．２５ｍｍ〜１２．５ｍｍ、さらに通常は０．７５ｍｍ〜８ｍｍ、さらに通常は３ｍｍ〜６ｍｍの厚さを有する。本発明に係る実施形態では、本発明に係る方法によって形成される成形品である形作られた熱可塑性シートは平均的に４．５ｍｍの厚さを有する。
【０１８１】
本発明に係るシート成形の実施形態の過程で形成される加熱された熱可塑性シートは適切な幅及び長さを有する。加熱された熱可塑性シートは通常はシートダイによって形成されることから、その幅はシートダイの幅、特にシートダイの細長いシートスロットの幅、に依存するとともに限定される。加熱された熱可塑性シートは例えば２．５ｃｍ〜５ｍ、又は３１ｃｍ〜３ｍ、又は６１ｃｍ〜２ｍの幅を有してよい。加熱された熱可塑性シートは、通常は本発明に係る方法において連続的に適切な長さに形成されればよい。例えば加熱された熱可塑性シートは３１ｃｍ〜１０ｍ、又は６１ｃｍ〜２ｍの長さを有してよい。本発明に係る特定の実施形態では、加熱された熱可塑性シートは３ｍ（およそ１０フィート）の幅を有し、５ｍ（およそ１６．５フィート）の長さを有する。
【０１８２】
加熱された熱可塑性シート１５３がシートダイ１１３から押し出されると、加熱された熱可塑性シート１５３の第２面５１６は、シート保持器５７１のクランプ内側６９１及び第１型部２４の内側型面２７に面する（例えば対面する）。加熱された熱可塑性シート１５３の第１面５１３は、シート保持器５７１のクランプ内側６９１及び内側型面２７に対して（例えば上側に）表向きにされる。
【０１８３】
加熱された熱可塑性シート１５３の第２面５１６、及び、加熱された熱可塑性シート１５３自体は、第１部分、第２部分及び第３部分を有するように本発明に関して説明されてよい。図示にあたって、図２５を参照し、加熱された熱可塑性シート１５３の第２面５１６の第１部分８２３は、シート１５３の末端８２６に通常近接して又は末端８２６に向かって配置される。第２面５１６の第２部分８２９は加熱された熱可塑性シート１５３の中央領域に通常配置される。第２面５１６の第３部分８３２は、加熱された熱可塑性シート１５３の第１部分８２３及び第２部分８２９の間の領域（間に挟み込まれて）に通常は配置される。第１面５１３は同様に、加熱された熱可塑性シート１５３の第２面５１６の反対側（例えば第１面５１３）に第１部分８２３、第２部分８２９及び第３部分８３２を有する。加えて、加熱された熱可塑性シート１５３は通常、図２５に示されるそれらの部分に対応する第１部分８２３、第２部分８２９及び第３部分８３２を有するように説明されてよい。
【０１８４】
加熱された熱可塑性シートの第２面５１６の第１部分（例えば８２３）は、本発明に係る方法において、少なくとも１つのシート保持器５７１のクランプ部６８５のクランプ内側６９１に接触する。通常、加熱された熱可塑性シート１５３が形成されると、加熱された熱可塑性シート１５３は、連続的に配列されるシート保持器５７１のクランプ内側６９１に連続的に接触する。例えば、加熱された熱可塑性シート１５３がシートダイ１１３から押し出されて下方向に広がると、フレーム５５０、シート保持器５７１及び第１型部２４は、例えば図１５の矢印８３５の方向に、（本明細書で前述されるように）シートダイ１１３の下側の平面内で（例えば図１３のｙ軸に沿って）横方向に移動する。図１３及び図１５を参照すると、加熱された熱可塑性シート１５３が形成されて、フレーム５５０及び第１型部２４が熱可塑性シート１５３の下で横方向に移動すると、加熱された熱可塑性シート１５３の第２面５１６の第１部分８２３は、次の：シート保持器５７１Ｇ；シート保持器５７１Ｃ及び５７１Ｆ；シート保持器５７１Ｂ及び５７１Ｅ；シート保持器５７１Ａ及び５７１Ｄ；最後にシート保持器５７１Ｈの順番でシート保持器５７１のクランプ内側６９１に連続的に接触していく。
【０１８５】
本発明に係る方法において、次にクランプ部材６８８が閉じ位置に移動すると、加熱された熱可塑性シート１５３の第１部分８２３がクランプ内側６９１内でクランプして保持される。特に、クランプ部材６８８の一部は、加熱された熱可塑性シート１５３の第１面５１３の第１部分８２３に当接しつつクランプ／保持する関係を確立すると同時に、シート１５３の第２面５１６の第１部分８２３が、シート保持器５７１のベースプレート７０９の前側部７１８の上側面７２１に保持されつつ当接する。通常、加熱された熱可塑性シート１５３の第１部分８２３は、クランプ部材６８８の内側面６９４とシート保持器のベースプレート７０９の前側部７１８の上側面７２１との間にクランプされ／保持される。
【０１８６】
シート保持器のクランプ部材はすべて、加熱された熱可塑性シートがすべてのシート保持器のクランプ内側に接触した後、閉じ位置に一斉に移動する。例えばシート保持器５７１Ａ〜５７１Ｈのクランプ部材６８８が一斉に閉じ位置に移動する。代替として、加熱された熱可塑性シートの第２面の第１部分がシート保持器のクランプ内側に連続的に接触すると、シート保持器のクランプ部材は連続的に閉じ位置に移動してもよい。例えば各シート保持器５７１のクランプ部材６８８は以下の：シート保持器５７１Ｇ；シート保持器５７１Ｃ及び５７１Ｆ；シート保持器５７１Ｂ及び５７１Ｅ；シート保持器５７１Ａ及び５７１Ｄ；及び最後にシート保持器５７１Ｈの順番で閉じ位置に移動する。
【０１８７】
一実施形態では、第２直線アクチュエータ７６９のアーム７８７が（例えばシリンダ７８４の外側に）伸展すると、クランプ部材６８８は、ヒンジ部材７２４上で前方に回転した後に閉じ位置に位置決めされる。例えば図２１を参照すると、シート保持器５７１Ａのクランプ部材６８８は閉じ位置に位置決めされる。図１６を参照すると、８つすべてのシート保持器５７１Ａ〜５７１Ｈのクランプ部材６８８が閉じ位置に位置決めされ、加熱された熱可塑性シート１５３の第１部分は各シート保持器のクランプ内側６９１内にクランプされて保持される。加えて、図１６では、フレーム５５０のシート保持器５７１内に保持される加熱された熱可塑性シート１５３がシートダイ１１３から切り離される。図１６に示されていないものの、加熱された熱可塑性シート１５３の一部は、シートダイ１１３から依然として押し出されているものの、シート保持器５７１内に保持される加熱された熱可塑性シート１５３から切り離される。
【０１８８】
加熱された熱可塑性シートの第１部分がシート保持器のクランプ内側内に保持されると、第１型部２４及びフレーム５５０が相互に位置決めされ、第１型部２４の内側型面２７の少なくとも一部に加熱された熱可塑性シート１５３の第２面の第２部分（例えば図２５の８２９）が接触する。図１６及び図１７を参照すると、フレーム５５０（及び対応してシート保持器５７１）は、垂直方向に固定された第１型部２４に対して（例えばｚ軸に沿って垂直方向に下向きに）逆動可能に制御可能に垂直方向に位置決めされ、それによって加熱された熱可塑性シート１５３の第２面（５１６）の第２部分（例えば８２９）が第１型部２４の内側型面２７の少なくとも一部に接触する。フレーム５５０はシート保持器５７１とともにｚ軸に沿って移動し、第１型部２４の周縁５２２の下側に配置される。本明細書で前述されるように、特に、キャリッジコントローラ４５が物理的／電気的連結８１７（図５）を通じてモータ６７０に作動フレーム垂直位置決め命令を提供すると、フレーム５５０は第１及び第２ねじアクチュエータアセンブリ（５７７、５８０）によって逆動可能に垂直方向に位置決めされてよい。
【０１８９】
内側型面２７に対するフレーム５５０の初期位置に応じて、加熱された熱可塑性シートの第２面の第２部分と第１型部の内側型面の少なくとも一部とは、シート保持器５７１のクランプ部６８５のクランプ内側６９１との／クランプ内側６９１内での加熱された熱可塑性シートの第２面の第１部分の接触に先だって接触（又はクランプ保持）するか、接触と同時に接触するか、又は、接触に連続して接触してよい。例えばフレーム５５０が初期位置に位置決めされると、その上側面５５３は、周縁５２２の上方に配置されると同時に、（第１雄型部の場合に）第１型部２４の内側型面２７の上側端の下側に配置され、この場合、加熱された熱可塑性シートの第２面の第２部分は、クランプ内側との／クランプ内側内での加熱されたシートの第２面の第２部分の接触及び／又は保持に先立って又は同時に内側型面の一部に接触してよい。本発明に係る実施形態では、加熱された熱可塑性シートの第２面の第２部分と第１型部の内側型面の少なくとも一部とは、シート保持器５７１のクランプ部６８５のクランプ内側６９１との／クランプ内側６９１内での加熱された熱可塑性シートの第２面の第１部分の接触（又はクランプ保持）の後に接触する。
【０１９０】
加熱された熱可塑性シートの第２面の第２部分と第１型部の内側型面の少なくとも一部との接触に先立って、接触と同時に、又は、接触の後に、各シート保持器は（そのクランプ内側に保持される加熱されたシートの第１部分とともに）、第１型部２４の周縁５２２に近づく位置、及び／又は、周縁５２２から遠ざかる位置、から選択される横位置に独立して横方向に移動する。例えばフレーム５５０が垂直方向に下側に移動すると（及び、加熱された熱可塑性シートの第２面が第１型部の内側型面の少なくとも一部に接触すると）、各シート保持器５７１は第１型部２４の周縁５２２に対して連続的に、及び／又は、断続的に横方向に再位置決めされる（すなわち、周縁５２２に近づく、及び／又は、周縁５２２から遠ざかる）。代替として、フレーム５５０が垂直方向に下側に移動し、加熱された熱可塑性シートの第２面が対応して第１型部の内側型面の少なくとも一部に接触することに先だって、各シート保持器５７１は周縁５２２に対して独立して横方向に再位置決めされる。さらに、代替として、フレーム５５０が垂直方向に下側に移動し、加熱された熱可塑性シートの第２面が対応して第１型部の内側型面の少なくとも一部に接触した後、各シート保持器５７１は周縁５２２に対して独立して横方向に再位置決めされてよい。
【０１９１】
特定の実施形態において、（型の周縁に対して）少なくとも１つのシート保持器を横方向に横位置に移動させる工程は、第１型部及びフレームが相互に位置決めして、加熱された熱可塑性シートの第２面の第２部分と第１型部の内側型面の少なくとも一部とを接触させる工程に先立って、工程とほぼ同時に、又は、工程の後に、の少なくともいずれかで実施される。特に、相対的に横方向に少なくとも１つのシート保持器を横位置に移動させる工程は、第１型部及びフレームを相対的に位置決めする工程とほぼ同時に、及び／又は、工程の後に実施される。さらに特に、相対的に横方向に少なくとも１つのシート保持器を横位置に移動させる工程は、第１型部及びフレームを相対的に位置決めする工程とほぼ同時に実施される。
【０１９２】
各シート保持器の独立した横方向の再位置決めは、第１直線アクチュエータ７３９の伸展する又は引き込まれる逆動可能な引込式アーム７６６によって実現されてよい。例えばアーム７６６がシリンダ７６３の外側に延びると、シート保持器５７１は第１型部２４の周縁５２２からｘ軸に沿って離れて横方向に移動する。対応して、アーム７６６がシリンダ７６３内に引き込まれると、シート保持器５７１は第１型部２４の周縁５２２の方向に向かって又は周縁５２２の方向にｘ軸に沿って横方向に移動する。キャリッジコントローラ４５は、物理的／電気的連結８２０（図５）によって各シート保持器５７１（又は、各第１直線アクチュエータ７３９と流体連通する油圧／空圧装置）に作動シート保持器横方向位置決め命令を提供する。
【０１９３】
（クランプ内側内に保持され／クランプされる加熱されたシートの第１部分とともに）シート保持器が横方向に移動すると、第１型部の内側型面に接触する加熱された熱可塑性シートの第２部分の少なくとも一部の厚さを制御するように働く。加えて、（クランプ内側内に保持され／クランプされる加熱されたシートの第１部分とともに）シート保持器が横方向に移動すると、加熱された熱可塑性シートの第２面の第２部分が第１型部の内側型面の輪郭に密接に合わせ込まれて内側型面に接触することが補助されて促進される。
【０１９４】
手近な証拠に基づいて、かつ、いかなる理論に拘束される意図はないものの、シート保持器が第１型部の周縁に向かって横方向に移動すると、加熱されたシートが内側型面に接触する際、（型が雄型であるか、又は、雌型であるかに関わらず）大量の加熱された熱可塑性シート材料が利用されると考えられる。大量の加熱された熱可塑性材料が、シート保持器が型に近づいた部分で型に覆い被さると、その領域でシートの厚さが増大する（従って、成形品の厚さはその領域で増大する）。対応して、シート保持器が第１型部の周縁から横方向に遠ざかると、加熱されたシートが内側型面に接触する際、（型が雄型であるか、又は、雌型であるかに関わらず）少量の加熱された熱可塑性シート材料が利用される。少量の加熱された熱可塑性材料が、シート保持器が型から遠ざかった部分で型に覆い被さると、その領域でシートの厚さは減少する（従って、成形品の厚さはその領域で減少する）。
【０１９５】
横方向に移動自在の複数のシート保持器（例えば５７１Ａ〜５７１Ｈ）が型の周縁周りに配置される場合、例えばいくつかのシート保持器が周縁に向かって移動する一方で他のシート保持器が型の周縁から遠ざかって移動する結果、加熱されたシートの厚さは型の様々な領域内／領域にわたって変化してよい。
【０１９６】
複合内側型面、例えば雄として特徴づけられる一部、及び、雌として特徴づけられる他の部分を有する第１型部の場合、いくつかのシート保持器は横方向に周縁に向かって移動する一方で、他のシート保持器は横方向に周縁から遠ざかって移動してよい。例えば雄の内側型面の部分に隣接するシート保持器は横方向に周縁から遠ざかって移動してよい一方で；雌の内側型面の部分に隣接するシート保持器は横方向に周縁に向かって移動してよく；逆の場合も同じである。代替として又はそれに加えて、１以上のシート保持器の横方向位置は、加熱された熱可塑性シートの第２面を型の内側型面に接触させるように調整（例えば順次に調整、及び／又は、連続的に調整）されてよく、こうした横方向位置は、型の周縁への接近、型の周縁からの離隔、及び、それらの組み合わせ、他の又は追加の組み合わせ（例えば接近、離隔及び接近、又は、離隔、接近及び離隔）から選択されてよい。
【０１９７】
一実施形態では、各シート保持器は横方向位置の横方向距離を通じて（例えば型の周縁に接近する方向に、又は、周縁から離れる方向に）移動することができ、横方向距離は通常２．５４ｃｍ〜９１．４４ｃｍ、さらに通常は５．０８ｃｍ〜６０．９６ｃｍ、さらに通常は７．６２ｃｍ〜３０．４８ｃｍである。一実施形態では、各シート保持器はおよそ１９．０５ｃｍの横方向距離の距離（例えば型の周縁に接近する方向に、又は、周縁から離れる方向に）にわたって移動すればよい。
【０１９８】
シート成形の実施形態によれば、加熱された熱可塑性シートは、第１型部の周縁から離れる方向にシート保持器の横方向移動によって縦方向に及び／又は横方向に引き延ばされる一方で、加熱された熱可塑性シートは、例えば以下の表現Ｔｇ＜Ｔ（シート）＜Ｔｍによって表されるように、そのガラス転移点の間であり、その融点以下である。
【０１９９】
（Ｔｇ＜Ｔ（シート）＜Ｔｍの状態における）引き延ばし工程中、加熱された熱可塑性シートの固相状態のポリマー分子は引き延ばし方向に方向付けられることになり、それによって、引き延ばし方向に沿って物理的特性（例えば圧縮強度）を改善するか又は増大させる。そのようにして、本発明の方法に従って形成された形作られた熱可塑性シートは、（ポリマー分子に対して）一軸性の又は二軸性の方向を示し得る。さらに、熱可塑性シートが例えばガラス繊維などの繊維を有する場合、型周縁から離れる方向のシート保持器の横移動によって（例えばＴｇ＜Ｔ（シート）＜Ｔｍの状態における）加熱された熱可塑性シートの引き延ばしは、一軸に又は二軸に繊維を方向付けるように働き、それによって、形作られた熱可塑性シートでは、引き延ばし方向に沿った物理的特性が改善するか又は増大する。従って、本発明の方法に応じて形成された形作られた熱可塑性シートは、代替として又はさらに、一軸又は二軸の方向性を示し得る。
【０２００】
キャリッジ１５がシートダイ１１３の下側に移動すると、加熱された熱可塑性シート１５３が、第１型部２４及びシート保持器５７１にまたがって効果的に垂らされる。例えば図１３〜図１６を参照されたい。図１５を参照すると、（ｉ）キャリッジ１５がシートダイ１１３の下側を移動する直線速さ又は速度、（ｉｉ）加熱された熱可塑性シート１５３がシートダイ１１３から製造される速度、及び（ｉｉｉ）シートダイ１１３から現れる際に（ゲート５０４を介して）押し出されたシート１５３の厚さは、型及びシート保持器のクランプ内側にまたがって垂らされる際に加熱された熱可塑性シート１５３の厚さを制御するために同時に制御されてよい。
【０２０１】
図１５及び図１６では、明確化の目的のため、加熱された熱可塑性シート１５３は剛体であるように示されている。加熱された熱可塑性シート１５３は、その軟化点よりも少なくとも高い温度を有するので、実際には、加熱された熱可塑性シート１５３は、より通常、（その上／その中に及び／又はそこにまたがって剛体のままあるのではなく）シート保持器５７１のクランプ内側６９１に、任意選択的に、内側型面２７の一部にまたがって垂らされる。
【０２０２】
キャリッジコントローラ４５は通常、特定の第１型部２４に対して、適合したコンピュータプログラムを有しており、その結果、ポリマー導入工程中、案内経路／トラック３９に沿ったキャリッジ１５の移動（例えば前進速度）、フレーム５５０（及び従ってシート保持器５７１）の垂直方向の位置決め、各クランプ部材６８８の開閉、各シート保持器５７１の横方向の位置決め、減圧装置４８０による貫通孔５２５を通じて引かれる減圧、及び、型温度制御装置３７５による型２４の温度、の作動命令及び制御を提供する。シート成形装置５１９は、異なる構造を有する交換可能な第１型部２４を受け入れてよく、この場合、キャリッジコントローラ４５は、各交換可能な型への作動命令（例えば上に要約されるように）を提供するように構成される様々なコンピュータプログラムを有するか、又は、有するようにプログラムされる。
【０２０３】
加熱された熱可塑性シートの第２面の第２部分の少なくとも一部が第１型部の内側型面の少なくとも一部に接触すると、内側型面の複数の貫通孔（例えば５２５）を介して（例えば減圧装置４８０及び管４８３によって）減圧が引かれる。加熱された熱可塑性シートの第２面の第２部分は、（減圧の結果として）内側型面に引き寄せられて内側型面に密接に接触し、内側型面の輪郭に合わせ込まれる。例えば図１８を参照されたい。
【０２０４】
第１型部の内側型面は任意選択的に加熱されてもよく、その結果、内側型面の輪郭に対する加熱された熱可塑性シートの第２面の第２部分の合わせ込みを補助することができる。しかしながら、加熱された熱可塑性シート内に残留した熱（例えばシートダイからの押出といった変形時に消費される熱）が保たれる結果、本発明に係るシート成形の実施形態では第１型部の内側型面を個別に加熱することは通常は必要とされない。加えて、加熱された熱可塑性シート内に保たれる残留した熱を考慮すると、加熱された熱可塑性シートの個別の又は外側からの加熱は通常は本発明に係るシート成形の実施形態において必要とされない。
【０２０５】
加熱された熱可塑性シートが内側型面の輪郭に密接に合わせ込まれて内側型面の輪郭に接触し続ける間、加熱された熱可塑性シートは冷却される。熱可塑性シートが冷却されると、第１型部の内側型面の輪郭を保持する形作られた熱可塑性シートが成形される。加熱された熱可塑性シートは通常、熱可塑性シートの軟化点又はガラス転移温度より低い温度まで冷却される。軟化点又はガラス転移温度を下回る温度まで冷却されると、熱可塑性シートは、もはや熱成形性を有しておらず、内側型面の輪郭形状を保持し続ける。
【０２０６】
加熱された熱可塑性シートの冷却は既知の手段によって実現されてよい。例えば熱可塑性シートの第１面に冷却気流が流通してもよい。代替として又はそれに加えて、第１型部の内側型面は、第１型部の内側型面の下側に配置される管（図示せず）を流れる冷却流体又は冷媒によって、型温度制御装置３７５、及び管３７８及び３８１（図５）によって、冷却されてもよい。
【０２０７】
熱可塑性シートが十分に冷却された後、結果として形作られた熱可塑性シート（又は成形品）は、明細書中で前述された説明に従って、成形品取り外しステーション２１で第１型部から取り外される。型（例えばシート型）からの形作られた成形品の取り外しの補助にあたって、例えば、１つ以上のイジェクタコア（図示せず）が内側型面から外側に逆動可能に延びてよく、基本的にはイジェクタコアが第１型部から形作られた熱可塑性シートを押し外して引き離す。代替として又はそれに加えて、気体（例えば空気）が圧力に基づき内側型面の複数の貫通孔（例えば５２５）を通過すればよく、それによって、形作られた熱可塑性シート／成形品を第１型部から持ち上げて引き離す。
【０２０８】
熱可塑性シートのはみ出し部分は、第１型部２４の周縁（例えば５２２）からシート保持器５７１のクランプ部６８５のクランプ内側６９１内に広がる。熱可塑性シートのこのはみ出し部分は、第１型部の内側面からの形作られた熱可塑性シート（又は成形品）の取り外しの補助に用いられてよい。本発明に係る実施形態において、図１８を参照すると、熱可塑性シートが、シート保持器５７１のクランプ部６８５のクランプ内側６９１内の（例えば内で保持される）熱可塑性シートのはみ出し部分とともに冷却されて硬化すると、フレーム支持体５５９及びフレーム５５０は垂直方向に上方に移動し、その結果、形作られた熱可塑性シート（１５３）が第１型部２４の内側型面２７から持ち上げられて取り外される。熱可塑性シートのはみ出し部分をシート保持器のクランプ部内に保持した状態で、フレーム５５０は所定の適切な距離にわたって垂直方向に上方に移動すればよく、その結果、第１型部から形作られた熱可塑性シートを取り外すことができる。本発明に係る方法において、垂直方向の全距離の５％、１０％、２５％、５０％、７５％又は１００％でフレーム５５０は移動する（例えば垂直方向の全距離は図１３及び図１８の間で規定される）。
【０２０９】
第１型部の周縁からシート保持器５７１のクランプ部６８５のクランプ内側６９１内に広がる熱可塑性シートのはみ出し部は、通常、加熱された熱可塑性シートが減圧によって第１型部の内側型面に引き寄せられて内側型面の輪郭に密接に合わせ込まれて接触した後の所定の時点で周縁に沿って切り離される。はみ出した熱可塑性シート材料は、形作られた熱可塑性シートが第１型部から取り外される前に、又は、取り外された後に切り離されてよい。通常、はみ出した熱可塑性シート材料は、形作られた熱可塑性シートを第１型部から取り外した後に切り離される。
【０２１０】
はみ出した熱可塑性シート材料は、形作られた熱可塑性シートが第１型部から取り外された後に任意選択的に切り離される。はみ出した熱可塑性シート材料は、例えば、ヤスリがけ、レーベル貼り、孔開け、留め具の挿入、及び／又は、塗装といった後成形工程の間に、形作られた熱可塑性シート（成形品）を安全に保管し輸送するために利用されてよい。後成形工程の完了後、はみ出した熱可塑性シート材料は、その後、形作られた熱可塑性シートから切り離されてよい。
【０２１１】
シート成形の実施形態において、加熱された熱可塑性シートは通常は、加熱された熱可塑性シートがシート保持器のクランプ内側に接触した後、及び、形作られた熱可塑性シートが第１型部から取り外される前の所定の時点でシートダイから切り離される。加熱された熱可塑性シートは、第１型部及びフレームを相互に位置決めして、加熱された熱可塑性シートの第２面の第２部分を第１型部の内側型面の少なくとも一部に接触させる工程に先だって、工程と同時に、又は、工程の後に、シートダイから切り離されてよい。図１６を参照すると、加熱された熱可塑性シート１５３は：加熱されたシートの第１部分がシート保持器のクランプ部内に保持された後；及び、第１型部及びフレームを相互に位置決めして、加熱された熱可塑性シートの第２面の第２部分を第１型部の内側型面の少なくとも一部に接触させる前に、シートダイ１１３から切り離された。
【０２１２】
本発明に係る成形システムは、内側型面を有する第２型部を有する圧縮成形ステーション（例えば圧縮成形ステーション３２１）をさらに有してよく、この場合、シート成形の実施形態は、加熱された熱可塑性シートの第１面に第２型部の内側型面を押し付けつつ接触させる工程をさらに有してよい。加熱された熱可塑性シートの第１面に対する第２型部の内側型面の接触は、：（ｉ）加熱された熱可塑性シートの第２面の第２部分が、（第１型部の内側型面の貫通孔を通じて引かれる減圧によって）第１型部の内側型面の輪郭に密接に合わせ込まれつつ内側型面に接触した後；及び、（ｉｉ）加熱された熱可塑性シートの冷却（及び、形作られた熱可塑性シートの対応の形成）の前に、実行される。
【０２１３】
図２６を参照すると、第２型部８３８は内側型面８４１を有する。第１型部２４及び第２型部８３８が（例えば矢印８４４に沿って）相互に逆動可能に位置決めされると、第１型部２４の内側型面２７及び第２型部８３８の内側型部８４１が相互に対向しつつ逆動可能に位置決めされる。特に、熱可塑性シート１５３の第１面５１３及び第２型部８３８の内側型面８４１は（図示されるように）相互に対向しつつ逆動可能に位置決めされる。第２型部８３８が第１型部２４に向かって矢印８４４で示される方向に移動すると、第２型部８３８の内側型面８４１は、加熱された熱可塑性シート１５３の第１面５１３に押し付けられつつ接触する。第２型部８３８は、図８に関して明細書中で前述された説明に従って作動され得る圧縮成形ステーション３２１の第２型部３３０と交換され得る。
【０２１４】
第２型部８３８の内側型面８４１は通常、加熱された熱可塑性シート１５３の第１面５１３に、１．０ｋｇ／ｃｍ２〜４．０ｋｇ／ｃｍ２（１４ｐｓｉ〜５７ｐｓｉ）、さらに通常は１．２ｋｇ／ｃｍ２〜２．０ｋｇ／ｃｍ２（１７ｐｓｉ〜２８ｐｓｉ）、さらに通常は１．３ｋｇ／ｃｍ２〜１．８ｋｇ／ｃｍ２（１９ｐｓｉ〜２７ｐｓｉ）の押し付け圧で押し付けられつつ接触する。一実施形態では、第２型部８３８の内側型面８４１は通常、加熱された熱可塑性シート１５３の第１面５１３に１．５ｋｇ／ｃｍ２（２１ｐｓｉ）の押し付け圧で押し付けられつつ接触する。
【０２１５】
第２型部の内側型面と加熱された熱可塑性シートの第１面との接触は、限定されるわけではないが：加熱された熱可塑性シートの第１面に表面の造作を付与すること；シートの厚さを制御すること；及び／又は、シートの第１面を平滑化することを含む理由のために実施されてよい。第２型部の内側型面は、平滑化された部分、又は、膨らんだ部分、及び／又は、窪んだ部分を含んでもよい。
【０２１６】
本発明のシート成形の実施形態では、加熱された熱可塑性シートは、少なくとも２つの熱可塑性層を有する加熱された多層の熱可塑性シートであってよく、及び従って、加熱された熱可塑性シートは、形作られた多層の熱可塑性シートである。各熱可塑性層は、別々の熱可塑性合成物、又は、同一の熱可塑性合成物から形成されてよい。例えば、各熱可塑性合成物は、当技術分野で認識された方法に従って、多層のシートダイ内に各々別々に挿入される別々の溶融した熱可塑性合成物を形成するために、溶融して合成されてよい。多層のシートダイは、そこに供給される溶融した熱可塑性合成物から加熱された多層の熱可塑性シートを形成する。
【０２１７】
本発明のシート成形の実施形態によって作成され得る形作られた熱可塑性シート（又は成形品）は、複合した三次元形状、例えばパネル（例えば壁パネル又は壁パネルカバー）などの比較的に単純な形状、を有してよい。本発明のシート成形の実施形態によって作成され得る成形品は、限定されないものの、例えば流体／水処理チャンバ、暴風雨水／汚水チャンバ、雨水管及び排水路などの流体処理構造；支持構造すなわち基台（例えばパレット）；及びシェルター（例えば犬や猫などの室内ペット用の住処）を有してよい。
【０２１８】
本発明の方法では、型の内側型面と接触するポリマー導入装置から導入されるポリマー合成物は、熱硬化性ポリマー合成物、熱可塑性合成物及びその組み合わせから選択されてよい。より通常は、ポリマー合成物は、少なくとも１つの熱可塑性材料を有する熱可塑性合成物である。本明細書及び特許請求の範囲で用いられるように、用語「熱可塑性材料」及びこれに同類の用語は、軟化点及び融点を有し、例えば活性水素基といった化学的な反応基とイソシアネート基を含まない基との間の共有結合を招く３次元架橋ネットワークを実質的に含まないプラスチック材料を意味する。熱可塑性合成物に含まれ得る熱可塑性材料の具体例は、以下に限定されるわけでないが、熱可塑性ポリウレタン、熱可塑性ポリウレア、熱可塑性ポリイミド、熱可塑性ポリアミド、熱可塑性ポリアミドイミド、熱可塑性ポリエステル、熱可塑性ポリカーボネート、熱可塑性ポリスルホン、熱可塑性ポリケトン、熱可塑性ポリオレフィン、熱可塑性メタクリル酸、熱可塑性アクリロニトリル−ブタジエン−スチレン、熱可塑性スチレン−アクリロニトリル、熱可塑性アクリロニトリル−スチレン−アクリル酸及びこれらの組み合わせ（例えば少なくとも２つのブレンド、及び／又は、アロイ）を含む。
【０２１９】
一実施形態において、熱可塑性材料は熱可塑性ポリオレフィンから選択される。本明細書及び特許請求の範囲で用いられるように、用語「ポリオレフィン」並びに同類の用語「ポリアルキレン」及び「熱可塑性ポリオレフィン」は、ポリオレフィン単独重合体、ポリオレフィン共重合体、均質ポリオレフィン、及び／又は、不均一ポリオレフィンを意味する。図示にあたって、ポリオレフィン共重合体の具体例は、例えば１−ブテン、１−ヘキセン、及び／又は、１−オクテンなどの、エチレン及び少なくとも１以上の炭素数３〜１２のアルファ−オレフィンから形成されるものを含む。
【０２２０】
熱可塑性合成物の熱可塑性材料、すなわち、ポリオレフィンは、限定されるわけではないが、不均一ポリオレフィン、均質ポリオレフィン及びその組み合わせから選択されてよい。用語「不均一ポリオレフィン」及び同類の用語は：（ｉ）個体の重合体鎖の間の分子量（すなわち、３より大きい、又は、３と同等の多分散性指数）において；及び、（ｉｉ）個体の重合体鎖の間の単量体残基分布（共重合体の場合）において、比較的に多様性を有するポリオレフィンを意味する。用語「多分散性指数」（ＰＤＩ）はＭｗ／Ｍｎの比率を意味する。Ｍｗは重量平均分子量を意味し、Ｍｎは数平均分子量を意味し、それぞれ、ポリエチレン標準といった適切な標準を用いるゲルパーミエーションクロマトグラフィー（ＧＰＣ）によって決定される。不均一ポリオレフィンは通常、不均一相におけるチーグラーナッタ触媒作用によって形成される。
【０２２１】
用語「均質ポリオレフィン」及び同類の用語は：（ｉ）個体の重合体鎖の間の分子量（すなわち、３より小さい多分散性指数）において；及び、（ｉｉ）個体の重合体鎖の間の単量体残基分布（共重合体の場合）において、比較的に狭い多様性を有するポリオレフィンを意味する。不均一なポリオレフィンと対比して、均質なポリオレフィンは、個体の重合体鎖の間で似たような鎖長、重合体鎖のバックボーンの間の単量体残基で比較的に同等な分布、及び、重合体鎖のバックボーンの間の単量体残基で比較的に似たような分布を有する。均質なポリオレフィンは通常、単点、メタロセン、又は、拘束幾何触媒作用によって形成される。均質なポリオレフィン共重合体の単量体残基分布は、組成分布幅指数（ＣＤＢＩ）値によって特徴づけられる。組成分布幅指数値は、共重合用単量体メジアン総モル含有量の５０％範囲内の共重合用単量体残基を有する重合体分子の重量％として規定される。ポリオレフィン単独重合体は１００％のＣＤＢＩ値を有する。例えば、均質なポリエチレン／アルファオレフィン共重合体は通常６０％より大きい、又は、７０％より大きいＣＤＢＩ値を有する。組成分布幅指数値は、当技術分野で認識された技術、例えばワイルド(Ｗｉｌｄ)他のＪｏｕｒｎａｌ  ｏｆ  Ｐｏｌｙｍｅｒ  Ｓｃｉｅｎｃｅ，Ｐｏｌｙ．Ｐｈｙｓ．Ｅｄ．Ｖｏｌ．２０，４４１頁（１９８２年）や米国特許第４，７９８，０８１号明細書、米国特許第５，０８９，３２１号明細書で説明されるように、昇温溶離分別法（ＴＲＥＦ）によって決定されればよい。均質エチレン／アルファオレフィン共重合体の具体例は、ノバ（ＮＯＶＡ）ケミカルズインコーポレーテッド社から販売されているＳＵＲＰＡＳＳ（商標）といったポリエチレンである。
【０２２２】
ポリマー合成物（例えば熱可塑性ポリマー合成物）は、例えばガラス繊維、ガラスビード、炭素繊維、金属フレーク、金属繊維、ポリアミド繊維（例えばケブラー（商標）ポリアミド繊維）、セルロース繊維、ナノ粒子クレイ、タルク、及び、それらの混合物から選択される強化材料を任意選択的に含んでもよい。含まれる場合には、強化材料は通常、ポリマー合成物の総重量に対して、例えば５重量％〜６０重量％、又は、５重量％〜７０重量％の補強量で含まれてよい。強化繊維、及び、特にガラス繊維は、当業者に既知のように、それらが組み込まれるポリマー材料への混和性及び／又は密着性を高めるために、繊維の表面に表面処理材料を有する。
【０２２３】
本発明に係る実施形態において、強化材料は繊維（例えばガラス繊維、炭素繊維、金属繊維、ポリアミド繊維、セルロース繊維、及び、それらの２つ以上の組み合わせ）の形態を有する。繊維は通常、０．５インチ〜４インチ（１．２７ｃｍ〜１０．１６ｃｍ）の長さ（例えば平均長さ）を有する。ポリマー合成物（例えば熱可塑性ポリマー合成物）は、ポリマー合成物を形成する供給材料内に配置される繊維の長さの少なくとも５０％又は８５％の長さ、例えば０．２５インチ〜２インチ又は４インチ（０．６４ｃｍ〜５．０８ｃｍ又は１０．１６ｃｍ）の長さを有する繊維を有してよい。当技術分野で認識された方法に従って、ポリマー合成物内に配置される繊維の平均長さが決定される。例えば、ポリマー合成物（又はそこから作成される成形品）は、当業者に既知のように、ポリマー材料、及び、その平均長さを決定するために顕微鏡観察で分析される残存した又は残余の繊維を取り除くために熱分解されてもよい。
【０２２４】
繊維は通常、ポリマー合成物内、及び、したがってその結果として形成される成形品内に、ポリマー合成物の総重量（すなわち、ポリマー材料、繊維及び接着剤の重量）に対して、５重量％〜７０重量％、１０重量％〜６０重量％、又は、３０重量％〜５０重量％（例えば４０重量％）から選択される量で配置される。従って、本発明に係る方法によって形成される形作られた成形品は、成形品の総重量に対して、５重量％〜７０重量％、１０重量％〜６０重量％、又は、３０重量％〜５０重量％（例えば４０重量％）から選択される量で含んでよい。
【０２２５】
繊維は広い範囲の直径を有すればよい。通常、繊維は、１μｍ〜２０μｍの直径を有し、又は、さらに通常は１μｍ〜９μｍの直径を有する。一般に、各繊維は個々の単繊維（又はモノフィラメント）の束を備える。通常、各繊維は１０，０００本〜２０，０００本の単繊維の束から構成される。
【０２２６】
通常、繊維はポリマー合成物及びその結果として形成された成形品の至るところに不規則に配置される。繊維とポリマー合成物との混合の間、繊維は通常、少なくとも繊維束ごとに少なくとも５本の繊維、好ましくは繊維束ごとに１０本より少ない繊維を備える繊維束を形成する。理論に拘束される意図はないものの、手近な証拠に基づけば、１０本以上の繊維を備える繊維束は、望ましくない構造強度の低い成形品（形作られた熱可塑性シート）を形成することが考えられる。束ごとに１０本以上の繊維を備える繊維束の標準は、成形品内に存在する組み合わせの差異の特定により計測されてよい。束ごとに１０本以上の繊維を備える繊維束の数は通常、顕微鏡観察で観察されうる繊維（通常は少なくとも１０００本）の総数に対して、成形品の断面の顕微鏡観察評価によって特定される。組み合わせの差異は、次の方程式：１００×（（１０本以上の繊維を備える束の数）／（観察された繊維の総数））を用いて計算される。通常、加熱された熱可塑性シート及び形作られた熱可塑性シートはそれぞれ６０％より低い又は６０％と同等の組み合わせの差異を有し、通常は３５％より低い又は３５％と同等の組み合わせの差異を有する。
【０２２７】
強化材料に加えて又は代替として、加熱された熱可塑性シートを形成する熱可塑性合成物は少なくとも１以上の混和剤を任意に含んでもよい。熱可塑性混合部内に配置され得る混和剤は、限定されるわけではないが、酸化防止剤、例えば顔料及び／又は染料といった塗料、離型剤、例えば炭化カルシウムといった充填剤、紫外線吸収剤、難燃剤、及び、それらの混合物を含む。混和剤は、機能的に十分な量、例えば熱可塑性合成物の総重量に対して独立して０．１重量％〜１０重量％の量で熱可塑性合成物内に含まれてよい。
【０２２８】
本発明は、特定の実施形態の特定の詳細に関して説明された。こうした詳細は、添付の特許請求の範囲に含まれる範囲及び限度において、発明の範囲を限定するものとして考えられることは意図されていない。
【図１】
0005500604.tif 000002
【図２】
0005500604.tif 000003
【図３】
0005500604.tif 000004
【図４】
0005500604.tif 000005
【図５】
0005500604.tif 000006
【図６】
0005500604.tif 000007
【図７】
0005500604.tif 000008
【図８】
0005500604.tif 000009
【図９】
0005500604.tif 000010
【図１０】
0005500604.tif 000011
【図１１】
0005500604.tif 000012
【図１２】
0005500604.tif 000013
【図１３】
0005500604.tif 000014
【図１４】
0005500604.tif 000015
【図１５】
0005500604.tif 000016
【図１６】
0005500604.tif 000017
【図１７】
0005500604.tif 000018
【図１８】
0005500604.tif 000019
【図１９】
0005500604.tif 000020
【図２０】
0005500604.tif 000021
【図２１】
0005500604.tif 000022
【図２２】
0005500604.tif 000023
【図２３】
0005500604.tif 000024
【図２４】
0005500604.tif 000025
【図２５】
0005500604.tif 000026
【図２６】
0005500604.tif 000027